(57)【要約】  ワイヤレス通信のための技法が説明される。ユーザ機器（ＵＥ）におけるワイヤレス通信のための１つの方法は、オーバージエアで、アップリンク送信のために実施すべきＬＢＴプロシージャの少なくとも１つのタイプを示す情報を受信することと、受信された情報から、アップリンク送信のために実施すべきＬＢＴプロシージャの少なくとも１つのタイプを識別することと、共有スペクトルのために、アップリンク送信のためのＬＢＴプロシージャの少なくとも１つのタイプを実施することとを含む。ネットワークアクセスデバイスにおけるワイヤレス通信のための１つの方法は、共有スペクトル中でＵＥのアップリンク送信をスケジュールすることと、オーバージエアで、アップリンク送信のために実施すべきＬＢＴプロシージャの少なくとも１つのタイプを示す情報を送信することとを含む。
2019509696.tif 000002
【特許請求の範囲】
【請求項１】
ユーザ機器（ＵＥ）におけるワイヤレス通信のための方法であって、
オーバージエアで、アップリンク送信のために実施すべきリッスンビフォアトーク（ＬＢＴ）プロシージャの少なくとも１つのタイプを示す情報を受信することと、
前記受信された情報から、前記アップリンク送信のために実施すべきＬＢＴプロシージャの前記少なくとも１つのタイプを識別することと、
共有スペクトルのために、前記アップリンク送信のためのＬＢＴプロシージャの前記少なくとも１つのタイプを実施することと
を備える、方法。
【請求項２】
前記アップリンク送信のために実施すべきＬＢＴプロシージャの前記少なくとも１つのタイプを示す前記情報は、前記アップリンク送信の持続時間が、ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、請求項１に記載の方法。
【請求項３】
前記アップリンク送信のためのアップリンク許可を受信することをさらに備え、
ここにおいて、前記アップリンク送信のために実施すべきＬＢＴプロシージャの前記少なくとも１つのタイプを示す前記情報が、前記アップリンク許可中で受信された少なくとも１ビットを備える、
請求項２に記載の方法。
【請求項４】
前記アップリンク送信のために実施すべきＬＢＴプロシージャの前記少なくとも１つのタイプを示す前記情報は、ネットワークアクセスデバイスによって前記共有スペクトルが予約済みであり、アップリンク送信のために利用可能である最大チャネル占有時間の部分の持続時間を示す、請求項１に記載の方法。
【請求項５】
共通物理ダウンリンク制御チャネル（ＰＤＣＣＨ）を受信することをさらに備え、
ここにおいて、前記アップリンク送信のために実施すべきＬＢＴプロシージャの前記少なくとも１つのタイプを示す前記情報が、前記共通ＰＤＣＣＨ中でシグナリングされる、
請求項４に記載の方法。
【請求項６】
前記アップリンク送信のために実施すべきＬＢＴプロシージャの前記少なくとも１つのタイプは、前記ネットワークアクセスデバイスによって前記共有スペクトルが予約済みであり、アップリンク送信のために利用可能である前記最大チャネル占有時間の前記部分の前記持続時間と前記アップリンク送信の持続時間とに少なくとも部分的に基づいて識別される、請求項４に記載の方法。
【請求項７】
前記共有スペクトルへのアクセスを求めて競合するためにＬＢＴプロシージャを実施するとき、ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために使用されるべき第２のＬＢＴ優先度クラス、またはそれらの組合せを含む少なくとも１つのＬＢＴ優先度クラスの少なくとも１つの指示を受信すること
をさらに備える、請求項１に記載の方法。
【請求項８】
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、請求項７に記載の方法。
【請求項９】
前記アップリンク送信のためのアップリンク許可を受信することをさらに備え、
ここにおいて、前記少なくとも１つのＬＢＴ優先度クラスの前記少なくとも１つの指示が、前記アップリンク許可中で受信される、
請求項７に記載の方法。
【請求項１０】
前記アップリンク許可が、前記アップリンク送信のために実施すべきＬＢＴプロシージャの前記少なくとも１つのタイプを示す前記情報をさらに備える、請求項９に記載の方法。
【請求項１１】
前記ネットワークアクセスデバイスが前記共有スペクトルへのアクセスを求める競合に成功したかどうかを決定することと、
前記ネットワークアクセスデバイスが前記共有スペクトルへのアクセスを求める競合に成功したかどうかを決定することに少なくとも部分的に基づく、前記第１のＬＢＴ優先度クラスまたは前記第２のＬＢＴ優先度クラスに少なくとも部分的に基づいて、前記アップリンク送信のためにＬＢＴプロシージャを実施すべきかどうかを決定することと
をさらに備える、請求項７に記載の方法。
【請求項１２】
前記アップリンク送信のためにＬＢＴプロシージャを実施するための前記少なくとも１つのＬＢＴ優先度クラス中のＬＢＴ優先度クラスを識別することと、
前記識別されたＬＢＴ優先度クラスに少なくとも部分的に基づいて前記アップリンク送信中の送信のためのデータを選択することと、
前記アップリンク送信中に、前記選択されたデータを送信することと
をさらに備える、請求項７に記載の方法。
【請求項１３】
少なくとも１つのＬＢＴ優先度クラスのために使用すべき競合ウィンドウサイズの少なくとも１つの指示を受信することと、
前記共有スペクトルのためにＬＢＴプロシージャを実施するためのＬＢＴ優先度クラスを選択することと、
前記選択されたＬＢＴ優先度クラスに対応する競合ウィンドウサイズの指示に少なくとも部分的に基づいて、前記ＬＢＴプロシージャのための競合ウィンドウをサイズ決定することと
をさらに備える、請求項１に記載の方法。
【請求項１４】
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、請求項１３に記載の方法。
【請求項１５】
競合ウィンドウサイズの各比が、ＬＢＴ優先度クラスのための競合ウィンドウサイズとデフォルト競合ウィンドウサイズとの比を備える、請求項１４に記載の方法。
【請求項１６】
前記アップリンク送信のためのアップリンク許可を受信することをさらに備え、
ここにおいて、少なくとも１つのＬＢＴ優先度クラスのために使用すべき競合ウィンドウサイズの前記少なくとも１つの指示が、前記アップリンク許可中で受信される、
請求項１３に記載の方法。
【請求項１７】
前記アップリンク送信のために実施すべきＬＢＴプロシージャの少なくとも１つのタイプを示す前記情報が、前記アップリンク送信のために実施すべきマルチキャリアＬＢＴプロシージャのタイプの指示を備える、請求項１に記載の方法。
【請求項１８】
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、請求項１７に記載の方法。
【請求項１９】
実施すべきマルチキャリアＬＢＴプロシージャの前記タイプの前記指示が、無線リソース制御（ＲＲＣ）シグナリング中で受信される、請求項１７に記載の方法。
【請求項２０】
ユーザ機器（ＵＥ）におけるワイヤレス通信のための装置であって、
オーバージエアで、アップリンク送信のために実施すべきリッスンビフォアトーク（ＬＢＴ）プロシージャの少なくとも１つのタイプを示す情報を受信するための手段と、
前記受信された情報から、前記アップリンク送信のために実施すべきＬＢＴプロシージャの前記少なくとも１つのタイプを識別するための手段と、
共有スペクトルのために、前記アップリンク送信のためのＬＢＴプロシージャの前記少なくとも１つのタイプを実施するための手段と
を備える、装置。
【請求項２１】
前記アップリンク送信のために実施すべきＬＢＴプロシージャの前記少なくとも１つのタイプを示す前記情報は、前記アップリンク送信の持続時間が、ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、請求項２０に記載の装置。
【請求項２２】
前記アップリンク送信のためのアップリンク許可を受信するための手段をさらに備え、
ここにおいて、前記アップリンク送信のために実施すべきＬＢＴプロシージャの前記少なくとも１つのタイプを示す前記情報が、前記アップリンク許可中で受信された少なくとも１ビットを備える、
請求項２１に記載の装置。
【請求項２３】
前記アップリンク送信のために実施すべきＬＢＴプロシージャの前記少なくとも１つのタイプを示す前記情報は、ネットワークアクセスデバイスによって前記共有スペクトルが予約済みであり、アップリンク送信のために利用可能である最大チャネル占有時間の部分の持続時間を示す、請求項２０に記載の装置。
【請求項２４】
共通物理ダウンリンク制御チャネル（ＰＤＣＣＨ）を受信するための手段をさらに備え、
ここにおいて、前記アップリンク送信のために実施すべきＬＢＴプロシージャの前記少なくとも１つのタイプを示す前記情報が、前記共通ＰＤＣＣＨ中でシグナリングされる、
請求項２３に記載の装置。
【請求項２５】
前記アップリンク送信のために実施すべきＬＢＴプロシージャの前記少なくとも１つのタイプは、前記ネットワークアクセスデバイスによって前記共有スペクトルが予約済みであり、アップリンク送信のために利用可能である前記最大チャネル占有時間の前記部分の前記持続時間と前記アップリンク送信の持続時間とに少なくとも部分的に基づいて識別される、請求項２３に記載の装置。
【請求項２６】
前記共有スペクトルへのアクセスを求めて競合するためにＬＢＴプロシージャを実施するとき、ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために使用されるべき第２のＬＢＴ優先度クラス、またはそれらの組合せを含む少なくとも１つのＬＢＴ優先度クラスの少なくとも１つの指示を受信するための手段
をさらに備える、請求項２０に記載の装置。
【請求項２７】
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、請求項２６に記載の装置。
【請求項２８】
前記アップリンク送信のためのアップリンク許可を受信するための手段をさらに備え、
ここにおいて、前記少なくとも１つのＬＢＴ優先度クラスの前記少なくとも１つの指示が、前記アップリンク許可中で受信される、
請求項２６に記載の装置。
【請求項２９】
前記アップリンク許可が、前記アップリンク送信のために実施すべきＬＢＴプロシージャの前記少なくとも１つのタイプを示す前記情報をさらに備える、請求項２８に記載の装置。
【請求項３０】
前記ネットワークアクセスデバイスが前記共有スペクトルへのアクセスを求める競合に成功したかどうかを決定するための手段と、
前記ネットワークアクセスデバイスが前記共有スペクトルへのアクセスを求める競合に成功したかどうかを決定することに少なくとも部分的に基づく、前記第１のＬＢＴ優先度クラスまたは前記第２のＬＢＴ優先度クラスに少なくとも部分的に基づいて、前記アップリンク送信のためにＬＢＴプロシージャを実施すべきかどうかを決定するための手段と
をさらに備える、請求項２６に記載の装置。
【請求項３１】
前記アップリンク送信のためにＬＢＴプロシージャを実施するための前記少なくとも１つのＬＢＴ優先度クラス中のＬＢＴ優先度クラスを識別するための手段と、
前記識別されたＬＢＴ優先度クラスに少なくとも部分的に基づいて前記アップリンク送信中の送信のためのデータを選択するための手段と、
前記アップリンク送信中に、前記選択されたデータを送信するための手段と
をさらに備える、請求項２６に記載の装置。
【請求項３２】
少なくとも１つのＬＢＴ優先度クラスのために使用すべき競合ウィンドウサイズの少なくとも１つの指示を受信するための手段と、
前記共有スペクトルのためにＬＢＴプロシージャを実施するためのＬＢＴ優先度クラスを選択するための手段と、
前記選択されたＬＢＴ優先度クラスに対応する競合ウィンドウサイズの指示に少なくとも部分的に基づいて、前記ＬＢＴプロシージャのための競合ウィンドウをサイズ決定するための手段と
をさらに備える、請求項２０に記載の装置。
【請求項３３】
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、請求項３２に記載の装置。
【請求項３４】
競合ウィンドウサイズの各比が、ＬＢＴ優先度クラスのための競合ウィンドウサイズとデフォルト競合ウィンドウサイズとの比を備える、請求項３３に記載の装置。
【請求項３５】
前記アップリンク送信のためのアップリンク許可を受信するための手段をさらに備え、
ここにおいて、少なくとも１つのＬＢＴ優先度クラスのために使用すべき競合ウィンドウサイズの前記少なくとも１つの指示が、前記アップリンク許可中で受信される、
請求項３２に記載の装置。
【請求項３６】
前記アップリンク送信のために実施すべきＬＢＴプロシージャの少なくとも１つのタイプを示す前記情報が、前記アップリンク送信のために実施すべきマルチキャリアＬＢＴプロシージャのタイプの指示を備える、請求項２０に記載の装置。
【請求項３７】
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、請求項３６に記載の装置。
【請求項３８】
実施すべきマルチキャリアＬＢＴプロシージャの前記タイプの前記指示が、無線リソース制御（ＲＲＣ）シグナリング中で受信される、請求項３６に記載の装置。
【請求項３９】
ユーザ機器（ＵＥ）におけるワイヤレス通信のための装置であって、
プロセッサと、
前記プロセッサに結合されたメモリとを備え、ここにおいて、前記プロセッサが、
オーバージエアで、アップリンク送信のために実施すべきリッスンビフォアトーク（ＬＢＴ）プロシージャの少なくとも１つのタイプを示す情報を受信することと、
前記受信された情報から、前記アップリンク送信のために実施すべきＬＢＴプロシージャの前記少なくとも１つのタイプを識別することと、
共有スペクトルのために、前記アップリンク送信のためのＬＢＴプロシージャの前記少なくとも１つのタイプを実施することと
を行うように構成された、装置。
【請求項４０】
オーバージエアで、アップリンク送信のために実施すべきリッスンビフォアトーク（ＬＢＴ）プロシージャの少なくとも１つのタイプを示す情報を受信するための命令と、
前記受信された情報から、前記アップリンク送信のために実施すべきＬＢＴプロシージャの前記少なくとも１つのタイプを識別するための命令と、
共有スペクトルのために、前記アップリンク送信のためのＬＢＴプロシージャの前記少なくとも１つのタイプを実施するための命令と
を備える、ユーザ機器（ＵＥ）のプロセッサによって実行可能な命令を記憶するためのコンピュータ可読媒体。
【請求項４１】
ネットワークアクセスデバイスにおけるワイヤレス通信のための方法であって、
共有スペクトル中でユーザ機器（ＵＥ）のアップリンク送信をスケジュールすることと、
オーバージエアで、前記アップリンク送信のために実施すべきリッスンビフォアトーク（ＬＢＴ）プロシージャの少なくとも１つのタイプを示す情報を送信することと
を備える、方法。
【請求項４２】
前記アップリンク送信のために実施すべきＬＢＴプロシージャの前記少なくとも１つのタイプを示す前記情報は、前記アップリンク送信の持続時間が、前記ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、請求項４１に記載の方法。
【請求項４３】
前記ＵＥに前記アップリンク送信のためのアップリンク許可を送信することをさらに備え、
ここにおいて、前記アップリンク送信のために実施すべきＬＢＴプロシージャの前記少なくとも１つのタイプを示す前記情報が、前記アップリンク許可中の少なくとも１ビットを備える、
請求項４２に記載の方法。
【請求項４４】
前記アップリンク送信のために実施すべきＬＢＴプロシージャの前記少なくとも１つのタイプを示す前記情報は、前記ネットワークアクセスデバイスによって前記共有スペクトルが予約済みであり、アップリンク送信のために利用可能である最大チャネル占有時間の部分の持続時間を示す、請求項４１に記載の方法。
【請求項４５】
共通物理ダウンリンク制御チャネル（ＰＤＣＣＨ）を送信することと、
前記共通ＰＤＣＣＨ中で、前記アップリンク送信のために実施すべきＬＢＴプロシージャの前記少なくとも１つのタイプを示す前記情報をシグナリングすることと
をさらに備える、請求項４４に記載の方法。
【請求項４６】
前記共有スペクトルへのアクセスを求めて競合するためにＬＢＴプロシージャを実施するとき、前記ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために前記ＵＥによって使用されるべき第２のＬＢＴ優先度クラス、またはそれらの組合せを含む少なくとも１つのＬＢＴ優先度クラスの少なくとも１つの指示を送信すること
をさらに備える、請求項４１に記載の方法。
【請求項４７】
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、請求項４６に記載の方法。
【請求項４８】
前記ＵＥに前記アップリンク送信のためのアップリンク許可を送信することをさらに備え、
ここにおいて、前記少なくとも１つのＬＢＴ優先度クラスの前記少なくとも１つの指示が、前記アップリンク許可中で送信される、
請求項４６に記載の方法。
【請求項４９】
前記アップリンク許可が、前記アップリンク送信のために実施すべきＬＢＴプロシージャの前記少なくとも１つのタイプを示す前記情報をさらに備える、請求項４８に記載の方法。
【請求項５０】
少なくとも１つのＬＢＴ優先度クラスのために使用すべき競合ウィンドウサイズの少なくとも１つの指示を送信すること
をさらに備える、請求項４１に記載の方法。
【請求項５１】
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、請求項５０に記載の方法。
【請求項５２】
競合ウィンドウサイズの各比が、ＬＢＴ優先度クラスのための競合ウィンドウサイズとデフォルト競合ウィンドウサイズとの比を備える、請求項５１に記載の方法。
【請求項５３】
前記アップリンク送信のためのアップリンク許可を送信することをさらに備え、
ここにおいて、少なくとも１つのＬＢＴ優先度クラスのために使用すべき競合ウィンドウサイズの前記少なくとも１つの指示が、前記アップリンク許可中でシグナリングされる、
請求項５０に記載の方法。
【請求項５４】
前記アップリンク送信の受信を検出することと、
前記アップリンク送信のための巡回冗長検査（ＣＲＣ）を復号することに失敗することと、
前記アップリンク送信のための前記ＣＲＣを復号することに失敗することに少なくとも部分的に基づいて、前記共有スペクトルへのアクセスを求めて競合するために次のＬＢＴプロシージャのための競合ウィンドウサイズを更新することと
をさらに備える、請求項４１に記載の方法。
【請求項５５】
前記アップリンク送信が複数送信時間間隔（ＴＴＩ）アップリンク送信を備え、前記方法が、
前記複数ＴＴＩアップリンク送信のための複数ＴＴＩアップリンク許可を送信することと、
前記複数ＴＴＩアップリンク送信の少なくとも１つのＴＴＩ中に前記複数ＴＴＩアップリンク送信の受信を検出することと、
前記複数ＴＴＩアップリンク送信の前記少なくとも１つのＴＴＩ中に前記複数ＴＴＩアップリンク送信の受信を検出することに少なくとも部分的に基づいて、前記共有スペクトルへのアクセスを求めて競合するために次のＬＢＴプロシージャのための競合ウィンドウサイズを更新することを控えることと
をさらに備える、請求項４１に記載の方法。
【請求項５６】
前記次のＬＢＴプロシージャのための前記競合ウィンドウサイズを更新することを前記控えることが、前記複数ＴＴＩアップリンク送信の複数のＴＴＩ中に前記共有スペクトル上のＬＢＴギャップを検出しないことにさらに少なくとも部分的に基づく、請求項５５に記載の方法。
【請求項５７】
前記アップリンク送信のために実施すべきマルチキャリアＬＢＴプロシージャのタイプの指示を送信すること
をさらに備える、請求項４１に記載の方法。
【請求項５８】
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、請求項５７に記載の方法。
【請求項５９】
実施すべきマルチキャリアＬＢＴプロシージャの前記タイプの前記指示が、無線リソース制御（ＲＲＣ）シグナリング中で送信される、請求項５７に記載の方法。
【請求項６０】
ネットワークアクセスデバイスにおけるワイヤレス通信のための装置であって、
共有スペクトル中でユーザ機器（ＵＥ）のアップリンク送信をスケジュールするための手段と、
オーバージエアで、前記アップリンク送信のために実施すべきリッスンビフォアトーク（ＬＢＴ）プロシージャの少なくとも１つのタイプを示す情報を送信するための手段と
を備える、装置。
【請求項６１】
前記アップリンク送信のために実施すべきＬＢＴプロシージャの前記少なくとも１つのタイプを示す前記情報は、前記アップリンク送信の持続時間が、前記ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、請求項６０に記載の装置。
【請求項６２】
前記ＵＥに前記アップリンク送信のためのアップリンク許可を送信するための手段をさらに備え、
ここにおいて、前記アップリンク送信のために実施すべきＬＢＴプロシージャの前記少なくとも１つのタイプを示す前記情報が、前記アップリンク許可中の少なくとも１ビットを備える、
請求項６１に記載の装置。
【請求項６３】
前記アップリンク送信のために実施すべきＬＢＴプロシージャの前記少なくとも１つのタイプを示す前記情報は、前記ネットワークアクセスデバイスによって前記共有スペクトルが予約済みであり、アップリンク送信のために利用可能である最大チャネル占有時間の部分の持続時間を示す、請求項６０に記載の装置。
【請求項６４】
共通物理ダウンリンク制御チャネル（ＰＤＣＣＨ）を送信するための手段と、
前記共通ＰＤＣＣＨ中で、前記アップリンク送信のために実施すべきＬＢＴプロシージャの前記少なくとも１つのタイプを示す前記情報をシグナリングするための手段と
をさらに備える、請求項６３に記載の装置。
【請求項６５】
前記共有スペクトルへのアクセスを求めて競合するためにＬＢＴプロシージャを実施するとき、前記ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために前記ＵＥによって使用されるべき第２のＬＢＴ優先度クラス、またはそれらの組合せを含む少なくとも１つのＬＢＴ優先度クラスの少なくとも１つの指示を送信するための手段
をさらに備える、請求項６０に記載の装置。
【請求項６６】
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、請求項６５に記載の装置。
【請求項６７】
前記ＵＥに前記アップリンク送信のためのアップリンク許可を送信するための手段をさらに備え、
ここにおいて、前記少なくとも１つのＬＢＴ優先度クラスの前記少なくとも１つの指示が、前記アップリンク許可中で送信される、
請求項６５に記載の装置。
【請求項６８】
前記アップリンク許可が、前記アップリンク送信のために実施すべきＬＢＴプロシージャの前記少なくとも１つのタイプを示す前記情報をさらに備える、請求項６７に記載の装置。
【請求項６９】
少なくとも１つのＬＢＴ優先度クラスのために使用すべき競合ウィンドウサイズの少なくとも１つの指示を送信すること
をさらに備える、請求項６０に記載の装置。
【請求項７０】
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、請求項６９に記載の装置。
【請求項７１】
競合ウィンドウサイズの各比が、ＬＢＴ優先度クラスのための競合ウィンドウサイズとデフォルト競合ウィンドウサイズとの比を備える、請求項７０に記載の装置。
【請求項７２】
前記アップリンク送信のためのアップリンク許可を送信するための手段をさらに備え、
ここにおいて、少なくとも１つのＬＢＴ優先度クラスのために使用すべき競合ウィンドウサイズの前記少なくとも１つの指示が、前記アップリンク許可中でシグナリングされる、
請求項６９に記載の装置。
【請求項７３】
前記アップリンク送信の受信を検出するための手段と、
前記アップリンク送信のための巡回冗長検査（ＣＲＣ）を復号することに失敗するための手段と、
前記アップリンク送信のための前記ＣＲＣを復号することに失敗することに少なくとも部分的に基づいて、前記共有スペクトルへのアクセスを求めて競合するために次のＬＢＴプロシージャのための競合ウィンドウサイズを更新するための手段と
をさらに備える、請求項６０に記載の装置。
【請求項７４】
前記アップリンク送信が複数送信時間間隔（ＴＴＩ）アップリンク送信を備え、前記装置が、
前記複数ＴＴＩアップリンク送信のための複数ＴＴＩアップリンク許可を送信するための手段と、
前記複数ＴＴＩアップリンク送信の少なくとも１つのＴＴＩ中に前記複数ＴＴＩアップリンク送信の受信を検出するための手段と、
前記複数ＴＴＩアップリンク送信の前記少なくとも１つのＴＴＩ中に前記複数ＴＴＩアップリンク送信の受信を検出することに少なくとも部分的に基づいて、前記共有スペクトルへのアクセスを求めて競合するために次のＬＢＴプロシージャのための競合ウィンドウサイズを更新することを控えるための手段と
をさらに備える、請求項６０に記載の装置。
【請求項７５】
前記次のＬＢＴプロシージャのための前記競合ウィンドウサイズを更新することを前記控えることが、前記複数ＴＴＩアップリンク送信の複数のＴＴＩ中に前記共有スペクトル上のＬＢＴギャップを検出しないことにさらに少なくとも部分的に基づく、請求項７４に記載の装置。
【請求項７６】
前記アップリンク送信のために実施すべきマルチキャリアＬＢＴプロシージャのタイプの指示を送信するための手段
をさらに備える、請求項６０に記載の装置。
【請求項７７】
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、請求項７６に記載の装置。
【請求項７８】
実施すべきマルチキャリアＬＢＴプロシージャの前記タイプの前記指示が、無線リソース制御（ＲＲＣ）シグナリング中で送信される、請求項７６に記載の装置。
【請求項７９】
ネットワークアクセスデバイスにおけるワイヤレス通信のための装置であって、
プロセッサと、
前記プロセッサに結合されたメモリとを備え、ここにおいて、前記プロセッサが、
共有スペクトル中でユーザ機器（ＵＥ）のアップリンク送信をスケジュールすることと、
オーバージエアで、前記アップリンク送信のために実施すべきリッスンビフォアトーク（ＬＢＴ）プロシージャの少なくとも１つのタイプを示す情報を送信することと
を行うように構成された、装置。
【請求項８０】
共有スペクトル中でユーザ機器（ＵＥ）のアップリンク送信をスケジュールするための命令と、
オーバージエアで、前記アップリンク送信のために実施すべきリッスンビフォアトーク（ＬＢＴ）プロシージャの少なくとも１つのタイプを示す情報を送信するための命令と
を備える、ネットワークアクセスデバイスのプロセッサによって実行可能な命令を記憶するためのコンピュータ可読媒体。
【請求項８１】
ネットワークアクセスデバイスにおけるワイヤレス通信のための方法であって、
ユーザ機器（ＵＥ）に関連するバッファステータス報告（ＢＳＲ）に少なくとも部分的に基づいて、複数のリッスンビフォアトーク（ＬＢＴ）優先度クラスの各ＬＢＴ優先度クラスに関連する前記ＵＥのアップリンクトラフィックの量を決定することと、
各ＬＢＴ優先度クラスに関連する前記ＵＥのアップリンクトラフィックの前記決定された量に少なくとも部分的に基づいて、ＬＢＴプロシージャを実施するためのＬＢＴ優先度クラスを選択することと、
前記選択されたＬＢＴ優先度クラスに少なくとも部分的に基づいて前記ＬＢＴプロシージャを実施することによって、共有スペクトルへのアクセスを求めて競合することと
を備える、方法。
【請求項８２】
前記ＵＥのために、前記複数のＬＢＴ優先度クラスの各ＬＢＴ優先度クラスに関連するダウンリンクトラフィックの量を決定することをさらに備え、
ここにおいて、前記ＬＢＴプロシージャを実施するための前記ＬＢＴ優先度クラスが、各ＬＢＴ優先度クラスに関連するダウンリンクトラフィックの前記決定された量に少なくとも部分的に基づいてさらに選択される、
請求項８１に記載の方法。
【請求項８３】
ネットワークアクセスデバイスにおけるワイヤレス通信のための装置であって、
ユーザ機器（ＵＥ）に関連するバッファステータス報告（ＢＳＲ）に少なくとも部分的に基づいて、複数のリッスンビフォアトーク（ＬＢＴ）優先度クラスの各ＬＢＴ優先度クラスに関連する前記ＵＥのアップリンクトラフィックの量を決定するための手段と、
各ＬＢＴ優先度クラスに関連する前記ＵＥのアップリンクトラフィックの前記決定された量に少なくとも部分的に基づいて、ＬＢＴプロシージャを実施するためのＬＢＴ優先度クラスを選択するための手段と、
前記選択されたＬＢＴ優先度クラスに少なくとも部分的に基づいて前記ＬＢＴプロシージャを実施することによって、共有スペクトルへのアクセスを求めて競合するための手段と
を備える、装置。
【請求項８４】
前記ＵＥのために、前記複数のリッスンビフォアトーク（ＬＢＴ）優先度クラスの各ＬＢＴ優先度クラスに関連するダウンリンクトラフィックの量を決定するための手段をさらに備え、
ここにおいて、前記ＬＢＴプロシージャを実施するための前記ＬＢＴ優先度クラスが、各ＬＢＴ優先度クラスに関連するダウンリンクトラフィックの前記決定された量に少なくとも部分的に基づいてさらに選択される、
請求項８３に記載の装置。
【請求項８５】
ネットワークアクセスデバイスにおけるワイヤレス通信のための装置であって、
プロセッサと、
前記プロセッサに結合されたメモリとを備え、ここにおいて、前記プロセッサが、
ユーザ機器（ＵＥ）に関連するバッファステータス報告（ＢＳＲ）に少なくとも部分的に基づいて、複数のリッスンビフォアトーク（ＬＢＴ）優先度クラスの各ＬＢＴ優先度クラスに関連する前記ＵＥのアップリンクトラフィックの量を決定することと、
各ＬＢＴ優先度クラスに関連する前記ＵＥのアップリンクトラフィックの前記決定された量に少なくとも部分的に基づいて、ＬＢＴプロシージャを実施するためのＬＢＴ優先度クラスを選択することと、
前記選択されたＬＢＴ優先度クラスに少なくとも部分的に基づいて前記ＬＢＴプロシージャを実施することによって、共有スペクトルへのアクセスを求めて競合することと
を行うように構成された、装置。
【請求項８６】
ユーザ機器（ＵＥ）に関連するバッファステータス報告（ＢＳＲ）に少なくとも部分的に基づいて、複数のリッスンビフォアトーク（ＬＢＴ）優先度クラスの各ＬＢＴ優先度クラスに関連する前記ＵＥのアップリンクトラフィックの量を決定するための命令と、
各ＬＢＴ優先度クラスに関連する前記ＵＥのアップリンクトラフィックの前記決定された量に少なくとも部分的に基づいて、ＬＢＴプロシージャを実施するためのＬＢＴ優先度クラスを選択するための命令と、
前記選択されたＬＢＴ優先度クラスに少なくとも部分的に基づいて前記ＬＢＴプロシージャを実施することによって、共有スペクトルへのアクセスを求めて競合するための命令と
を備える、ネットワークアクセスデバイスのプロセッサによって実行可能な命令を記憶するためのコンピュータ可読媒体。
【請求項８７】
ワイヤレス通信のための方法であって、
複数のリッスンビフォアトーク（ＬＢＴ）優先度クラスの各ＬＢＴ優先度クラスに関連するキューイングされたトラフィックの量を決定することと、
ＬＢＴプロシージャを実施するためのＬＢＴ優先度クラスを選択することと、
共有スペクトルへのアクセスを求めて競合するために、前記選択されたＬＢＴ優先度クラスに少なくとも部分的に基づいて前記ＬＢＴプロシージャを実施することと、
前記共有スペクトルへのアクセスを求める競合に勝つと、前記選択されたＬＢＴ優先度クラスよりも低いＬＢＴ優先度クラスに関連する前記キューイングされたトラフィックのうちの少なくとも一部を送信することと
を備える、方法。
【請求項８８】
ワイヤレス通信のための装置であって、
複数のリッスンビフォアトーク（ＬＢＴ）優先度クラスの各ＬＢＴ優先度クラスに関連するキューイングされたトラフィックの量を決定するための手段と、
ＬＢＴプロシージャを実施するためのＬＢＴ優先度クラスを選択するための手段と、
共有スペクトルへのアクセスを求めて競合するために、前記選択されたＬＢＴ優先度クラスに少なくとも部分的に基づいて前記ＬＢＴプロシージャを実施するための手段と、
前記共有スペクトルへのアクセスを求める競合に勝つと、前記選択されたＬＢＴ優先度クラスよりも低いＬＢＴ優先度クラスに関連する前記キューイングされたトラフィックのうちの少なくとも一部を送信するための手段と
を備える、装置。
【請求項８９】
ワイヤレス通信のための装置であって、
プロセッサと、
前記プロセッサに結合されたメモリとを備え、ここにおいて、前記プロセッサが、
複数のリッスンビフォアトーク（ＬＢＴ）優先度クラスの各ＬＢＴ優先度クラスに関連するキューイングされたトラフィックの量を決定することと、
ＬＢＴプロシージャを実施するためのＬＢＴ優先度クラスを選択することと、
共有スペクトルへのアクセスを求めて競合するために、前記選択されたＬＢＴ優先度クラスに少なくとも部分的に基づいて前記ＬＢＴプロシージャを実施することと、
前記共有スペクトルへのアクセスを求める競合に勝つと、前記選択されたＬＢＴ優先度クラスよりも低いＬＢＴ優先度クラスに関連する前記キューイングされたトラフィックのうちの少なくとも一部を送信することと
を行うように構成された、装置。
【請求項９０】
複数のリッスンビフォアトーク（ＬＢＴ）優先度クラスの各ＬＢＴ優先度クラスに関連するキューイングされたトラフィックの量を決定するための命令と、
ＬＢＴプロシージャを実施するためのＬＢＴ優先度クラスを選択するための命令と、
共有スペクトルへのアクセスを求めて競合するために、前記選択されたＬＢＴ優先度クラスに少なくとも部分的に基づいて前記ＬＢＴプロシージャを実施するための命令と、
前記共有スペクトルへのアクセスを求める競合に勝つと、前記選択されたＬＢＴ優先度クラスよりも低いＬＢＴ優先度クラスに関連する前記キューイングされたトラフィックのうちの少なくとも一部を送信するための命令と
を備える、プロセッサによって実行可能な命令を記憶するためのコンピュータ可読媒体。
【発明の詳細な説明】
【技術分野】
【０００１】
関連出願の相互参照
[0001]本特許出願は、各々が本出願の譲受人に譲渡された、２０１７年３月２３日に出願された、「Techniques For Assisting Performance of Listen Before Talk Procedures and Uplink Traffic Mulitplexing at User Equipment」と題する、Ｙｅｒｒａｍａｌｌｉらによる米国特許出願第１５／４６７，３７９号、および２０１６年３月２４日に出願された、「Techniques For Assisting Performance of Listen Before Talk Procedures and Uplink Traffic Mulitplexing at User Equipment」と題する、Ｙｅｒｒａｍａｌｌｉらによる米国仮特許出願第６２／３１２，８６２号の優先権を主張する。
【０００２】
[0002]本開示は、たとえば、ワイヤレス通信システムに関し、より詳細には、ユーザ機器（ＵＥ）におけるリッスンビフォアトーク（ＬＢＴ：Listen Before Talk）プロシージャおよびアップリンクトラフィック多重化の実施を支援するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]通信のいくつかのモードは、共有スペクトル上での、または異なるスペクトル（たとえば、認可スペクトルおよび共有スペクトル）上での、基地局とＵＥとの間の通信を可能にし得る。認可スペクトルを使用するセルラーネットワークにおけるデータトラフィックの増加とともに、少なくとも一部の（some）データトラフィックの、共有スペクトルへのオフローディングは、モバイルネットワーク事業者（またはセルラー事業者）に拡張データ送信容量のための機会を与え得る。共有スペクトルはまた、認可スペクトルへのアクセスが利用不可能であるエリアにおいてサービスを提供し得る。共有スペクトル上で通信する前に、送信装置は、共有スペクトルへのアクセスを求めて競合するためにリッスンビフォアトーク（ＬＢＴ）プロシージャを実施し（perform）得る。
【発明の概要】
【０００６】
[0006]共有スペクトル中のアップリンク送信は、ネットワークアクセスデバイス（たとえば、基地局）が、アップリンク送信の一部または全部が行われる送信機会のための共有スペクトルへのアクセスを求める競合に勝つこと、あるいはＵＥが、アップリンク送信のために共有スペクトルへのアクセスを求める競合に勝つこと、あるいはアップリンク送信中に含まれるトラフィックの１つまたは複数のタイプ（たとえば、オーディオ、ビデオ、データファイル、リアルタイムまたはストリーミングデータなど）の優先度クラス、あるいは送信機会またはアップリンク送信のために実施されるべきＬＢＴプロシージャの１つまたは複数のタイプなど、様々なファクタおよびパラメータに依存し得る。本開示は、ＵＥのＬＢＴプロシージャの実施を支援するための技法、およびＵＥのアップリンクトラフィック多重化（multiplexing）（たとえば、１つまたは複数のアップリンク送信中の１つまたは複数の優先度クラスに関連するトラフィックの送信）を支援するための技法について説明する。
【０００７】
[0007]一例では、ユーザ機器（ＵＥ）におけるワイヤレス通信のための方法が説明される。本方法は、オーバージエアで、アップリンク送信のために実施すべきＬＢＴプロシージャの少なくとも１つのタイプを示す情報を受信することと、受信された情報から、アップリンク送信のために実施すべきＬＢＴプロシージャの少なくとも１つのタイプを識別することと、共有スペクトルのために、アップリンク送信のためのＬＢＴプロシージャの少なくとも１つのタイプを実施すること（performing, for a shared spectrum, the at least one type of LBT procedure for the uplink transmission）とを含み得る。
【０００８】
[0008]本方法のいくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである（for which the shared spectrum is reserved）最大チャネル占有時間内であるかどうか、またはアップリンク送信を送信するより前に実施すべきＬＢＴプロシージャのタイプ、またはそれらの組合せのうちの少なくとも１つを示し得る。いくつかの例では、本方法は、アップリンク送信のためのアップリンク許可を受信することを含み得、アップリンク送信のために実施すべきＬＢＴプロシージャの少なくとも１つのタイプを示す情報は、アップリンク許可中で受信された少なくとも１ビットを含み得る。いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。いくつかの例では、本方法は、共通物理ダウンリンク制御チャネル（ＰＤＣＣＨ）を受信することを含み得、アップリンク送信のために実施すべきＬＢＴプロシージャの少なくとも１つのタイプを示す情報は、共通ＰＤＣＣＨ中でシグナリングされ得る。いくつかの例では、アップリンク送信のために実施すべきＬＢＴプロシージャの少なくとも１つのタイプは、ネットワークアクセスデバイスによって共有スペクトルが予約済みであり、アップリンク送信のために利用可能である最大チャネル占有時間の部分の持続時間とアップリンク送信の持続時間とに少なくとも部分的に基づいて識別され得る。
【０００９】
[0009]いくつかの例では、本方法は、共有スペクトルへのアクセスを求めて競合するためにＬＢＴプロシージャを実施するとき、ネットワークアクセスデバイスによって使用される第１のＬＢＴ優先度クラス、またはネットワークアクセスデバイスによる共有スペクトルへのアクセスを求める競合が不成功であったとき、アップリンク送信のためにＬＢＴプロシージャのあるタイプ（a type of LBT procedure for the uplink transmission）を実施するために使用されるべき第２のＬＢＴ優先度クラス、またはそれらの組合せを含む少なくとも１つのＬＢＴ優先度クラスの少なくとも１つの指示を受信することを含み得る。いくつかの例では、第１のＬＢＴ優先度クラスは、ネットワークアクセスデバイスが、アップリンク送信がスケジュールされた共有スペクトルの少なくとも第１のキャリア、またはアップリンク送信をクロスキャリアスケジュールするために使用される共有スペクトルの少なくとも第２のキャリアへのアクセスを求めて競合するためにＬＢＴプロシージャを実施することに関連し得る。いくつかの例では、本方法は、アップリンク送信のためのアップリンク許可を受信することを含み得、少なくとも１つのＬＢＴ優先度クラスの少なくとも１つの指示は、アップリンク許可中で受信され得る。いくつかの例では、アップリンク許可は、アップリンク送信のために実施すべきＬＢＴプロシージャの少なくとも１つのタイプを示す情報をさらに含み得る。いくつかの例では、本方法は、ネットワークアクセスデバイスが共有スペクトルへのアクセスを求める競合に成功したかどうかを決定することと、ネットワークアクセスデバイスが共有スペクトルへのアクセスを求める競合に成功したかどうかを決定することに少なくとも部分的に基づく、第１のＬＢＴ優先度クラスまたは第２のＬＢＴ優先度クラスに少なくとも部分的に基づいて、アップリンク送信のためにＬＢＴプロシージャを実施すべきかどうかを決定することとを含み得る。いくつかの例では、本方法は、アップリンク送信のためにＬＢＴプロシージャを実施するための少なくとも１つのＬＢＴ優先度クラス中のＬＢＴ優先度クラスを識別することと、識別されたＬＢＴ優先度クラスに少なくとも部分的に基づいてアップリンク送信中の送信のためのデータを選択することと、アップリンク送信中に、選択されたデータを送信することとを含み得る。
【００１０】
[0010]いくつかの例では、本方法は、少なくとも１つのＬＢＴ優先度クラスのために使用すべき競合ウィンドウサイズの少なくとも１つの指示を受信することと、共有スペクトルのためにＬＢＴプロシージャ（a LBT procedure for the shared spectrum）を実施するためのＬＢＴ優先度クラスを選択することと、選択されたＬＢＴ優先度クラスに対応する競合ウィンドウサイズの指示に少なくとも部分的に基づいて、ＬＢＴプロシージャのための競合ウィンドウをサイズ決定することとを含み得る。いくつかの例では、少なくとも１つのＬＢＴ優先度クラスのために使用すべき競合ウィンドウサイズの少なくとも１つの指示は、少なくとも１つのＬＢＴ優先度クラスの各ＬＢＴ優先度クラスのための競合ウィンドウサイズの比を含み得る。いくつかの例では、競合ウィンドウサイズの各比は、ＬＢＴ優先度クラスのための競合ウィンドウサイズとデフォルト競合ウィンドウサイズとの比を含み得る。いくつかの例では、本方法は、アップリンク送信のためのアップリンク許可を受信することを含み得、少なくとも１つのＬＢＴ優先度クラスのために使用すべき競合ウィンドウサイズの少なくとも１つの指示は、アップリンク許可中で受信され得る。
【００１１】
[0011]本方法のいくつかの例では、アップリンク送信のために実施すべきＬＢＴプロシージャの少なくとも１つのタイプを示す情報は、アップリンク送信のために実施すべきマルチキャリアＬＢＴプロシージャのタイプの指示を含み得る。いくつかの例では、実施すべきマルチキャリアＬＢＴプロシージャのタイプは、共有スペクトル中のＵＥ選択１次キャリアのために実施されるＬＢＴプロシージャのタイプ、または共有スペクトル中の物理アップリンク制御チャネル（ＰＵＣＣＨ）キャリアのために実施されるＬＢＴプロシージャのタイプ、または共有スペクトル中のＵＥ選択キャリアのために実施されるＬＢＴプロシージャのタイプ、または共有スペクトル中のネットワークアクセスデバイス選択キャリアのために実施されるＬＢＴプロシージャのタイプ、または共有スペクトル中の複数のキャリア（multiple carriers）のために実施されるＬＢＴプロシージャのタイプを含み得る。いくつかの例では、実施すべきマルチキャリアＬＢＴプロシージャのタイプの指示は、無線リソース制御（ＲＲＣ）シグナリング中で受信され得る。
【００１２】
[0012]一例では、ＵＥにおけるワイヤレス通信のための装置が説明される。本装置は、オーバージエアで、アップリンク送信のために実施すべきＬＢＴプロシージャの少なくとも１つのタイプを示す情報を受信するための手段と、受信された情報から、アップリンク送信のために実施すべきＬＢＴプロシージャの少なくとも１つのタイプを識別するための手段と、共有スペクトルのために、アップリンク送信のためのＬＢＴプロシージャの少なくとも１つのタイプを実施するための手段とを含み得る。
【００１３】
[0013]本装置のいくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。いくつかの例では、本装置は、アップリンク送信のためのアップリンク許可を受信するための手段を含み得、アップリンク送信のために実施すべきＬＢＴプロシージャの少なくとも１つのタイプを示す情報は、アップリンク許可中で受信された少なくとも１ビットを含み得る。いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。いくつかの例では、本装置は、共通ＰＤＣＣＨを受信するための手段を含み得、アップリンク送信のために実施すべきＬＢＴプロシージャの少なくとも１つのタイプを示す情報は、共通ＰＤＣＣＨ中でシグナリングされ得る。いくつかの例では、アップリンク送信のために実施すべきＬＢＴプロシージャの少なくとも１つのタイプは、ネットワークアクセスデバイスによって共有スペクトルが予約済みであり、アップリンク送信のために利用可能である最大チャネル占有時間の部分の持続時間とアップリンク送信の持続時間とに少なくとも部分的に基づいて識別され得る。
【００１４】
[0014]いくつかの例では、本装置は、共有スペクトルへのアクセスを求めて競合するためにＬＢＴプロシージャを実施するとき、ネットワークアクセスデバイスによって使用される第１のＬＢＴ優先度クラス、またはネットワークアクセスデバイスによる共有スペクトルへのアクセスを求める競合が不成功であったとき、アップリンク送信のためにＬＢＴプロシージャのあるタイプを実施するために使用されるべき第２のＬＢＴ優先度クラス、またはそれらの組合せを含む少なくとも１つのＬＢＴ優先度クラスの少なくとも１つの指示を受信するための手段を含み得る。いくつかの例では、第１のＬＢＴ優先度クラスは、ネットワークアクセスデバイスが、アップリンク送信がスケジュールされた共有スペクトルの少なくとも第１のキャリア、またはアップリンク送信をクロスキャリアスケジュールするために使用される共有スペクトルの少なくとも第２のキャリアへのアクセスを求めて競合するためにＬＢＴプロシージャを実施することに関連し得る。いくつかの例では、本装置は、アップリンク送信のためのアップリンク許可を受信するための手段を含み得、少なくとも１つのＬＢＴ優先度クラスの少なくとも１つの指示は、アップリンク許可中で受信され得る。いくつかの例では、アップリンク許可は、アップリンク送信のために実施すべきＬＢＴプロシージャの少なくとも１つのタイプを示す情報をさらに含み得る。いくつかの例では、本装置は、ネットワークアクセスデバイスが共有スペクトルへのアクセスを求める競合に成功したかどうかを決定するための手段と、ネットワークアクセスデバイスが共有スペクトルへのアクセスを求める競合に成功したかどうかを決定することに少なくとも部分的に基づく、第１のＬＢＴ優先度クラスまたは第２のＬＢＴ優先度クラスに少なくとも部分的に基づいて、アップリンク送信のためにＬＢＴプロシージャを実施すべきかどうかを決定するための手段とを含み得る。いくつかの例では、本装置は、アップリンク送信のためにＬＢＴプロシージャを実施するための少なくとも１つのＬＢＴ優先度クラス中のＬＢＴ優先度クラスを識別するための手段と、識別されたＬＢＴ優先度クラスに少なくとも部分的に基づいてアップリンク送信中の送信のためのデータを選択するための手段と、アップリンク送信中に、選択されたデータを送信するための手段とを含み得る。
【００１５】
[0015]いくつかの例では、本装置は、少なくとも１つのＬＢＴ優先度クラスのために使用すべき競合ウィンドウサイズの少なくとも１つの指示を受信するための手段と、共有スペクトルのためにＬＢＴプロシージャを実施するためのＬＢＴ優先度クラスを選択するための手段と、選択されたＬＢＴ優先度クラスに対応する競合ウィンドウサイズの指示に少なくとも部分的に基づいて、ＬＢＴプロシージャのための競合ウィンドウをサイズ決定するための手段とを含み得る。いくつかの例では、少なくとも１つのＬＢＴ優先度クラスのために使用すべき競合ウィンドウサイズの少なくとも１つの指示は、少なくとも１つのＬＢＴ優先度クラスの各ＬＢＴ優先度クラスのための競合ウィンドウサイズの比を含み得る。いくつかの例では、競合ウィンドウサイズの各比は、ＬＢＴ優先度クラスのための競合ウィンドウサイズとデフォルト競合ウィンドウサイズとの比を含み得る。いくつかの例では、本装置は、アップリンク送信のためのアップリンク許可を受信するための手段を含み得、少なくとも１つのＬＢＴ優先度クラスのために使用すべき競合ウィンドウサイズの少なくとも１つの指示は、アップリンク許可中で受信され得る。
【００１６】
[0016]いくつかの例では、アップリンク送信のために実施すべきＬＢＴプロシージャの少なくとも１つのタイプを示す情報は、アップリンク送信のために実施すべきマルチキャリアＬＢＴプロシージャのタイプの指示を含み得る。いくつかの例では、実施すべきマルチキャリアＬＢＴプロシージャのタイプは、共有スペクトル中のＵＥ選択１次キャリアのために実施されるＬＢＴプロシージャのタイプ、または共有スペクトル中のＰＵＣＣＨキャリアのために実施されるＬＢＴプロシージャのタイプ、または共有スペクトル中のＵＥ選択キャリアのために実施されるＬＢＴプロシージャのタイプ、または共有スペクトル中のネットワークアクセスデバイス選択キャリアのために実施されるＬＢＴプロシージャのタイプ、または共有スペクトル中の複数のキャリアのために実施されるＬＢＴプロシージャのタイプを含み得る。いくつかの例では、実施すべきマルチキャリアＬＢＴプロシージャのタイプの指示は、ＲＲＣシグナリング中で受信され得る。
【００１７】
[0017]一例では、ＵＥにおけるワイヤレス通信のための別の装置が説明される。本装置は、プロセッサと、プロセッサに結合されたメモリとを含み得る。プロセッサは、オーバージエアで、アップリンク送信のために実施すべきＬＢＴプロシージャの少なくとも１つのタイプを示す情報を受信することと、受信された情報から、アップリンク送信のために実施すべきＬＢＴプロシージャの少なくとも１つのタイプを識別することと、共有スペクトルのために、アップリンク送信のためのＬＢＴプロシージャの少なくとも１つのタイプを実施することとを行うように構成され得る。
【００１８】
[0018]一例では、ＵＥのプロセッサによって実行可能な命令を記憶するためのコンピュータ可読媒体が説明される。命令は、オーバージエアで、アップリンク送信のために実施すべきＬＢＴプロシージャの少なくとも１つのタイプを示す情報を受信するための命令と、受信された情報から、アップリンク送信のために実施すべきＬＢＴプロシージャの少なくとも１つのタイプを識別するための命令と、共有スペクトルのために、アップリンク送信のためのＬＢＴプロシージャの少なくとも１つのタイプを実施するための命令とを含み得る。
【００１９】
[0019]一例では、ネットワークアクセスデバイスにおけるワイヤレス通信のための方法が説明される。本方法は、共有スペクトル中でＵＥのアップリンク送信をスケジュールすることと、オーバージエアで、アップリンク送信のために実施すべきＬＢＴプロシージャの少なくとも１つのタイプを示す情報を送信することとを含み得る。
【００２０】
[0020]本方法のいくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。いくつかの例では、本方法は、ＵＥにアップリンク送信のためのアップリンク許可を送信することを含み得、アップリンク送信のために実施すべきＬＢＴプロシージャの少なくとも１つのタイプを示す情報は、アップリンク許可中の少なくとも１ビットを含み得る。いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。いくつかの例では、本方法は、共通ＰＤＣＣＨを送信することと、共通ＰＤＣＣＨ中で、アップリンク送信のために実施すべきＬＢＴプロシージャの少なくとも１つのタイプを示す情報をシグナリングすることとを含み得る。いくつかの例では、本方法は、共有スペクトルへのアクセスを求めて競合するためにＬＢＴプロシージャを実施するとき、ネットワークアクセスデバイスによって使用される第１のＬＢＴ優先度クラス、またはネットワークアクセスデバイスによる共有スペクトルへのアクセスを求める競合が不成功であったとき、アップリンク送信のためにＬＢＴプロシージャのあるタイプを実施するためにＵＥによって使用されるべき第２のＬＢＴ優先度クラス、またはそれらの組合せを含む少なくとも１つのＬＢＴ優先度クラスの少なくとも１つの指示を送信することを含み得る。いくつかの例では、第１のＬＢＴ優先度クラスは、ネットワークアクセスデバイスが、アップリンク送信がスケジュールされた共有スペクトルの少なくとも第１のキャリア、またはアップリンク送信をクロスキャリアスケジュールするために使用される共有スペクトルの少なくとも第２のキャリアへのアクセスを求めて競合するためにＬＢＴプロシージャを実施することに関連し得る。いくつかの例では、本方法は、ＵＥにアップリンク送信のためのアップリンク許可を送信することを含み得、少なくとも１つのＬＢＴ優先度クラスの少なくとも１つの指示は、アップリンク許可中で送信され得る。いくつかの例では、アップリンク許可は、アップリンク送信のために実施すべきＬＢＴプロシージャの少なくとも１つのタイプを示す情報をさらに含み得る。
【００２１】
[0021]いくつかの例では、本方法は、少なくとも１つのＬＢＴ優先度クラスのために使用すべき競合ウィンドウサイズの少なくとも１つの指示を送信することを含み得る。いくつかの例では、少なくとも１つのＬＢＴ優先度クラスのために使用すべき競合ウィンドウサイズの少なくとも１つの指示は、少なくとも１つのＬＢＴ優先度クラスの各ＬＢＴ優先度クラスのための競合ウィンドウサイズの比を含み得る。いくつかの例では、競合ウィンドウサイズの各比は、ＬＢＴ優先度クラスのための競合ウィンドウサイズとデフォルト競合ウィンドウサイズとの比を含み得る。いくつかの例では、本方法は、アップリンク送信のためのアップリンク許可を送信することを含み得、少なくとも１つのＬＢＴ優先度クラスのために使用すべき競合ウィンドウサイズの少なくとも１つの指示は、アップリンク許可中でシグナリングされ得る。いくつかの例では、本方法は、アップリンク送信の受信を検出することと、アップリンク送信のための巡回冗長検査（ＣＲＣ）を復号することに失敗することと、アップリンク送信のためのＣＲＣを復号することに失敗することに少なくとも部分的に基づいて、共有スペクトルへのアクセスを求めて競合するために次のＬＢＴプロシージャのための競合ウィンドウサイズを更新することとを含み得る。いくつかの例では、アップリンク送信は、複数送信時間間隔（multiple-transmission time interval）（ＴＴＩ：transmission time interval）アップリンク送信を含み得、本方法は、複数ＴＴＩアップリンク送信のための複数ＴＴＩアップリンク許可を送信することと、複数ＴＴＩアップリンク送信の少なくとも１つのＴＴＩ中に複数ＴＴＩアップリンク送信の受信を検出することと、複数ＴＴＩアップリンク送信の少なくとも１つのＴＴＩ中に複数ＴＴＩアップリンク送信の受信を検出することに少なくとも部分的に基づいて、共有スペクトルへのアクセスを求めて競合するために次のＬＢＴプロシージャのための競合ウィンドウサイズを更新することを控えることとをさらに含み得る。いくつかの例では、次のＬＢＴプロシージャのための競合ウィンドウサイズを更新することを控えることは、複数ＴＴＩアップリンク送信の複数のＴＴＩ中に共有スペクトル上のＬＢＴギャップを検出しないことにさらに少なくとも部分的に基づき得る。
【００２２】
[0022]いくつかの例では、本方法は、アップリンク送信のために実施すべきマルチキャリアＬＢＴプロシージャのタイプの指示を送信することを含み得る。いくつかの例では、実施すべきマルチキャリアＬＢＴプロシージャのタイプは、共有スペクトル中のＵＥ選択１次キャリアのために実施されるＬＢＴプロシージャのタイプ、または共有スペクトル中のＰＵＣＣＨキャリアのために実施されるＬＢＴプロシージャのタイプ、または共有スペクトル中のＵＥ選択キャリアのために実施されるＬＢＴプロシージャのタイプ、または共有スペクトル中のネットワークアクセスデバイス選択キャリアのために実施されるＬＢＴプロシージャのタイプ、または共有スペクトル中の複数のキャリアのために実施されるＬＢＴプロシージャのタイプを含み得る。いくつかの例では、実施すべきマルチキャリアＬＢＴプロシージャのタイプの指示は、無線リソース制御（ＲＲＣ）シグナリング中で送信される。
【００２３】
[0023]一例では、ネットワークアクセスデバイスにおけるワイヤレス通信のための装置が説明される。本装置は、共有スペクトル中でＵＥのアップリンク送信をスケジュールするための手段と、オーバージエアで、アップリンク送信のために実施すべきＬＢＴプロシージャの少なくとも１つのタイプを示す情報を送信するための手段とを含み得る。
【００２４】
[0024]本装置のいくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。いくつかの例では、本装置は、ＵＥにアップリンク送信のためのアップリンク許可を送信するための手段を含み得、アップリンク送信のために実施すべきＬＢＴプロシージャの少なくとも１つのタイプを示す情報は、アップリンク許可中の少なくとも１ビットを含み得る。いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。いくつかの例では、本装置は、共通ＰＤＣＣＨを送信するための手段と、共通ＰＤＣＣＨ中で、アップリンク送信のために実施すべきＬＢＴプロシージャの少なくとも１つのタイプを示す情報をシグナリングするための手段とを含み得る。いくつかの例では、本装置は、共有スペクトルへのアクセスを求めて競合するためにＬＢＴプロシージャを実施するとき、ネットワークアクセスデバイスによって使用される第１のＬＢＴ優先度クラス、またはネットワークアクセスデバイスによる共有スペクトルへのアクセスを求める競合が不成功であったとき、アップリンク送信のためにＬＢＴプロシージャのあるタイプを実施するためにＵＥによって使用されるべき第２のＬＢＴ優先度クラス、またはそれらの組合せを含む少なくとも１つのＬＢＴ優先度クラスの少なくとも１つの指示を送信するための手段を含み得る。いくつかの例では、第１のＬＢＴ優先度クラスは、ネットワークアクセスデバイスが、アップリンク送信がスケジュールされた共有スペクトルの少なくとも第１のキャリア、またはアップリンク送信をクロスキャリアスケジュールするために使用される共有スペクトルの少なくとも第２のキャリアへのアクセスを求めて競合するためにＬＢＴプロシージャを実施することに関連し得る。いくつかの例では、本装置は、ＵＥにアップリンク送信のためのアップリンク許可を送信するための手段を含み得、少なくとも１つのＬＢＴ優先度クラスの少なくとも１つの指示は、アップリンク許可中で送信され得る。いくつかの例では、アップリンク許可は、アップリンク送信のために実施すべきＬＢＴプロシージャの少なくとも１つのタイプを示す情報をさらに含み得る。
【００２５】
[0025]いくつかの例では、本装置は、少なくとも１つのＬＢＴ優先度クラスのために使用すべき競合ウィンドウサイズの少なくとも１つの指示を送信することを含み得る。いくつかの例では、少なくとも１つのＬＢＴ優先度クラスのために使用すべき競合ウィンドウサイズの少なくとも１つの指示は、少なくとも１つのＬＢＴ優先度クラスの各ＬＢＴ優先度クラスのための競合ウィンドウサイズの比を含み得る。いくつかの例では、競合ウィンドウサイズの各比は、ＬＢＴ優先度クラスのための競合ウィンドウサイズとデフォルト競合ウィンドウサイズとの比を含み得る。いくつかの例では、本方法は、アップリンク送信のためのアップリンク許可を送信するための手段を含み得、少なくとも１つのＬＢＴ優先度クラスのために使用すべき競合ウィンドウサイズの少なくとも１つの指示は、アップリンク許可中でシグナリングされ得る。
【００２６】
[0026]いくつかの例では、本装置は、アップリンク送信の受信を検出するための手段と、アップリンク送信のためのＣＲＣを復号することに失敗するための手段と、アップリンク送信のためのＣＲＣを復号することに失敗することに少なくとも部分的に基づいて、共有スペクトルへのアクセスを求めて競合するために次のＬＢＴプロシージャのための競合ウィンドウサイズを更新するための手段とを含み得る。いくつかの例では、アップリンク送信は、複数ＴＴＩアップリンク送信を含み得、本装置は、複数ＴＴＩアップリンク送信のための複数ＴＴＩアップリンク許可を送信するための手段と、複数ＴＴＩアップリンク送信の少なくとも１つのＴＴＩ中に複数ＴＴＩアップリンク送信の受信を検出するための手段と、複数ＴＴＩアップリンク送信の少なくとも１つのＴＴＩ中に複数ＴＴＩアップリンク送信の受信を検出することに少なくとも部分的に基づいて、共有スペクトルへのアクセスを求めて競合するために次のＬＢＴプロシージャのための競合ウィンドウサイズを更新することを控えるための手段とをさらに含み得る。いくつかの例では、次のＬＢＴプロシージャのための競合ウィンドウサイズを更新することを控えることは、複数ＴＴＩアップリンク送信の複数のＴＴＩ中に共有スペクトル上のＬＢＴギャップを検出しないことにさらに少なくとも部分的に基づき得る。
【００２７】
[0027]いくつかの例では、本装置は、アップリンク送信のために実施すべきマルチキャリアＬＢＴプロシージャのタイプの指示を送信するための手段を含み得る。いくつかの例では、実施すべきマルチキャリアＬＢＴプロシージャのタイプは、共有スペクトル中のＵＥ選択１次キャリアのために実施されるＬＢＴプロシージャのタイプ、または共有スペクトル中のＰＵＣＣＨキャリアのために実施されるＬＢＴプロシージャのタイプ、または共有スペクトル中のＵＥ選択キャリアのために実施されるＬＢＴプロシージャのタイプ、または共有スペクトル中のネットワークアクセスデバイス選択キャリアのために実施されるＬＢＴプロシージャのタイプ、または共有スペクトル中の複数のキャリアのために実施されるＬＢＴプロシージャのタイプを含み得る。いくつかの例では、実施すべきマルチキャリアＬＢＴプロシージャのタイプの指示は、ＲＲＣシグナリング中で送信され得る。
【００２８】
[0028]一例では、ネットワークアクセスデバイスにおけるワイヤレス通信のための別の装置が説明される。本装置は、プロセッサと、プロセッサに結合されたメモリとを含み得る。プロセッサは、共有スペクトル中でＵＥのアップリンク送信をスケジュールすることと、オーバージエアで、アップリンク送信のために実施すべきＬＢＴプロシージャの少なくとも１つのタイプを示す情報を送信することとを行うように構成され得る。
【００２９】
[0029]一例では、ネットワークアクセスデバイスのプロセッサによって実行可能な命令を記憶するためのコンピュータ可読媒体が説明される。命令は、共有スペクトル中でＵＥのアップリンク送信をスケジュールするための命令と、オーバージエアで、アップリンク送信のために実施すべきＬＢＴプロシージャの少なくとも１つのタイプを示す情報を送信するための命令とを含み得る。
【００３０】
[0030]一例では、ネットワークアクセスデバイスにおけるワイヤレス通信のための別の方法が説明される。本方法は、ＵＥに関連するバッファステータス報告（ＢＳＲ）に少なくとも部分的に基づいて、複数のＬＢＴ優先度クラスの各ＬＢＴ優先度クラスに関連するＵＥのアップリンクトラフィックの量を決定することと、各ＬＢＴ優先度クラスに関連するＵＥのアップリンクトラフィックの決定された量に少なくとも部分的に基づいて、ＬＢＴプロシージャを実施するためのＬＢＴ優先度クラスを選択することと、選択されたＬＢＴ優先度クラスに少なくとも部分的に基づいてＬＢＴプロシージャを実施することによって、共有スペクトルへのアクセスを求めて競合することとを含み得る。
【００３１】
[0031]いくつかの例では、本方法は、ＵＥのために、複数のＬＢＴ優先度クラスの各ＬＢＴ優先度クラスに関連するダウンリンクトラフィックの量を決定することを含み得る。これらの例では、ＬＢＴプロシージャを実施するためのＬＢＴ優先度クラスは、各ＬＢＴ優先度クラスに関連するダウンリンクトラフィックの決定された量に少なくとも部分的に基づいてさらに選択され得る。
【００３２】
[0032]一例では、ネットワークアクセスデバイスにおけるワイヤレス通信のための別の装置が説明される。本装置は、ＵＥに関連するＢＳＲに少なくとも部分的に基づいて、複数のＬＢＴ優先度クラスの各ＬＢＴ優先度クラスに関連するＵＥのアップリンクトラフィックの量を決定するための手段と、各ＬＢＴ優先度クラスに関連するＵＥのアップリンクトラフィックの決定された量に少なくとも部分的に基づいて、ＬＢＴプロシージャを実施するためのＬＢＴ優先度クラスを選択するための手段と、選択されたＬＢＴ優先度クラスに少なくとも部分的に基づいてＬＢＴプロシージャを実施することによって、共有スペクトルへのアクセスを求めて競合するための手段とを含み得る。
【００３３】
[0033]いくつかの例では、本装置は、ＵＥのために、複数のＬＢＴ優先度クラスの各ＬＢＴ優先度クラスに関連するダウンリンクトラフィックの量を決定するための手段を含み得る。これらの例では、ＬＢＴプロシージャを実施するためのＬＢＴ優先度クラスは、各ＬＢＴ優先度クラスに関連するダウンリンクトラフィックの決定された量に少なくとも部分的に基づいてさらに選択され得る。
【００３４】
[0034]一例では、ネットワークアクセスデバイスにおけるワイヤレス通信のための別の装置が説明される。本装置は、プロセッサと、プロセッサに結合されたメモリとを含み得る。プロセッサは、ＵＥに関連するＢＳＲに少なくとも部分的に基づいて、複数のＬＢＴ優先度クラスの各ＬＢＴ優先度クラスに関連するＵＥのアップリンクトラフィックの量を決定することと、各ＬＢＴ優先度クラスに関連するＵＥのアップリンクトラフィックの決定された量に少なくとも部分的に基づいて、ＬＢＴプロシージャを実施するためのＬＢＴ優先度クラスを選択することと、選択されたＬＢＴ優先度クラスに少なくとも部分的に基づいてＬＢＴプロシージャを実施することによって、共有スペクトルへのアクセスを求めて競合することとを行うように構成され得る。
【００３５】
[0035]一例では、ネットワークアクセスデバイスのプロセッサによって実行可能な命令を記憶するための別のコンピュータ可読媒体が説明される。命令は、ＵＥに関連するＢＳＲに少なくとも部分的に基づいて、複数のＬＢＴ優先度クラスの各ＬＢＴ優先度クラスに関連するＵＥのアップリンクトラフィックの量を決定するための命令と、各ＬＢＴ優先度クラスに関連するＵＥのアップリンクトラフィックの決定された量に少なくとも部分的に基づいて、ＬＢＴプロシージャを実施するためのＬＢＴ優先度クラスを選択するための命令と、選択されたＬＢＴ優先度クラスに少なくとも部分的に基づいてＬＢＴプロシージャを実施することによって、共有スペクトルへのアクセスを求めて競合するための命令とを含み得る。
【００３６】
[0036]一例では、ワイヤレス通信のための方法が説明される。本方法は、複数のＬＢＴ優先度クラスの各ＬＢＴ優先度クラスに関連するキューイングされたトラフィックの量を決定することと、ＬＢＴプロシージャを実施するためのＬＢＴ優先度クラスを選択することと、共有スペクトルへのアクセスを求めて競合するために、選択されたＬＢＴ優先度クラスに少なくとも部分的に基づいてＬＢＴプロシージャを実施することと、共有スペクトルへのアクセスを求める競合に勝つと、選択されたＬＢＴ優先度クラスよりも低いＬＢＴ優先度クラスに関連するキューイングされたトラフィックのうちの少なくとも一部（some）を送信することとを含み得る。
【００３７】
[0037]一例では、ワイヤレス通信のための装置が説明される。本装置は、複数のＬＢＴ優先度クラスの各ＬＢＴ優先度クラスに関連するキューイングされたトラフィックの量を決定するための手段と、ＬＢＴプロシージャを実施するためのＬＢＴ優先度クラスを選択するための手段と、共有スペクトルへのアクセスを求めて競合するために、選択されたＬＢＴ優先度クラスに少なくとも部分的に基づいてＬＢＴプロシージャを実施するための手段と、共有スペクトルへのアクセスを求める競合に勝つと、選択されたＬＢＴ優先度クラスよりも低いＬＢＴ優先度クラスに関連するキューイングされたトラフィックのうちの少なくとも一部を送信するための手段とを含み得る。
【００３８】
[0038]一例では、ワイヤレス通信のための別の装置が説明される。本装置は、プロセッサと、プロセッサに結合されたメモリとを含み得る。プロセッサは、複数のＬＢＴ優先度クラスの各ＬＢＴ優先度クラスに関連するキューイングされたトラフィックの量を決定することと、ＬＢＴプロシージャを実施するためのＬＢＴ優先度クラスを選択することと、共有スペクトルへのアクセスを求めて競合するために、選択されたＬＢＴ優先度クラスに少なくとも部分的に基づいてＬＢＴプロシージャを実施することと、共有スペクトルへのアクセスを求める競合に勝つと、選択されたＬＢＴ優先度クラスよりも低いＬＢＴ優先度クラスに関連するキューイングされたトラフィックのうちの少なくとも一部を送信することとを行うように構成され得る。
【００３９】
[0039]一例では、プロセッサによって実行可能な命令を記憶するためのコンピュータ可読媒体が説明される。命令は、複数のＬＢＴ優先度クラスの各ＬＢＴ優先度クラスに関連するキューイングされたトラフィックの量を決定するための命令と、ＬＢＴプロシージャを実施するためのＬＢＴ優先度クラスを選択するための命令と、共有スペクトルへのアクセスを求めて競合するために、選択されたＬＢＴ優先度クラスに少なくとも部分的に基づいてＬＢＴプロシージャを実施するための命令と、共有スペクトルへのアクセスを求める競合に勝つと、選択されたＬＢＴ優先度クラスよりも低いＬＢＴ優先度クラスに関連するキューイングされたトラフィックのうちの少なくとも一部を送信するための命令とを含み得る。
【００４０】
[0040]上記は、以下の発明を実施するための形態がより良く理解され得るように、本開示による例の技法および技術的利点についてやや広く概説した。追加の技法および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関して以下の説明を検討するとより良く理解されよう。図の各々は、例示および説明の目的で与えられるものであり、特許請求の範囲の制限の定義として与えられるものではない。
【００４１】
[0041]本発明の性質および利点のさらなる理解は、以下の図面を参照して実現され得る。添付の図において、同様の構成要素または機能は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００４２】
【図１】[0042]本開示の様々な態様による、ワイヤレス通信システムの一例を示す図。
【図２】[0043]本開示の様々な態様による、ＬＴＥ（登録商標）／ＬＴＥ−Ａが、共有スペクトルを使用して異なるシナリオの下で展開され得るワイヤレス通信システムを示す図。
【図３】[0044]本開示の様々な態様による、基地局といくつかのＵＥとの間のワイヤレス通信のタイムラインを示す図。
【図４】[0045]本開示の様々な態様による、基地局といくつかのＵＥとの間のワイヤレス通信のタイムラインを示す図。
【図５】[0046]本開示の様々な態様による、基地局といくつかのＵＥとの間のワイヤレス通信のタイムラインを示す図。
【図６】[0047]本開示の様々な態様による、ワイヤレス通信において使用するための装置のブロック図。
【図７】[0048]本開示の様々な態様による、ワイヤレス通信において使用するための装置のブロック図。
【図８】[0049]本開示の様々な態様による、ワイヤレス通信において使用するための装置のブロック図。
【図９】[0050]本開示の様々な態様による、ワイヤレス通信において使用するための装置のブロック図。
【図１０】[0051]本開示の様々な態様による、ワイヤレス通信において使用するための装置のブロック図。
【図１１】[0052]本開示の様々な態様による、ワイヤレス通信において使用するためのＵＥのブロック図。
【図１２】[0053]本開示の様々な態様による、ワイヤレス通信において使用するための基地局のブロック図。
【図１３】[0054]本開示の様々な態様による、ＵＥにおけるワイヤレス通信のための方法の一例を示すフローチャート。
【図１４】[0055]本開示の様々な態様による、ＵＥにおけるワイヤレス通信のための方法の一例を示すフローチャート。
【図１５】[0056]本開示の様々な態様による、ＵＥにおけるワイヤレス通信のための方法の一例を示すフローチャート。
【図１６】[0057]本開示の様々な態様による、ＵＥにおけるワイヤレス通信のための方法の一例を示すフローチャート。
【図１７】[0058]本開示の様々な態様による、ネットワークアクセスデバイスにおけるワイヤレス通信のための方法の一例を示すフローチャート。
【図１８】[0059]本開示の様々な態様による、ネットワークアクセスデバイスにおけるワイヤレス通信のための方法の一例を示すフローチャート。
【図１９】[0060]本開示の様々な態様による、ネットワークアクセスデバイスにおけるワイヤレス通信のための方法の一例を示すフローチャート。
【図２０】[0061]本開示の様々な態様による、ネットワークアクセスデバイスにおけるワイヤレス通信のための方法の一例を示すフローチャート。
【図２１】[0062]本開示の様々な態様による、ネットワークアクセスデバイスにおけるワイヤレス通信のための方法の一例を示すフローチャート。
【図２２】[0063]本開示の様々な態様による、ネットワークアクセスデバイスにおけるワイヤレス通信のための方法の一例を示すフローチャート。
【図２３】[0064]本開示の様々な態様による、ネットワークアクセスデバイスにおけるワイヤレス通信のための方法の一例を示すフローチャート。
【図２４】[0065]本開示の様々な態様による、ワイヤレス通信デバイスにおけるワイヤレス通信のための方法の一例を示すフローチャート。
【発明を実施するための形態】
【００４３】
[0066]共有スペクトルがワイヤレス通信システムにおける通信の少なくとも一部分のために使用される技法が説明される。いくつかの例では、共有スペクトルは、ロングタームエボリューション（ＬＴＥ）またはＬＴＥアドバンスト（ＬＴＥ−Ａ）通信のために使用され得る。共有スペクトルは、認可スペクトルと組み合わせて、またはそれとは無関係に使用され得る。認可スペクトルは、特定の使用のために特定のユーザに対して認可を与えられた無線周波数スペクトルを含み得る。共有スペクトルは、無認可スペクトル、Ｗｉ−Ｆｉ（登録商標）使用のために利用可能な無線周波数スペクトル、異なる無線アクセス技術による使用のために利用可能な無線周波数スペクトル、あるいは等しく共有されるかまたは優先度を付けられた様式で複数のモバイルネットワーク事業者（ＭＮＯ）による使用のために利用可能な無線周波数スペクトルを含み得る。
【００４４】
[0067]認可スペクトルを使用するセルラーネットワークにおけるデータトラフィックの増加とともに、少なくとも一部のデータトラフィックの、共有スペクトルへのオフローディングは、セルラー事業者（たとえば、パブリックランドモバイルネットワーク（ＰＬＭＮ）またはＬＴＥ／ＬＴＥ−Ａネットワークなどのセルラーネットワークを画定する基地局の協調セットの事業者）に拡張データ送信容量のための機会を与え得る。共有スペクトルの使用はまた、認可スペクトルへのアクセスが利用不可能であるエリアにおいてサービスを提供し得る。共有スペクトル帯域上で通信する前に、送信装置は、共有スペクトルへのアクセスを求めて競合するためにＬＢＴプロシージャを実施し得る。そのようなＬＢＴプロシージャは、共有スペクトルのチャネルが利用可能であるかどうかを決定するために、クリアチャネルアセスメント（ＣＣＡ）プロシージャ（または拡張ＣＣＡプロシージャ）を実施することを含み得る。共有スペクトルのチャネルが利用可能であると決定されたとき、チャネル予約信号（たとえば、チャネル使用ビーコン信号（ＣＵＢＳ：CHANNEL USAGE BEACON SIGNAL））が、チャネルを予約するために送信され得る。チャネルが利用可能でないと決定されたとき、そのチャネルのためのＣＣＡプロシージャ（または拡張ＣＣＡプロシージャ）が、後で再び実施され得る。
【００４５】
[0068]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実施され得、様々なステップが追加、省略、または組み合わせられ得る。また、いくつかの例に関して説明される特徴は、他の例では組み合わせられ得る。
【００４６】
[0069]図１は、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線構成およびスケジューリングを実施し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して、直接的または間接的（たとえば、コアネットワーク１３０を通して）のいずれかで、互いと通信し得る。
【００４７】
[0070]基地局１０５は、１つまたは複数の基地局を介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００４８】
[0071]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００４９】
[0072]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる（たとえば、認可、共有などの）無線周波数スペクトル帯域内で動作し得る低電力基地局であり得る。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）をもカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００５０】
[0073]ワイヤレス通信システム１００は同期動作または非同期動作をサポートし得る。同期動作の場合、基地局１０５は同様のフレームタイミングを有し得、異なる基地局１０５からの送信は時間的に近似的に整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかのために使用され得る。
【００５１】
[0074]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネル上で通信するためにパケットセグメンテーションおよびリアセンブリを実施し得る。媒体アクセス制御（ＭＡＣ：Medium Access Control）レイヤが、優先度処理と、トランスポートチャネルへの論理チャネルの多重化とを実施し得る。ＭＡＣレイヤはまた、リンク効率を改善するために、ＭＡＣレイヤにおける再送信を行うためにハイブリッドＡＲＱ（ＨＡＲＱ：Hybrid ARQ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と維持とを行い得る。物理（ＰＨＹ）レイヤにおいて、トランスポートチャネルは物理チャネルにマッピングされ得る。
【００５２】
[0075]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００５３】
[0076]ワイヤレス通信システム１００に示されている通信リンク１２５は、基地局１０５からＵＥ１１５へのダウンリンク（ＤＬ）、またはＵＥ１１５から基地局１０５へのアップリンク（ＵＬ）を含み得る。ダウンリンクは順方向リンクと呼ばれることもあり、アップリンクは逆方向リンクと呼ばれることもある。
【００５４】
[0077]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送信され得、制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対スペクトルリソースを使用して）、または時間領域複信（ＴＤＤ：time domain duplexing）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００５５】
[0078]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００５６】
[0079]ワイヤレス通信システム１００は、複数のセルまたはキャリア上での動作、すなわち、キャリアアグリゲーション（ＣＡ）またはデュアル接続性動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。キャリアアグリゲーションは、ＦＤＤコンポーネントキャリアとＴＤＤコンポーネントキャリアの両方とともに使用され得る。
【００５７】
[0080]ＬＴＥ／ＬＴＥ−Ａネットワークでは、ＵＥ１１５は、キャリアアグリゲーションモードまたはデュアル接続性モードで動作しているとき、最高５つのＣＣを使用して通信するように構成され得る。ＣＣのうちの１つまたは複数はＤＬ  ＣＣとして構成され得、ＣＣのうちの１つまたは複数はＵＬ  ＣＣとして構成され得る。また、ＵＥ１１５に割り振られたＣＣのうちの１つは１次ＣＣ（ＰＣＣ）として構成され得、ＵＥ１１５に割り振られた残りのＣＣは、２次ＣＣ（ＳＣＣ）として構成され得る。
【００５８】
[0081]いくつかの例では、ワイヤレス通信システム１００は、認可スペクトル（たとえば、特定の使用のために特定のユーザに対して認可を与えられた無線周波数スペクトル）、あるいは共有スペクトル（たとえば、無認可スペクトル、Ｗｉ−Ｆｉ使用のために利用可能である無線周波数スペクトル、異なる無線アクセス技術による使用のために利用可能である無線周波数スペクトル、あるいは等しく共有されるかまたは優先度を付けられた様式で複数のＭＮＯによる使用のために利用可能である無線周波数スペクトル）上での動作をサポートし得る。
【００５９】
[0082]図２は、本開示の様々な態様による、ＬＴＥ／ＬＴＥ−Ａが、共有スペクトルを使用して異なるシナリオの下で展開され得るワイヤレス通信システム２００を示す。より詳細には、図２は、ＬＴＥ／ＬＴＥ−Ａが共有スペクトルを使用して展開される、（第１の認可支援アクセス（ＬＡＡ）モードとも呼ばれる）補足ダウンリンクモードと、（第２の認可支援アクセスモードとも呼ばれる）キャリアアグリゲーションモードと、スタンドアロンモードとの例を示している。ワイヤレス通信システム２００は、図１を参照しながら説明されたワイヤレス通信システム１００の部分の一例であり得る。その上、第１の基地局２０５および第２の基地局２０５−ａは、図１を参照しながら説明された基地局１０５のうちの１つまたは複数の態様の例であり得、第１のＵＥ２１５、第２のＵＥ２１５−ａ、および第３のＵＥ２１５−ｂは、図１を参照しながら説明されたＵＥ１１５のうちの１つまたは複数の態様の例であり得る。
【００６０】
[0083]ワイヤレス通信システム２００における補足ダウンリンクモード（たとえば、第１の認可支援アクセスモード）の例では、第１の基地局２０５は、ダウンリンクチャネル２２０を使用して第１のＵＥ２１５にＯＦＤＭＡ波形を送信し得る。ダウンリンクチャネル２２０は、共有スペクトルにおける周波数Ｆ１に関連し得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、認可スペクトルにおける周波数Ｆ４と関連し得る。共有スペクトルにおけるダウンリンクチャネル２２０と認可スペクトルにおける第１の双方向リンク２２５とは同時に動作し得る。ダウンリンクチャネル２２０はダウンリンク容量オフロードを第１の基地局２０５に与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、認可スペクトルを使用し、トラフィックまたはシグナリング輻輳の一部を軽減する必要がある、任意のサービスプロバイダ（たとえば、ＭＮＯ）に関して発生し得る。
【００６１】
[0084]ワイヤレス通信システム２００におけるキャリアアグリゲーションモード（たとえば、第２の認可支援アクセスモード）の例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０は、共有スペクトルにおける周波数Ｆ１に関連し得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、認可スペクトルにおける周波数Ｆ２と関連し得る。第３の双方向リンク２３５は、第１の基地局２０５にダウンリンクおよびアップリンク容量オフロードを与え得る。上記で説明された補足ダウンリンクモード（たとえば、第１の認可支援アクセスモード）のように、このシナリオは、認可スペクトルを使用し、トラフィックまたはシグナリング輻輳の一部を軽減する必要がある、任意のサービスプロバイダ（たとえば、ＭＮＯ）に関して発生し得る。
【００６２】
[0085]上記で説明されたように、共有スペクトルにおけるＬＴＥ／ＬＴＥ−Ａを使用することによって与えられる容量オフロードから恩恵を受け得る１つのタイプのサービスプロバイダは、ＬＴＥ／ＬＴＥ−Ａ認可スペクトルへのアクセス権利を有する旧来のＭＮＯである。これらのサービスプロバイダにとって、運用上の例としては、認可スペクトル上のＬＴＥ／ＬＴＥ−Ａ１次コンポーネントキャリア（ＰＣＣ）と共有スペクトル上の少なくとも１つの２次コンポーネントキャリア（ＳＣＣ）とを使用するブートストラップモード（たとえば、補助ダウンリンク、キャリアアグリゲーション）があり得る。
【００６３】
[0086]キャリアアグリゲーションモードでは、データおよび制御は、たとえば、認可スペクトル中で（たとえば、第３の双方向リンク２３５を介して）通信され得るが、データは、たとえば、共有スペクトル中で（たとえば、第２の双方向リンク２３０を介して）通信され得る。共有スペクトルを使用するときにサポートされるキャリアアグリゲーション機構は、ハイブリッド周波数分割複信−時分割複信（ＦＤＤ−ＴＤＤ）キャリアアグリゲーションまたはコンポーネントキャリアにわたる異なる対称性を伴うＴＤＤ−ＴＤＤキャリアアグリゲーションに入り得る。
【００６４】
[0087]ワイヤレス通信システム２００におけるスタンドアロンモードの一例では、第２の基地局２０５−ａは、双方向リンク２４５を使用して第３のＵＥ２１５−ｂにＯＦＤＭＡ波形を送信し得、双方向リンク２４５を使用して第３のＵＥ２１５−ｂからＯＦＤＭＡ波形、ＳＣ−ＦＤＭＡ波形、またはリソースブロックインターリーブＦＤＭＡ波形を受信し得る。双方向リンク２４５は、共有スペクトルにおける周波数Ｆ３に関連し得る。スタンドアロンモードは、スタジアム内アクセス（たとえば、ユニキャスト、マルチキャスト）など、非旧来型ワイヤレスアクセスシナリオにおいて使用され得る。この動作モードのためのサービスプロバイダのタイプの一例は、認可スペクトルへのアクセスを有しない、スタジアム所有者、ケーブル会社、イベント主催者、ホテル、企業、または大企業であり得る。
【００６５】
[0088]いくつかの例では、図１または図２を参照しながら説明された基地局１０５、２０５、または２０５−ａのうちの１つ、あるいは図１または図２を参照しながら説明されたＵＥ１１５、２１５、２１５−ａ、または２１５−ｂのうちの１つなどの送信装置は、共有スペクトルのワイヤレスチャネルへの（たとえば、共有スペクトルの物理チャネルへの）アクセスを獲得するためにゲーティング間隔を使用し得る。いくつかの例では、ゲーティング間隔は同期および周期的であり得る。たとえば、周期的ゲーティング間隔は、ＬＴＥ／ＬＴＥ−Ａ無線間隔の少なくとも１つの境界と同期され得る。他の例では、ゲーティング間隔は非同期であり得る。ゲーティング間隔は、欧州通信規格協会（ＥＴＳＩ：European Telecommunications Standards Institute）において指定されているＬＢＴプロトコル（ＥＮ３０１  ８９３）に基づくＬＢＴプロトコルなど、共有プロトコルの適用を定義し得る。ＬＢＴプロトコルの適用を定義するゲーティング間隔を使用するとき、ゲーティング間隔は、送信装置が、クリアチャネルアセスメント（ＣＣＡ）プロシージャまたは拡張ＣＣＡ（ＥＣＣＡ）プロシージャなどの競合プロシージャ（たとえば、ＬＢＴプロシージャ）をいつ実施する必要があるかを示し得る。ＣＣＡプロシージャまたはＥＣＣＡプロシージャの結果は、共有スペクトルのワイヤレスチャネルがゲーティング間隔（たとえば、ＬＢＴ無線フレームまたは送信バースト）のために利用可能であるのか使用中であるのかを送信装置に示し得る。ワイヤレスチャネルが、対応するＬＢＴ無線フレームまたは送信バーストのために利用可能（たとえば、使用のために「クリア」）であることをＣＣＡプロシージャまたはＥＣＣＡプロシージャが示すとき、送信装置は、ＬＢＴ無線フレームの一部または全部中に共有スペクトルのワイヤレスチャネルを予約または使用し得る。ワイヤレスチャネルが利用可能でないこと（たとえば、ワイヤレスチャネルが別の送信装置によって使用中または予約済みであること）をＣＣＡプロシージャまたはＥＣＣＡプロシージャが示すとき、送信装置は、ＬＢＴ無線フレーム中にワイヤレスチャネルを使用することを妨げられ得る。いくつかの例では、送信装置は、共有スペクトル中のいくつかのワイヤレスチャネルのためにＣＣＡプロシージャまたはＥＣＣＡプロシージャを実施する必要があり得るが、他のワイヤレスチャネルのためにＣＣＡプロシージャまたはＥＣＣＡプロシージャを実施する必要がないことがある。
【００６６】
[0089]図３は、本開示の様々な態様による、基地局といくつかのＵＥとの間のワイヤレス通信のタイムライン３００を示す。ワイヤレス通信は共有スペクトル中で行われ得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。いくつかの例では、共有スペクトル中で通信する（１つまたは複数の）基地局および（１つまたは複数の）ＵＥは、図１または図２を参照しながら説明された基地局１０５、２０５、または２０５−ａ、およびＵＥ１１５、２１５、２１５−ａ、または２１５−ｂの態様の例であり得る。
【００６７】
[0090]いくつかの例では、基地局は、送信機会３１０より前に、時間ｔ０においてＬＢＴプロシージャ３０５（たとえば、ＣＣＡプロシージャまたはＥＣＣＡプロシージャ）を実施し得る。ＬＢＴプロシージャ３０５は、送信機会３１０中に共有スペクトルへのアクセスを求めて競合するために実施され得る。送信機会３１０は最大チャネル占有時間（ＭＣＯＴ３１５）に関連し得る。基地局が送信機会３１０のための共有スペクトルへのアクセスを求める競合に勝ったとき、基地局は、いくつかの（a number of）送信時間間隔（ＴＴＩ）中に（たとえば、いくつかのダウンリンク（Ｄ）サブフレーム中に）１つまたは複数のＵＥに送信し得る。基地局はまた、いくつかのＴＴＩ中に（たとえば、いくつかのアップリンク（Ｕ）サブフレーム中に）１つまたは複数のＵＥからのアップリンク送信をスケジュールし得る。基地局が送信機会３１０のための共有スペクトルへのアクセスを求める競合に負けたとき、基地局は、送信機会３１０中にアップリンク送信を送信またはスケジュールしないことがあり、後続の（subsequent）送信機会（たとえば、基地局が共有スペクトルへのアクセスを求める競合に勝った後続の送信機会）まで、１つまたは複数のＵＥとの通信を遅延させなければならないことがある。図３は、基地局がＬＢＴプロシージャ３０５中に共有スペクトルへのアクセスを求める競合に勝ったと仮定する。
【００６８】
[0091]例として、タイムライン３００は、ダウンリンク期間３２０と、それに続く、送信機会３１０内に終了するアップリンク期間３２５とを示す。ダウンリンク送信はダウンリンク期間３２０中に送信され得、アップリンク送信はアップリンク期間３２５中に送信され得る。アップリンク送信のための１つまたは複数のアップリンク許可は、ダウンリンク期間３２０中に送信および受信され得る。アップリンク期間３２５中にアップリンク送信を送信するより前に、ＵＥは、アップリンク期間３２５より前に、時間ｔ１においてＬＢＴプロシージャ３３０（たとえば、ＣＣＡプロシージャまたはＥＣＣＡプロシージャ）を実施し得る。ＬＢＴプロシージャ３３０は、アップリンク期間３２５中にアップリンク送信のために共有スペクトルへのアクセスを求めて競合するために実施され得る。ＵＥがアップリンク送信のために共有スペクトルへのアクセスを求める競合に勝ったとき、ＵＥは、いくつかのＴＴＩ中に（たとえば、いくつかのＵサブフレーム中に）基地局に送信し得る。ＵＥがアップリンク送信のために共有スペクトルへのアクセスを求める競合に負けたとき、ＵＥは、アップリンク期間３２５中に送信しないことがあり、後続のアップリンク期間（たとえば、ＵＥが共有スペクトルへのアクセスを求める競合に勝った後続のアップリンク期間）まで、基地局との通信を遅延させなければならないことがある。図３は、ＵＥがアップリンク期間３２５中にアップリンク送信のために共有スペクトルへのアクセスを求める競合に勝ったと仮定する。
【００６９】
[0092]いくつかの例では、基地局は、オーバージエアで（たとえば、共有スペクトル中で）、アップリンク送信のために実施すべきＬＢＴプロシージャの少なくとも１つのタイプを示す情報を送信し得、ＵＥはそれを受信し得る。情報はＬＢＴプロシージャ３３０の実施より前に送信／受信され得る。いくつかの例では、アップリンク送信のために実施すべきＬＢＴプロシージャの少なくとも１つのタイプを示す情報は、アップリンク送信の持続時間が、基地局によって共有スペクトルが予約済みである（was reserved）ＭＣＯＴ３１５内であるかどうかを示し得る。いくつかの例では、アップリンク送信のために実施すべきＬＢＴプロシージャの少なくとも１つのタイプを示す情報は、アップリンク送信を送信するより前に実施すべきＬＢＴプロシージャのタイプを示し得る。いくつかの例では、アップリンク送信の持続時間がＭＣＯＴ３１５内であるかどうかの指示、またはアップリンク送信を送信するより前に実施すべきＬＢＴのタイプの指示は、アップリンク送信のためのアップリンク許可中の少なくとも１ビットとして送信／受信され得る。
【００７０】
[0093]いくつかの例では、アップリンク送信のために実施すべきＬＢＴプロシージャの少なくとも１つのタイプを示す情報は、基地局によって共有スペクトルが予約済みであり、アップリンク送信のために利用可能であるＭＣＯＴ３１５の部分（たとえば、ダウンリンク期間３２０に続くＭＣＯＴ３１５の部分）の持続時間を示し得る。いくつかの例では、基地局によって共有スペクトルが予約済みであり、アップリンク送信のために利用可能であるＭＣＯＴ３１５の部分の持続時間の指示は、２つ以上の（more than one）（またはすべての）ＵＥによって受信される共通ＰＤＣＣＨ中でシグナリングされ得る。基地局によって共有スペクトルが予約済みであり、アップリンク送信のために利用可能であるＭＣＯＴ３１５の部分の持続時間を受信したＵＥは、アップリンク送信の持続時間がＭＣＯＴ３１５内であるかどうかを決定するために、ＭＣＯＴ部分３１５の持続時間とアップリンク送信の持続時間とを使用し得る。
【００７１】
[0094]いくつかの例では、アップリンク送信のために実施すべきＬＢＴプロシージャの少なくとも１つのタイプを示す情報を受信したＵＥは、情報を使用して、ＵＥのアップリンク送信がＭＣＯＴ３１５内である持続時間を有すると決定し得る。ＵＥはまた、アップリンク送信がＭＣＯＴ３１５内である持続時間を有するので、ＬＢＴプロシージャ３３０がより短いＬＢＴプロシージャ（たとえば、２５マイクロ秒（μｓ））であり得ると決定し得る。
【００７２】
[0095]図４は、本開示の様々な態様による、基地局といくつかのＵＥとの間のワイヤレス通信のタイムライン４００を示す。ワイヤレス通信は共有スペクトル中で行われ得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。いくつかの例では、共有スペクトル中で通信する（１つまたは複数の）基地局および（１つまたは複数の）ＵＥは、図１または図２を参照しながら説明された基地局１０５、２０５、または２０５−ａ、およびＵＥ１１５、２１５、２１５−ａ、または２１５−ｂの態様の例であり得る。
【００７３】
[0096]いくつかの例では、基地局は、送信機会４１０より前に、時間ｔ０においてＬＢＴプロシージャ４０５（たとえば、ＣＣＡプロシージャまたはＥＣＣＡプロシージャ）を実施し得る。ＬＢＴプロシージャ４０５は、送信機会４１０中に共有スペクトルへのアクセスを求めて競合するために実施され得る。送信機会４１０はＭＣＯＴ４１５に関連し得る。基地局が送信機会４１０のための共有スペクトルへのアクセスを求める競合に勝ったとき、基地局は、いくつかのＴＴＩ中に（たとえば、いくつかのＤサブフレーム中に）１つまたは複数のＵＥに送信し得る。基地局はまた、いくつかのＴＴＩ中に（たとえば、いくつかのＵサブフレーム中に）１つまたは複数のＵＥからのアップリンク送信をスケジュールし得る。基地局が送信機会４１０のための共有スペクトルへのアクセスを求める競合に負けたとき、基地局は、送信機会４１０中にアップリンク送信を送信またはスケジュールしないことがあり、後続の送信機会（たとえば、基地局がそれのための共有スペクトルへのアクセスを求める競合に勝った後続の送信機会）まで、１つまたは複数のＵＥとの通信を遅延させなければならないことがある。図４は、基地局がＬＢＴプロシージャ４０５中に共有スペクトルへのアクセスを求める競合に勝ったと仮定する。
【００７４】
[0097]例として、タイムライン４００は、ダウンリンク期間４２０と、それに続くアップリンク期間４２５とを示す。アップリンク期間４２５は送信機会４１０の終了を超えて続き（extend past）得る。ダウンリンク送信はダウンリンク期間４２０中に送信され得、アップリンク送信はアップリンク期間４２５中に送信され得る。アップリンク送信のための１つまたは複数のアップリンク許可は、ダウンリンク期間４２０中に送信および受信され得る。アップリンク期間４２５中にアップリンク送信を送信するより前に、ＵＥは、アップリンク期間４２５より前に、時間ｔ１においてＬＢＴプロシージャ４３０（たとえば、ＣＣＡプロシージャまたはＥＣＣＡプロシージャ）を実施し得る。ＬＢＴプロシージャ４３０は、アップリンク期間４２５中にアップリンク送信のために共有スペクトルへのアクセスを求めて競合するために実施され得る。ＵＥがアップリンク送信のために共有スペクトルへのアクセスを求める競合に勝ったとき、ＵＥは、いくつかのＴＴＩ中に（たとえば、いくつかのＵサブフレーム中に）基地局に送信し得る。ＵＥがアップリンク送信のために共有スペクトルへのアクセスを求める競合に負けたとき、ＵＥは、アップリンク期間４２５中に送信しないことがあり、後続のアップリンク期間（たとえば、ＵＥがそれのための共有スペクトルへのアクセスを求める競合に勝った後続のアップリンク期間）まで、基地局との通信を遅延させなければならないことがある。図４は、ＵＥがアップリンク期間４２５中にアップリンク送信のために共有スペクトルへのアクセスを求める競合に勝ったと仮定する。
【００７５】
[0098]いくつかの例では、基地局は、オーバージエアで（たとえば、共有スペクトル中で）、アップリンク送信のために実施すべきＬＢＴプロシージャの少なくとも１つのタイプを示す情報を送信し得、ＵＥはそれを受信し得る。情報はＬＢＴプロシージャ４３０の実施より前に送信／受信され得る。いくつかの例では、アップリンク送信のために実施すべきＬＢＴプロシージャの少なくとも１つのタイプを示す情報は、アップリンク送信の持続時間が、基地局によって共有スペクトルが予約済みである（was reserved）ＭＣＯＴ４１５内であるかどうかを示し得る。いくつかの例では、アップリンク送信のために実施すべきＬＢＴプロシージャの少なくとも１つのタイプを示す情報は、アップリンク送信を送信するより前に実施すべきＬＢＴプロシージャのタイプを示し得る。いくつかの例では、アップリンク送信の持続時間がＭＣＯＴ４１５内であるかどうかの指示、またはアップリンク送信を送信するより前に実施すべきＬＢＴのタイプの指示は、アップリンク送信のためのアップリンク許可中の少なくとも１ビットとして送信／受信され得る。
【００７６】
[0099]いくつかの例では、アップリンク送信のために実施すべきＬＢＴプロシージャの少なくとも１つのタイプを示す情報は、基地局によって共有スペクトルが予約済みであり、アップリンク送信のために利用可能であるＭＣＯＴ４１５の部分（たとえば、ダウンリンク期間４２０に続くＭＣＯＴ４１５の部分）の持続時間を示し得る。いくつかの例では、基地局によって共有スペクトルが予約済みであり、アップリンク送信のために利用可能であるＭＣＯＴ４１５の部分の持続時間の指示は、２つ以上の（またはすべての）ＵＥによって受信される共通ＰＤＣＣＨ中でシグナリングされ得る。基地局によって共有スペクトルが予約済みであり、アップリンク送信のために利用可能であるＭＣＯＴ４１５の部分の持続時間を受信したＵＥは、アップリンク送信の持続時間がＭＣＯＴ４１５内であるかどうかを決定するために、ＭＣＯＴ部分４１５の持続時間とアップリンク送信の持続時間とを使用し得る。
【００７７】
[00100]いくつかの例では、アップリンク送信のために実施すべきＬＢＴプロシージャの少なくとも１つのタイプを示す情報を受信したＵＥは、情報を使用して、ＵＥのアップリンク送信がＭＣＯＴ４１５を超える持続時間を有すると決定し得る。ＵＥはまた、アップリンク送信がＭＣＯＴ４１５を超える持続時間を有するので、ＬＢＴプロシージャ４３０は、ＬＢＴプロシージャのより短いタイプ（たとえば、２５μｓ）であり得るが、ＬＢＴプロシージャのより長いタイプ（たとえば、カテゴリー４（ＣＡＴ４）ＬＢＴプロシージャ）が、ＭＣＯＴ４１の終了を超えてアップリンク送信を続ける前に実施される必要があると決定し得る。代替的に、ＵＥは、アップリンク送信がＭＣＯＴ４１５を超える持続時間を有するので、ＬＢＴプロシージャ４３０はＬＢＴプロシージャのより長いタイプ（たとえば、ＣＡＴ４  ＬＢＴプロシージャ）である必要があり得ると決定し得る。より長いＬＢＴプロシージャが、ＬＢＴ優先度クラスのためのパラメータを使用して実施され得る。ＬＢＴ優先度クラスに関連するＬＢＴプロシージャを実施したときに、ＵＥは、（基地局のスケジューリング制約を受ける）ＬＢＴ優先度クラスのパラメータによって許容される限り、送信し続け得る。
【００７８】
[0101]いくつかの例では、図３または図４中の基地局によって実施されるＬＢＴプロシージャ３０５または４０５は、複数キャリア送信機会中に含まれる複数のキャリアのために実施され得る。同様に、図３または図４中のＵＥによって実施されるＬＢＴプロシージャ３３０または４３０は、複数キャリア送信機会中に含まれる複数のキャリアのために実施され得る。
【００７９】
[0102]図５は、本開示の様々な態様による、基地局といくつかのＵＥとの間のワイヤレス通信のタイムライン５００を示す。ワイヤレス通信は、共有スペクトル中の複数のキャリア（たとえば、少なくとも第１のキャリア５３５および第２のキャリア５４０）上で行われ得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。いくつかの例では、共有スペクトル中で通信する（１つまたは複数の）基地局および（１つまたは複数の）ＵＥは、図１または図２を参照しながら説明された基地局１０５、２０５、または２０５−ａ、およびＵＥ１１５、２１５、２１５−ａ、または２１５−ｂの態様の例であり得る。
【００８０】
[0103]いくつかの例では、基地局は、少なくとも第１のキャリア５３５上の送信機会５１０より前に、時間ｔ０においてＬＢＴプロシージャ５０５（たとえば、ＣＣＡプロシージャまたはＥＣＣＡプロシージャ）を実施し得る。ＬＢＴプロシージャ５０５は、送信機会５１０中に共有スペクトル中の少なくとも第１のキャリア５３５へのアクセスを求めて競合するために実施され得る。送信機会５１０は最大チャネル占有時間（ＭＣＯＴ５１５）に関連し得る。基地局が送信機会５１０のための共有スペクトル中の少なくとも第１のキャリア５３５へのアクセスを求める競合に勝ったとき、基地局は、いくつかのＴＴＩ中に（たとえば、いくつかのＤサブフレーム中に）１つまたは複数のＵＥに送信し得る。基地局はまた、いくつかのＴＴＩ中に（たとえば、いくつかのＵサブフレーム中に）１つまたは複数のＵＥからのアップリンク送信をスケジュールし得る。いくつかの例では、アップリンク送信はクロスキャリアスケジュールされ得る（たとえば、基地局が少なくとも第１のキャリア５３５上で送信するとき、少なくとも第２のキャリア５４０上でスケジュールされるなど、基地局が送信するキャリアとは異なるキャリア上でスケジュールされる）。基地局が送信機会５１０のために共有スペクトル中の第１のキャリア５３５へのアクセスを求める競合に負けたとき、基地局は、第１のキャリア５３５上で送信しないことがあり、いくつかの場合には、送信機会５１０中に少なくとも第２のキャリア５４０上でアップリンク送信をスケジュールし得る。いくつかの例では、アップリンク送信は、半永続的スケジューリング（ＳＰＳ）を使用してクロスキャリアスケジュールされ得る。
【００８１】
[0104]少なくとも第２のキャリア５４０上で、クロスキャリアスケジュールされたアップリンク送信を送信するより前に、ＵＥは、アップリンク送信より前に、時間ｔ１においてＬＢＴプロシージャ５３０（たとえば、ＣＣＡプロシージャまたはＥＣＣＡプロシージャ）を実施し得る。ＬＢＴプロシージャ５３０は、アップリンク送信のために共有スペクトルの少なくとも第２のキャリア５４０へのアクセスを求めて競合するために実施され得る。ＵＥがアップリンク送信のために共有スペクトルの少なくとも第２のキャリア５４０へのアクセスを求める競合に勝ったとき、ＵＥは、いくつかのＴＴＩ中に（たとえば、いくつかのＵサブフレーム中に）基地局に送信し得る。ＵＥがアップリンク送信のために共有スペクトル中の第２のキャリア５４０へのアクセスを求める競合に負けたとき、ＵＥは、第２のキャリア５４０上でアップリンク送信を送信しないことがあり、基地局へのアップリンク送信を送信することを遅延させなければならないことがある。
【００８２】
[0105]いくつかの例では、基地局は、オーバージエアで（たとえば、共有スペクトル中で）、アップリンク送信のために実施すべきＬＢＴプロシージャの少なくとも１つのタイプを示す情報を送信し得、ＵＥはそれを受信し得る。情報はＬＢＴプロシージャ５３０の実施より前に送信／受信され得る。
【００８３】
[0106]いくつかの例では、基地局は、ダウンリンク期間とアップリンク期間とを含む送信機会のために実施されるＬＢＴプロシージャのためのパラメータを選定し得る。たとえば、基地局は、図３または図４を参照しながら説明されたＬＢＴプロシージャ３０５または４０５のためのパラメータを選定し得る。これらの例では、基地局は、ＬＢＴ優先度クラスに少なくとも部分的に基づいて（たとえば、各ＬＢＴ優先度クラスが、送信のためにキューイングされたデータの優先度クラスと、そのＬＢＴ優先度クラスのためのＬＢＴプロシージャを実施するための１つまたは複数のパラメータのセットとに関連する、複数のＬＢＴ優先度クラスのうちの１つに基づいて）、ＬＢＴプロシージャのためのパラメータを選定し得る。いくつかの例では、ＬＢＴ優先度クラスは、複数のＬＢＴ優先度クラスの各ＬＢＴ優先度クラスに関連する（１つまたは複数のＵＥのための）ダウンリンクトラフィックの決定された量に少なくとも部分的に基づいて、基地局によって選択され得る。ＬＢＴ優先度クラスはまた、複数のＬＢＴ優先度クラスの各ＬＢＴ優先度クラスに関連する（１つまたは複数のＵＥのための）アップリンクトラフィックの決定された量に少なくとも部分的に基づいて、または、複数のＬＢＴ優先度クラスの各ＬＢＴ優先度クラスに関連するダウンリンクトラフィックとアップリンクトラフィックの決定された量の組合せに少なくとも部分的に基づいて、基地局によって選択され得る。１つまたは複数のＵＥは、送信機会のためにアップリンク送信がスケジュールされた（またはスケジュールされるべき）ＵＥを含み得る。いくつかの例では、基地局は、ＵＥに関連するバッファステータス報告（ＢＳＲ）に少なくとも部分的に基づいて（または複数のＵＥに関連する複数のＢＳＲに基づいて）、複数のＬＢＴ優先度クラスの各ＬＢＴ優先度クラスに関連するアップリンクトラフィックの量を決定し得る。各ＢＳＲは、いくつかの例では、ＵＥから最後に受信された（last-received）ＢＳＲを含み得る。
【００８４】
[0107]いくつかの例では、基地局は、選択されたＬＢＴ優先度クラスのために実施されるＬＢＴプロシージャに少なくとも部分的に基づいて、送信機会のための共有スペクトルへのアクセスを求める競合に成功し得る（may successfully contend for access）。送信機会内に開始する（または行われる）アップリンク送信がＵＥのために同キャリアスケジュール（たとえば、自己スケジュール）されたとき、基地局は、送信機会のための共有スペクトルへのアクセスを求めて競合するためにＬＢＴプロシージャを実施するとき、ＵＥに、基地局によって使用されるＬＢＴ優先度クラスをシグナリングし得る。送信機会内に開始する（または行われる）アップリンク送信がＵＥのためにクロスキャリアスケジュールされたとき、基地局は、送信機会のための共有スペクトルへのアクセスを求めて競合するためにＬＢＴプロシージャを実施するとき、基地局によって使用される第１のＬＢＴ優先度クラスと、基地局による共有スペクトルへのアクセスを求める競合が不成功であったとき、アップリンク送信のためにＬＢＴプロシージャのあるタイプ（a type of）を実施するためにＵＥによって使用されるべき第２のＬＢＴ優先度クラスとを、ＵＥにシグナリングし得る。いくつかの例では、ＵＥは、基地局が送信機会のための共有スペクトルへのアクセスを求める競合に成功したか（successfully contended）どうかに少なくとも部分的に基づいて、ＬＢＴプロシージャを実施するための第１のＬＢＴ優先度クラスまたは第２のＬＢＴ優先度クラスを選択し得る。
【００８５】
[0108]いくつかの例では、ＬＢＴ優先度クラスに少なくとも部分的に基づいてＬＢＴプロシージャを実施するＵＥは、ＬＢＴ優先度クラスに関連するデータを送信し得る。他の例では、ＬＢＴ優先度クラスに少なくとも部分的に基づいてＬＢＴプロシージャを実施するＵＥは、ＬＢＴ優先度クラスに少なくとも部分的に基づいて送信のためのデータを選択し得る。たとえば、ＵＥは、ＬＢＴ優先度クラスに関連するデータを選択し得る。代替的に、および別の例として、ＵＥは、ＬＢＴプロシージャを実施するために使用されるＬＢＴ優先度クラスよりも、等しいかまたはより低いＬＢＴ優先度クラスのＬＢＴ優先度クラスに関連するデータを選択し得る。代替的に、および別の例として、ＵＥは、ＬＢＴプロシージャを実施するために使用されるＬＢＴ優先度クラスに関連するすべてのデータを送信した後にのみであるが、ＬＢＴプロシージャを実施するために使用されるＬＢＴ優先度クラスよりも低いＬＢＴ優先度クラスのＬＢＴ優先度クラスに関連するデータを選択し得る。
【００８６】
[0109]いくつかの例では、ＬＢＴ優先度クラスに少なくとも部分的に基づいてＬＢＴプロシージャを実施する基地局またはＵＥは、より高いＬＢＴ優先度クラスに関連するデータが、より低いＬＢＴ優先度クラスに関連するデータとスワップされる、優先度反転（priority inversion）を実施し得る。そのような優先度反転は、基地局またはＵＥが、より優先度の高いデータのサービス品質（ＱｏＳ）要件よりも一時的に高いＱｏＳ要件を有する、より優先度の低いデータを送信することを可能にし得る。スワップされたデータ（すなわち、より高いＬＢＴ優先度クラスに関連するデータ）は、次いで、ＬＢＴプロシージャを実施するためにより優先度の低いデータとして計数され（counted）得る。
【００８７】
[0110]いくつかの例では、ＬＢＴ優先度クラスに少なくとも部分的に基づいてＬＢＴプロシージャを実施するＵＥは、オーバージエアで、（ただそのＵＥに、あるいはＵＥのグループまたはすべてのＵＥにシグナリングされているＬＢＴ優先度クラスの指示とともに）基地局からＬＢＴ優先度クラスの指示を受信し得る。他の例では、ＵＥは、基地局からＬＢＴ優先度クラスの指示を受信することなしに、ＬＢＴプロシージャを実施するためのＬＢＴ優先度クラスを選択し得る。これらの後者の例では、ＵＥは、オーバージエアで、（たとえば、基地局から）少なくとも１つのＬＢＴ優先度クラスのために使用すべき競合ウィンドウサイズの少なくとも１つの指示を受信し得、選択されたＬＢＴ優先度クラスに対応する競合ウィンドウサイズの指示に少なくとも部分的に基づいて、ＬＢＴプロシージャのための競合ウィンドウをサイズ決定し（size）得る。いくつかの例では、少なくとも１つのＬＢＴ優先度クラスのために使用すべき競合ウィンドウサイズの少なくとも１つの指示は、少なくとも１つのＬＢＴ優先度クラスの各ＬＢＴ優先度クラスのための競合ウィンドウサイズの比を含み得る。いくつかの例では、競合ウィンドウサイズの各比は、ＬＢＴ優先度クラスのための競合ウィンドウサイズとデフォルト競合ウィンドウサイズ（たとえば、最小競合ウィンドウサイズ（ＣＷ＿ｍｉｎ））との比を含み得る。したがって、たとえば、基地局が、４の競合ウィンドウサイズの比をシグナリングし、ＵＥが、ＣＷ＿ｍｉｎ＝１５μｓの最小競合ウィンドウサイズに関連するＬＢＴ優先度クラスを選択したとき、ＵＥは、１５μｓと４とを乗算して６０μｓを得ることがあり、競合ウィンドウを６０μｓに（または複数の利用可能な競合ウィンドウサイズのうちの次のより高い競合ウィンドウサイズに（たとえば、利用可能な競合ウィンドウサイズが１５μｓと、３１μｓと、６３μｓとを含むとき、６３μｓに）サイズ決定し得る。他の例では、少なくとも１つのＬＢＴ優先度クラスのために使用すべき競合ウィンドウサイズの少なくとも１つの指示は、前に使用された競合ウィンドウサイズからの競合ウィンドウサイズの更新を示す１つまたは複数のビットを含み得る。
【００８８】
[0111]アップリンク送信が、ＵＥによって実施されるＬＢＴプロシージャの結果（outcome）に依存するとき、基地局は、ＬＢＴプロシージャの結果を決定することを試み得る。アップリンク送信（たとえば、物理アップリンク共有チャネル（ＰＵＳＣＨ））を送信するより前にＬＢＴプロシージャを実施することが予想されるＵＥについて、基地局がアップリンク送信のためのアップリンク許可を送信した後に発生し得る考えられるシナリオは、１）ＵＥがアップリンク許可を受信または復号しないことがある、あるいは２）ＬＢＴプロシージャを実施したときに共有スペクトルへのアクセスを求める競合に勝っていないので、ＵＥがアップリンク送信を送信しないことがある、あるいは３）基地局がアップリンク送信を検出しないことがある、あるいは４）基地局が、アップリンク送信（またはアップリンク送信であり得る何か）を検出し得るが、アップリンク送信のためのＣＲＣを復号することに失敗することがある、を含む。ＬＡＡアップリンク送信がプリアンブルを有しないことがあり、したがって、プリアンブルは、ＬＡＡアップリンク送信が検出されたかどうかを決定するために使用されないことがあることに留意されたい。ただし、ＬＡＡアップリンク送信は、いくつかの場合には、ＬＡＡアップリンク送信に関連するアップリンク復調基準信号（ＤＭＲＳ）またはサウンディング基準信号（ＳＲＳ）の検出に少なくとも部分的に基づいて検出され得る。いくつかの例では、次のＬＢＴプロシージャを実施するために基地局によって使用される競合ウィンドウサイズは、シナリオ１）または４）に応答して更新されるが、シナリオ２）または３）に応答して更新されないことがある。他の例では、およびダウンリンクトラフィックが送信機会中に存在すると仮定すると、ダウンリンク送信（たとえば、物理ダウンリンク共有チャネル（ＰＤＳＣＨ）送信）の結果に基づく競合ウィンドウサイズ更新が十分であり得、アップリンク許可受信および復号の成功は無視され得、次のＬＢＴプロシージャを実施するために基地局によって使用される競合ウィンドウサイズは、シナリオ４に応答して更新されるが、シナリオ１）、２）、または３）に応答して更新されないことがある。複数ＴＴＩアップリンク送信のための複数ＴＴＩアップリンク許可について、いくつかの例では、複数ＴＴＩアップリンク送信の少なくとも１つのＴＴＩ中に複数ＴＴＩアップリンク送信の受信を検出した基地局は、複数ＴＴＩアップリンク送信が複数ＴＴＩアップリンク送信の他のＴＴＩ中に送信されると仮定し、基地局が複数ＴＴＩアップリンク送信の複数のＴＴＩ中に共有スペクトル上のＬＢＴギャップを検出しなければ、次のＬＢＴプロシージャのための競合ウィンドウサイズを更新することを控え得る。
【００８９】
[0112]いくつかの例では、ＵＥは、アップリンク送信のために実施すべきマルチキャリアＬＢＴプロシージャのタイプを識別し得る。いくつかの例では、ＵＥは、オーバージエアで、アップリンク送信のために実施すべきマルチキャリアＬＢＴプロシージャのタイプを示す情報を受信し得る。いくつかの例では、実施すべきマルチキャリアＬＢＴプロシージャのタイプは、共有スペクトル中のＵＥ選択１次キャリアのために実施されるＬＢＴプロシージャのタイプ、または物理アップリンク制御チャネル（ＰＵＣＣＨ）キャリアが１次キャリアとして指定される、共有スペクトル中のＰＵＣＣＨキャリアのために実施されるＬＢＴプロシージャのタイプ、または共有スペクトル中のＵＥ選択キャリアのために実施されるＬＢＴプロシージャのタイプ、または共有スペクトル中のネットワークアクセスデバイス選択キャリアのために実施されるＬＢＴプロシージャのタイプ、または共有スペクトル中の複数のキャリアのために実施されるＬＢＴプロシージャのタイプを含み得る。いくつかの例では、実施すべきマルチキャリアＬＢＴプロシージャのタイプの指示は、ＲＲＣシグナリング中で受信され得る。
【００９０】
[0113]図６は、本開示の様々な態様による、ワイヤレス通信において使用するための装置６１５のブロック図６００を示す。装置６１５は、図１または図２を参照しながら説明されたＵＥ１１５、２１５、２１５−ａ、または２１５−ｂのうちの１つまたは複数の態様の一例であり得る。装置６１５はまた、プロセッサであるか、またはプロセッサを含み得る。装置６１５は、受信機６１０、ワイヤレス通信マネージャ６２０、または送信機６３０を含み得る。これらの構成要素の各々は、互いと通信していることがある。
【００９１】
[0114]装置６１５の構成要素は、適用可能な機能の一部または全部をハードウェアで実施するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、システムオンチップ（ＳｏＣ）、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００９２】
[0115]いくつかの例では、受信機６１０は、認可スペクトル（たとえば、特定の使用のために特定のユーザに対して認可を与えられた無線周波数スペクトル）、あるいは共有スペクトル（たとえば、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトル）上での送信を受信するように動作可能な少なくとも１つの無線周波数（ＲＦ）受信機など、少なくとも１つのＲＦ受信機を含み得る。いくつかの例では、認可スペクトルまたは共有スペクトルは、たとえば、図１、図２、図３、図４、または図５を参照しながら説明されたように、ＬＴＥ／ＬＴＥ−Ａ通信のために使用され得る。受信機６１０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、「データ」または送信）を受信するために使用され得る。通信リンクは、認可スペクトルまたは共有スペクトル上で確立され得る。
【００９３】
[0116]いくつかの例では、送信機６３０は、認可スペクトルまたは共有スペクトル上で送信するように動作可能な少なくとも１つのＲＦ送信機など、少なくとも１つのＲＦ送信機を含み得る。送信機６３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、「データ」または送信）を送信するために使用され得る。通信リンクは、認可スペクトルまたは共有スペクトル上で確立され得る。
【００９４】
[0117]いくつかの例では、ワイヤレス通信マネージャ６２０は、装置６１５のためのワイヤレス通信の１つまたは複数の態様を管理するために使用され得る。いくつかの例では、ワイヤレス通信マネージャ６２０の一部は、受信機６１０または送信機６３０に組み込まれるか、あるいはそれらと共有され得る。いくつかの例では、ワイヤレス通信マネージャ６２０は、ＬＢＴプロシージャ情報マネージャ６３５、ＬＢＴプロシージャ識別器６４０、またはＬＢＴプロシージャマネージャ６４５を含み得る。
【００９５】
[0118]ＬＢＴプロシージャ情報マネージャ６３５は、オーバージエアで（たとえば、共有スペクトル中で）、アップリンク送信のために実施すべきＬＢＴプロシージャの少なくとも１つのタイプを示す情報を受信するために使用され得る。いくつかの例では、アップリンク送信のために実施すべきＬＢＴプロシージャの少なくとも１つのタイプを示す情報は、アップリンク送信のために（ワイヤレス通信マネージャ６２０によって）受信されたアップリンク許可中で受信された少なくとも１ビットを含み得る。いくつかの例では、アップリンク送信のために実施すべきＬＢＴプロシージャの少なくとも１つのタイプを示す情報は、ワイヤレス通信マネージャ６２０によって受信された共通ＰＤＣＣＨ中でシグナリングされ得る。
【００９６】
[0119]いくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。これらの例では、情報は、アップリンク許可中で受信された少なくとも１ビットを含み得る。
【００９７】
[0120]いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分（portion）の持続時間を示し得る。これらの例では、アップリンク送信のために実施すべきＬＢＴプロシージャの少なくとも１つのタイプを示す情報は、共通ＰＤＣＣＨ中でシグナリングされ得る。
【００９８】
[0121]ＬＢＴプロシージャ識別器６４０は、受信された情報から、アップリンク送信のために実施すべきＬＢＴプロシージャの少なくとも１つのタイプを識別するために使用され得る。アップリンク送信のために実施すべきＬＢＴプロシージャの少なくとも１つのタイプを示す情報が、ネットワークアクセスデバイスによって共有スペクトルが予約済みであり、アップリンク送信のために利用可能である最大チャネル占有時間の部分の持続時間を示すとき、アップリンク送信のために実施すべきＬＢＴプロシージャの少なくとも１つのタイプは、ネットワークアクセスデバイスによって共有スペクトルが予約済みであり、アップリンク送信のために利用可能である最大チャネル占有時間の部分の持続時間とアップリンク送信の持続時間とに少なくとも部分的に基づいて識別され得る。
【００９９】
[0122]ＬＢＴプロシージャマネージャ６４５は、共有スペクトルのために、アップリンク送信のためのＬＢＴプロシージャの少なくとも１つのタイプを実施することを含むために使用され得る。
【０１００】
[0123]図７は、本開示の様々な態様による、ワイヤレス通信において使用するための装置７１５のブロック図７００を示す。装置７１５は、図１または図２を参照しながら説明されたＵＥ１１５、２１５、２１５−ａ、または２１５−ｂのうちの１つまたは複数の態様、あるいは図６を参照しながら説明された装置６１５の態様の一例であり得る。装置７１５はまた、プロセッサであるか、またはプロセッサを含み得る。装置７１５は、受信機７１０、ワイヤレス通信マネージャ７２０、または送信機７３０を含み得る。これらの構成要素の各々は、互いと通信していることがある。
【０１０１】
[0124]装置７１５の構成要素は、適用可能な機能の一部または全部をハードウェアで実施するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１０２】
[0125]いくつかの例では、受信機７１０は、認可スペクトル（たとえば、特定の使用のために特定のユーザに対して認可を与えられた無線周波数スペクトル）、あるいは共有スペクトル（たとえば、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトル）上での送信を受信するように動作可能な少なくとも１つのＲＦ受信機など、少なくとも１つのＲＦ受信機を含み得る。いくつかの例では、認可スペクトルまたは共有スペクトルは、たとえば、図１、図２、図３、図４、または図５を参照しながら説明されたように、ＬＴＥ／ＬＴＥ−Ａ通信のために使用され得る。受信機７１０は、いくつかの場合には、認可スペクトルおよび共有スペクトルのための別個の受信機を含み得る。別個の受信機は、いくつかの例では、認可スペクトル上で通信するためのＬＴＥ／ＬＴＥ−Ａ受信機（たとえば、認可スペクトルのためのＬＴＥ／ＬＴＥ−Ａ受信機７１２）、および共有スペクトル上で通信するためのＬＴＥ／ＬＴＥ−Ａ受信機（たとえば、無認可スペクトルのためのＬＴＥ／ＬＴＥ−Ａ受信機７１４）の形態をとり得る。認可スペクトルのためのＬＴＥ／ＬＴＥ−Ａ受信機７１２または無認可スペクトルのためのＬＴＥ／ＬＴＥ−Ａ受信機７１４を含む受信機７１０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、認可スペクトルまたは共有スペクトル上で確立され得る。
【０１０３】
[0126]いくつかの例では、送信機７３０は、認可スペクトルまたは共有スペクトル上で送信するように動作可能な少なくとも１つのＲＦ送信機など、少なくとも１つのＲＦ送信機を含み得る。送信機７３０は、いくつかの場合には、認可スペクトルおよび共有スペクトルのための別個の送信機を含み得る。別個の送信機は、いくつかの例では、認可スペクトル上で通信するためのＬＴＥ／ＬＴＥ−Ａ送信機（たとえば、認可スペクトルのためのＬＴＥ／ＬＴＥ−Ａ送信機７３２）、および共有スペクトル上で通信するためのＬＴＥ／ＬＴＥ−Ａ送信機（たとえば、共有スペクトルのためのＬＴＥ／ＬＴＥ−Ａ送信機７３４）の形態をとり得る。認可スペクトルのためのＬＴＥ／ＬＴＥ−Ａ送信機７３２または共有スペクトルのためのＬＴＥ／ＬＴＥ−Ａ送信機７３４を含む送信機７３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、「データ」または送信）を送信するために使用され得る。通信リンクは、認可スペクトルまたは共有スペクトル上で確立され得る。
【０１０４】
[0127]いくつかの例では、ワイヤレス通信マネージャ７２０は、装置７１５のためのワイヤレス通信の１つまたは複数の態様を管理するために使用され得る。いくつかの例では、ワイヤレス通信マネージャ７２０の一部は、受信機７１０または送信機７３０に組み込まれるか、あるいはそれらと共有され得る。いくつかの例では、ワイヤレス通信マネージャ７２０は、ＬＢＴプロシージャ情報マネージャ７３５、ＬＢＴ優先度クラス情報マネージャ７５０、ネットワークアクセスデバイス競合成功評価器７５５、競合ウィンドウサイズ指示マネージャ７７５、ＬＢＴ優先度クラス識別器７６０、ＬＢＴプロシージャ識別器７４０、競合ウィンドウサイズ決定器（contention window sizer）７８０、ＬＢＴプロシージャマネージャ７４５、アップリンクデータ選択器７６５、またはアップリンク送信マネージャ７７０を含み得る。
【０１０５】
[0128]ＬＢＴプロシージャ情報マネージャ７３５は、オーバージエアで（たとえば、共有スペクトル中で）、アップリンク送信のために実施すべきＬＢＴプロシージャの少なくとも１つのタイプを示す情報を受信するために使用され得る。いくつかの例では、ＬＢＴプロシージャ情報マネージャ７３５は、マルチキャリアＬＢＴプロシージャ情報マネージャ７８５を含み得る。マルチキャリアＬＢＴプロシージャ情報マネージャ７８５は、アップリンク送信のために実施すべきマルチキャリアＬＢＴプロシージャの少なくとも１つのタイプの指示を受信するために使用され得る。いくつかの例では、アップリンク送信のために実施すべきＬＢＴプロシージャの少なくとも１つのタイプを示す情報は、アップリンク送信のために（ワイヤレス通信マネージャ７２０によって）受信されたアップリンク許可中で受信された少なくとも１ビットを含み得る。いくつかの例では、アップリンク送信のために実施すべきＬＢＴプロシージャの少なくとも１つのタイプを示す情報は、ワイヤレス通信マネージャ７２０によって受信された共通ＰＤＣＣＨ中でシグナリングされ得る。いくつかの例では、実施すべきマルチキャリアＬＢＴプロシージャのタイプの指示は、ＲＲＣシグナリング中で受信され得る。
【０１０６】
[0129]いくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。これらの例では、情報は、アップリンク許可中で受信された少なくとも１ビットを含み得る。
【０１０７】
[0130]いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。これらの例では、アップリンク送信のために実施すべきＬＢＴプロシージャの少なくとも１つのタイプを示す情報は、共通ＰＤＣＣＨ中でシグナリングされ得る。
【０１０８】
[0131]いくつかの例では、実施すべきマルチキャリアＬＢＴプロシージャのタイプは、共有スペクトル中のＵＥ選択１次キャリアのために実施されるＬＢＴプロシージャのタイプ、または共有スペクトル中のＰＵＣＣＨキャリアのために実施されるＬＢＴプロシージャのタイプ、または共有スペクトル中のＵＥ選択キャリアのために実施されるＬＢＴプロシージャのタイプ、または共有スペクトル中のネットワークアクセスデバイス選択キャリアのために実施されるＬＢＴプロシージャのタイプ、または共有スペクトル中の複数のキャリアのために実施されるＬＢＴプロシージャのタイプを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。
【０１０９】
[0132]ＬＢＴ優先度クラス情報マネージャ７５０は、共有スペクトルへのアクセスを求めて競合するためにＬＢＴプロシージャを実施するとき、ネットワークアクセスデバイスによって使用される第１のＬＢＴ優先度クラス、またはネットワークアクセスデバイスによる共有スペクトルへのアクセスを求める競合が不成功であったとき、アップリンク送信のためにＬＢＴプロシージャのあるタイプを実施するために使用されるべき第２のＬＢＴ優先度クラス、またはそれらの組合せを含む少なくとも１つのＬＢＴ優先度クラスの少なくとも１つの指示を受信するために使用され得る。いくつかの例では、少なくとも１つのＬＢＴ優先度クラスの少なくとも１つの指示は、アップリンク許可（たとえば、アップリンク送信のために実施すべきＬＢＴプロシージャの少なくとも１つのタイプを示す情報と同じアップリンク許可）中で受信され得る。いくつかの例では、第１のＬＢＴ優先度クラスは、ネットワークアクセスデバイスが、アップリンク送信がスケジュールされた共有スペクトルの少なくとも第１のキャリア、またはアップリンク送信をクロスキャリアスケジュールするために使用される共有スペクトルの少なくとも第２のキャリアへのアクセスを求めて競合するためにＬＢＴプロシージャを実施することに関連し得る。
【０１１０】
[0133]ネットワークアクセスデバイス競合成功評価器７５５は、ネットワークアクセスデバイスが共有スペクトルへのアクセスを求める競合に成功したかどうかを決定するために使用され得る。
【０１１１】
[0134]競合ウィンドウサイズ指示マネージャ７７５は、少なくとも１つのＬＢＴ優先度クラスのために使用すべき競合ウィンドウサイズの少なくとも１つの指示を受信するために使用され得る。いくつかの例では、少なくとも１つのＬＢＴ優先度クラスのために使用すべき競合ウィンドウサイズの少なくとも１つの指示は、少なくとも１つのＬＢＴ優先度クラスの各ＬＢＴ優先度クラスのための競合ウィンドウサイズの比を含み得る。いくつかの例では、競合ウィンドウサイズの各比は、ＬＢＴ優先度クラスのための競合ウィンドウサイズとデフォルト競合ウィンドウサイズとの比を含み得る。いくつかの例では、少なくとも１つのＬＢＴ優先度クラスのために使用すべき競合ウィンドウサイズの少なくとも１つの指示は、アップリンク許可（たとえば、アップリンク送信のために実施すべきＬＢＴプロシージャの少なくとも１つのタイプを示す情報と同じアップリンク許可）中で受信され得る。
【０１１２】
[0135]ＬＢＴ優先度クラス識別器７６０は、アップリンク送信のためにＬＢＴプロシージャを実施するための少なくとも１つのＬＢＴ優先度クラス中のＬＢＴ優先度クラスを識別するために使用され得る。いくつかの例では、ＬＢＴ優先度クラス識別器７６０は、共有スペクトルのためにＬＢＴプロシージャ（たとえば、ＣＡＴ４  ＬＢＴプロシージャ）を実施するためのＬＢＴ優先度クラスを選択するために使用され得る。
【０１１３】
[0136]ＬＢＴプロシージャ識別器７４０は、受信された情報から、アップリンク送信のために実施すべきＬＢＴプロシージャの少なくとも１つのタイプを識別するために使用され得る。いくつかの例では、ＬＢＴプロシージャのタイプ（たとえば、ＣＡＴ４  ＬＢＴプロシージャ）はまた、ＬＢＴ優先度クラス識別器７６０によって選択されたＬＢＴ優先度クラスに少なくとも部分的に基づいて識別され得る。アップリンク送信のために実施すべきＬＢＴプロシージャの少なくとも１つのタイプを示す情報が、ネットワークアクセスデバイスによって共有スペクトルが予約済みであり、アップリンク送信のために利用可能である最大チャネル占有時間の部分の持続時間を示すとき、アップリンク送信のために実施すべきＬＢＴプロシージャの少なくとも１つのタイプは、ネットワークアクセスデバイスによって共有スペクトルが予約済みであり、アップリンク送信のために利用可能である最大チャネル占有時間の部分の持続時間とアップリンク送信の持続時間とに少なくとも部分的に基づいて識別され得る。
【０１１４】
[0137]いくつかの例では、ＬＢＴプロシージャ識別器７４０は、ＬＢＴ優先度クラス情報マネージャ７５０によって受信された第１のＬＢＴ優先度クラスまたは第２のＬＢＴ優先度クラスに少なくとも部分的に基づいて、アップリンク送信のためにＬＢＴプロシージャ（たとえば、ＣＡＴ４  ＬＢＴプロシージャ）を実施すべきかどうかを決定し得る。ＬＢＴプロシージャが第１のＬＢＴ優先度クラスに少なくとも部分的に基づくのか、第２のＬＢＴ優先度クラスに少なくとも部分的に基づくのかの決定は、ＬＢＴ優先度クラス識別器７６０によって識別されたＬＢＴ優先度クラスおよび／またはネットワークアクセスデバイス競合成功評価器７５５によって行われた決定に少なくとも部分的に基づき得る。いくつかの例では、ＬＢＴプロシージャは、ネットワークアクセスデバイスが共有スペクトルへのアクセスを求める競合に成功したと決定されたとき、第１のＬＢＴ優先度クラスに少なくとも部分的に基づき得、ＬＢＴプロシージャは、ネットワークアクセスデバイスが共有スペクトルへのアクセスを求める競合に成功しなかったと決定されたとき、第２のＬＢＴ優先度クラスに少なくとも部分的に基づき得る。いくつかの例では、ＬＢＴプロシージャ識別器７４０は、受信された情報から、アップリンク送信のために実施すべきマルチキャリアＬＢＴプロシージャのタイプを識別するために使用され得る。
【０１１５】
[0138]競合ウィンドウサイズ決定器７８０は、選択されたＬＢＴ優先度クラスに少なくとも部分的に基づいて、ＬＢＴプロシージャのための競合ウィンドウをサイズ決定するために使用され得る。競合ウィンドウは、選択されたＬＢＴ優先度クラスに対応する競合ウィンドウサイズの指示に少なくとも部分的に基づいてサイズ決定され得る。
【０１１６】
[0139]ＬＢＴプロシージャマネージャ７４５は、共有スペクトルのために、アップリンク送信のためのＬＢＴプロシージャの少なくとも１つのタイプを実施することを含むために使用され得る。いくつかの例では、ＬＢＴプロシージャの少なくとも１つのタイプは、マルチキャリアＬＢＴプロシージャのタイプを含み得る。
【０１１７】
[0140]アップリンクデータ選択器７６５は、識別されたＬＢＴ優先度クラスに少なくとも部分的に基づいてアップリンク送信中の送信のためのデータを選択するために使用され得る。
【０１１８】
[0141]アップリンク送信マネージャ７７０は、アップリンクデータ選択器７６５によって選択されたデータを送信するために使用され得る。
【０１１９】
[0142]図８は、本開示の様々な態様による、ワイヤレス通信において使用するための装置８０５のブロック図８００を示す。装置８０５は、図１または図２を参照しながら説明された基地局１０５、２０５、または２０５−ａのうちの１つまたは複数の態様の一例であり得る。装置８０５はまた、プロセッサであるか、またはプロセッサを含み得る。装置８０５は、受信機８１０、ワイヤレス通信マネージャ８２０、または送信機８３０を含み得る。これらの構成要素の各々は、互いと通信していることがある。
【０１２０】
[0143]装置８０５の構成要素は、適用可能な機能の一部または全部をハードウェアで実施するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１２１】
[0144]いくつかの例では、受信機８１０は、認可スペクトル（たとえば、特定の使用のために特定のユーザに対して認可を与えられた無線周波数スペクトル）、あるいは共有スペクトル（たとえば、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトル）上での送信を受信するように動作可能な少なくとも１つの無線周波数（ＲＦ）受信機など、少なくとも１つのＲＦ受信機を含み得る。いくつかの例では、認可スペクトルまたは共有スペクトルは、たとえば、図１、図２、図３、図４、または図５を参照しながら説明されたように、ＬＴＥ／ＬＴＥ−Ａ通信のために使用され得る。受信機８１０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、「データ」または送信）を受信するために使用され得る。通信リンクは、認可スペクトルまたは共有スペクトル上で確立され得る。
【０１２２】
[0145]いくつかの例では、送信機８３０は、認可スペクトルまたは共有スペクトル上で送信するように動作可能な少なくとも１つのＲＦ送信機など、少なくとも１つのＲＦ送信機を含み得る。送信機８３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、「データ」または送信）を送信するために使用され得る。通信リンクは、認可スペクトルまたは共有スペクトル上で確立され得る。
【０１２３】
[0146]いくつかの例では、ワイヤレス通信マネージャ８２０は、装置８０５のためのワイヤレス通信の１つまたは複数の態様を管理するために使用され得る。いくつかの例では、ワイヤレス通信マネージャ８２０の一部は、受信機８１０または送信機８３０に組み込まれるか、あるいはそれらと共有され得る。いくつかの例では、ワイヤレス通信マネージャ８２０は、アップリンク送信スケジューラ８３５またはＬＢＴプロシージャ情報送信マネージャ８４０を含み得る。
【０１２４】
[0147]アップリンク送信スケジューラ８３５は、共有スペクトル中でＵＥのアップリンク送信をスケジュールするために使用され得る。いくつかの例では、アップリンク送信をスケジュールすることは、ＵＥにアップリンク送信のためのアップリンク許可を送信することを含み得る。
【０１２５】
[0148]ＬＢＴプロシージャ情報送信マネージャ８４０は、オーバージエアで（たとえば、共有スペクトル中で）、アップリンク送信のために実施すべきＬＢＴプロシージャの少なくとも１つのタイプを示す情報を送信するために使用され得る。いくつかの例では、アップリンク送信のために実施すべきＬＢＴプロシージャの少なくとも１つのタイプを示す情報は、アップリンク送信のためのアップリンク許可中で送信された少なくとも１ビットを含み得る。いくつかの例では、アップリンク送信のために実施すべきＬＢＴプロシージャの少なくとも１つのタイプを示す情報は、ワイヤレス通信マネージャ８２０によって送信された共通ＰＤＣＣＨ中でシグナリングされ得る。
【０１２６】
[0149]いくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。これらの例では、情報は、アップリンク許可中で送信された少なくとも１ビットを含み得る。
【０１２７】
[0150]いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。これらの例では、アップリンク送信のために実施すべきＬＢＴプロシージャの少なくとも１つのタイプを示す情報は、共通ＰＤＣＣＨ中でシグナリングされ得る。
【０１２８】
[0151]図９は、本開示の様々な態様による、ワイヤレス通信において使用するための装置９０５のブロック図９００を示す。装置９０５は、図１または図２を参照しながら説明された基地局１０５、２０５、または２０５−ａのうちの１つまたは複数の態様、あるいは図８を参照しながら説明された装置８０５の態様の一例であり得る。装置９０５はまた、プロセッサであるか、またはプロセッサを含み得る。装置９０５は、受信機９１０、ワイヤレス通信マネージャ９２０、または送信機９３０を含み得る。これらの構成要素の各々は、互いと通信していることがある。
【０１２９】
[0152]装置９０５の構成要素は、適用可能な機能の一部または全部をハードウェアで実施するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１３０】
[0153]いくつかの例では、受信機９１０は、認可スペクトル（たとえば、特定の使用のために特定のユーザに対して認可を与えられた無線周波数スペクトル）、あるいは共有スペクトル（たとえば、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトル）上での送信を受信するように動作可能な少なくとも１つのＲＦ受信機など、少なくとも１つのＲＦ受信機を含み得る。いくつかの例では、認可スペクトルまたは共有スペクトルは、たとえば、図１、図２、図３、図４、または図５を参照しながら説明されたように、ＬＴＥ／ＬＴＥ−Ａ通信のために使用され得る。受信機９１０は、いくつかの場合には、認可スペクトルおよび共有スペクトルのための別個の受信機を含み得る。別個の受信機は、いくつかの例では、認可スペクトル上で通信するためのＬＴＥ／ＬＴＥ−Ａ受信機（たとえば、認可スペクトルのためのＬＴＥ／ＬＴＥ−Ａ受信機９１２）、および共有スペクトル上で通信するためのＬＴＥ／ＬＴＥ−Ａ受信機（たとえば、共有スペクトルのためのＬＴＥ／ＬＴＥ−Ａ受信機９１４）の形態をとり得る。認可スペクトルのためのＬＴＥ／ＬＴＥ−Ａ受信機９１２または共有スペクトルのためのＬＴＥ／ＬＴＥ−Ａ受信機９１４を含む受信機９１０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、送信）を受信するために使用され得る。通信リンクは、認可スペクトルまたは共有スペクトル上で確立され得る。
【０１３１】
[0154]いくつかの例では、送信機９３０は、認可スペクトルまたは共有スペクトル上で送信するように動作可能な少なくとも１つのＲＦ送信機など、少なくとも１つのＲＦ送信機を含み得る。送信機９３０は、いくつかの場合には、認可スペクトルおよび共有スペクトルのための別個の送信機を含み得る。別個の送信機は、いくつかの例では、認可スペクトル上で通信するためのＬＴＥ／ＬＴＥ−Ａ送信機（たとえば、認可スペクトルのためのＬＴＥ／ＬＴＥ−Ａ送信機９３２）、および共有スペクトル上で通信するためのＬＴＥ／ＬＴＥ−Ａ送信機（たとえば、共有スペクトルのためのＬＴＥ／ＬＴＥ−Ａ送信機９３４）の形態をとり得る。認可スペクトルのためのＬＴＥ／ＬＴＥ−Ａ送信機９３２または共有スペクトルのためのＬＴＥ／ＬＴＥ−Ａ送信機９３４を含む送信機９３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、「データ」または送信）を送信するために使用され得る。通信リンクは、認可スペクトルまたは共有スペクトル上で確立され得る。
【０１３２】
[0155]いくつかの例では、ワイヤレス通信マネージャ９２０は、装置９０５のためのワイヤレス通信の１つまたは複数の態様を管理するために使用され得る。いくつかの例では、ワイヤレス通信マネージャ９２０の一部は、受信機９１０または送信機９３０に組み込まれるか、あるいはそれらと共有され得る。いくつかの例では、ワイヤレス通信マネージャ９２０は、アップリンク送信スケジューラ９３５、ＬＢＴプロシージャ情報送信マネージャ９４０、アップリンクトラフィックアセッサ９７５、ダウンリンクトラフィックアセッサ９８０、ＬＢＴ優先度クラス指示器９４５、ＬＢＴ優先度クラス選択器９８５、競合ウィンドウサイズ送信マネージャ９５０、共有スペクトル競合マネージャ９９０、アップリンク送信受信マネージャ９５５、または競合ウィンドウサイズ決定器９６０を含み得る。
【０１３３】
[0156]アップリンク送信スケジューラ９３５は、共有スペクトル中でＵＥのアップリンク送信をスケジュールするために使用され得る。いくつかの例では、アップリンク送信は、複数ＴＴＩアップリンク送信またはマルチキャリアアップリンク送信を含み得る。いくつかの例では、アップリンク送信をスケジュールすることは、ＵＥにアップリンク送信のためのアップリンク許可を送信することを含み得る。
【０１３４】
[0157]ＬＢＴプロシージャ情報送信マネージャ９４０は、オーバージエアで（たとえば、共有スペクトル中で）、アップリンク送信のために実施すべきＬＢＴプロシージャの少なくとも１つのタイプを示す情報を送信するために使用され得る。いくつかの例では、アップリンク送信のために実施すべきＬＢＴプロシージャの少なくとも１つのタイプを示す情報は、アップリンク送信のためのアップリンク許可中で送信された少なくとも１ビットを含み得る。いくつかの例では、アップリンク送信のために実施すべきＬＢＴプロシージャの少なくとも１つのタイプを示す情報は、ワイヤレス通信マネージャ９２０によって送信された共通ＰＤＣＣＨ中でシグナリングされ得る。いくつかの例では、ＬＢＴプロシージャ情報送信マネージャ９４０は、マルチキャリアＬＢＴプロシージャ情報送信マネージャ９７０を含み得る。マルチキャリアＬＢＴプロシージャ情報送信マネージャ９７０は、マルチキャリアアップリンク送信のために実施すべきマルチキャリアＬＢＴプロシージャのタイプの指示を送信するために使用され得る。いくつかの例では、実施すべきマルチキャリアＬＢＴプロシージャのタイプの指示は、ＲＲＣシグナリング中で送信され得る。いくつかの例では、指示は、マルチキャリアアップリンク送信をスケジュールするために使用されるアップリンク許可の送信より前に送信され得る。
【０１３５】
[0158]いくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。これらの例では、情報は、アップリンク許可中で送信された少なくとも１ビットを含み得る。
【０１３６】
[0159]いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。これらの例では、アップリンク送信のために実施すべきＬＢＴプロシージャの少なくとも１つのタイプを示す情報は、共通ＰＤＣＣＨ中でシグナリングされ得る。
【０１３７】
[0160]いくつかの例では、実施すべきマルチキャリアＬＢＴプロシージャのタイプは、共有スペクトル中のＵＥ選択１次キャリアのために実施されるＬＢＴプロシージャのタイプ、または共有スペクトル中のＰＵＣＣＨキャリアのために実施されるＬＢＴプロシージャのタイプ、または共有スペクトル中のＵＥ選択キャリアのために実施されるＬＢＴプロシージャのタイプ、または共有スペクトル中のネットワークアクセスデバイス選択キャリアのために実施されるＬＢＴプロシージャのタイプ、または共有スペクトル中の複数のキャリアのために実施されるＬＢＴプロシージャのタイプを含み得る。
【０１３８】
[0161]アップリンクトラフィックアセッサ９７５は、ＵＥに関連するＢＳＲに少なくとも部分的に基づいて、複数のＬＢＴ優先度クラスの各ＬＢＴ優先度クラスに関連するＵＥのアップリンクトラフィックの量を決定するために使用され得る。
【０１３９】
[0162]ダウンリンクトラフィックアセッサ９８０は、ＵＥのために、複数のＬＢＴ優先度クラスの各ＬＢＴ優先度クラスに関連するダウンリンクトラフィックの量を決定するために使用され得る。
【０１４０】
[0163]ＬＢＴ優先度クラス指示器９４５は、共有スペクトルへのアクセスを求めて競合するためにＬＢＴプロシージャを実施するとき、ネットワークアクセスデバイスによって使用される第１のＬＢＴ優先度クラス、またはネットワークアクセスデバイスによる共有スペクトルへのアクセスを求める競合が不成功であったとき、アップリンク送信のためにＬＢＴプロシージャのあるタイプを実施するためにＵＥによって使用されるべき第２のＬＢＴ優先度クラス、またはそれらの組合せを含む少なくとも１つのＬＢＴ優先度クラスの少なくとも１つの指示を送信するために使用され得る。いくつかの例では、第１のＬＢＴ優先度クラスは、ネットワークアクセスデバイスが、アップリンク送信がスケジュールされた共有スペクトルの少なくとも第１のキャリア、またはアップリンク送信をクロスキャリアスケジュールするために使用される共有スペクトルの少なくとも第２のキャリアへのアクセスを求めて競合するためにＬＢＴプロシージャを実施することに関連し得る。いくつかの例では、少なくとも１つのＬＢＴ優先度クラスの少なくとも１つの指示は、アップリンク許可（たとえば、アップリンク送信をスケジュールするために使用されるアップリンク許可）中で送信され得る。
【０１４１】
[0164]ＬＢＴ優先度クラス選択器９８５は、（アップリンクトラフィックアセッサ９７５によって決定された）各ＬＢＴ優先度クラスに関連するＵＥのアップリンクトラフィックの決定された量に少なくとも部分的に基づいて、ＬＢＴプロシージャを実施するためのＬＢＴ優先度クラスを選択するために使用され得る。いくつかの例では、ＬＢＴプロシージャを実施するためのＬＢＴ優先度クラスは、（ダウンリンクトラフィックアセッサ９８０によって決定された）各ＬＢＴ優先度クラスに関連するダウンリンクトラフィックの決定された量に少なくとも部分的に基づいてさらに選択され得る。
【０１４２】
[0165]競合ウィンドウサイズ送信マネージャ９５０は、少なくとも１つのＬＢＴ優先度クラスのために使用すべき競合ウィンドウサイズの少なくとも１つの指示を送信するために使用され得る。いくつかの例では、少なくとも１つのＬＢＴ優先度クラスのために使用すべき競合ウィンドウサイズの少なくとも１つの指示は、少なくとも１つのＬＢＴ優先度クラスの各ＬＢＴ優先度クラスのための競合ウィンドウサイズの比を含み得る。いくつかの例では、競合ウィンドウサイズの各比は、ＬＢＴ優先度クラスのための競合ウィンドウサイズとデフォルト競合ウィンドウサイズとの比を含み得る。いくつかの例では、競合ウィンドウサイズの少なくとも１つの指示は、アップリンク許可（たとえば、アップリンク送信をスケジュールするために使用されるアップリンク許可）中でシグナリングされ得る。
【０１４３】
[0166]共有スペクトル競合マネージャ９９０は、選択されたＬＢＴ優先度クラスに少なくとも部分的に基づいてＬＢＴプロシージャを実施することによって、共有スペクトルへのアクセスを求めて競合するために使用され得る。
【０１４４】
[0167]アップリンク送信受信マネージャ９５５は、アップリンク送信の受信が検出されたかどうかを決定するために使用され得る。アップリンク送信の受信を検出しないと、競合ウィンドウサイズ決定器９６０は、直前のＬＢＴプロシージャと同じ競合ウィンドウサイズを使用して、共有スペクトルへのアクセスを求めて競合するために次のＬＢＴプロシージャを実施することを決定し得る。アップリンク送信の受信を検出すると、アップリンク送信受信マネージャ９５５は、アップリンク送信のためのＣＲＣが適切に復号されたかどうかを決定するために使用され得る。ＣＲＣを適切に復号すると、競合ウィンドウサイズ決定器９６０は、直前のＬＢＴプロシージャと同じ競合ウィンドウサイズを使用して、共有スペクトルへのアクセスを求めて競合するために次のＬＢＴプロシージャを実施することを決定し得る。ＣＲＣを復号することに失敗すると、競合ウィンドウサイズ決定器９６０は、共有スペクトルへのアクセスを求めて競合するために次のＬＢＴプロシージャのための競合ウィンドウサイズを更新（リサイズ）することを決定し得る。
【０１４５】
[0168]いくつかの例では、アップリンク送信受信マネージャ９５５は、複数ＴＴＩアップリンク送信受信マネージャ９６５を含み得る。複数ＴＴＩアップリンク送信受信マネージャ９６５は、複数ＴＴＩアップリンク送信の少なくとも１つのＴＴＩ中に複数ＴＴＩアップリンク送信の受信を検出するために使用され得る。いくつかの例では、競合ウィンドウサイズ決定器９６０は、複数ＴＴＩアップリンク送信の少なくとも１つのＴＴＩ中に複数ＴＴＩアップリンク送信の受信を検出することに少なくとも部分的に基づいて、共有スペクトルへのアクセスを求めて競合するために次のＬＢＴプロシージャのための競合ウィンドウサイズを更新することを控え得る。いくつかの例では、次のＬＢＴプロシージャのための競合ウィンドウサイズを更新することを控えることは、複数ＴＴＩ送信の複数のＴＴＩ中に共有スペクトル上のＬＢＴギャップを検出しないことにさらに少なくとも部分的に基づき得る。
【０１４６】
[0169]図１０は、本開示の様々な態様による、ワイヤレス通信において使用するための装置１０３５のブロック図１０００を示す。装置１０３５は、図１または図２を参照しながら説明されたＵＥ１１５、２１５、２１５−ａ、または２１５−ｂのうちの１つまたは複数の態様、図１または図２を参照しながら説明された基地局１０５、２０５、または２０５−ａのうちの１つまたは複数の態様、あるいは図６、図７、図８、または図９を参照しながら説明された装置６１５、７１５、８０５、または９０５のうちの１つまたは複数の態様の一例であり得る。装置１０３５はまた、プロセッサであるか、またはプロセッサを含み得る。装置１０３５は、受信機１０１０、ワイヤレス通信マネージャ１０２０、または送信機１０３０を含み得る。これらの構成要素の各々は、互いと通信していることがある。
【０１４７】
[0170]装置１０３５の構成要素は、適用可能な機能の一部または全部をハードウェアで実施するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１４８】
[0171]いくつかの例では、受信機１０１０は、認可スペクトル（たとえば、特定の使用のために特定のユーザに対して認可を与えられた無線周波数スペクトル）、あるいは共有スペクトル（たとえば、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトル）上での送信を受信するように動作可能な少なくとも１つの無線周波数（ＲＦ）受信機など、少なくとも１つのＲＦ受信機を含み得る。いくつかの例では、認可スペクトルまたは共有スペクトルは、たとえば、図１、図２、図３、図４、または図５を参照しながら説明されたように、ＬＴＥ／ＬＴＥ−Ａ通信のために使用され得る。受信機１０１０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、「データ」または送信）を受信するために使用され得る。通信リンクは、認可スペクトルまたは共有スペクトル上で確立され得る。
【０１４９】
[0172]いくつかの例では、送信機１０３０は、認可スペクトルまたは共有スペクトル上で送信するように動作可能な少なくとも１つのＲＦ送信機など、少なくとも１つのＲＦ送信機を含み得る。送信機１０３０は、図１または図２を参照しながら説明されたワイヤレス通信システム１００または２００の１つまたは複数の通信リンクなど、ワイヤレス通信システムの１つまたは複数の通信リンク上で様々なタイプのデータまたは制御信号（すなわち、「データ」または送信）を送信するために使用され得る。通信リンクは、認可スペクトルまたは共有スペクトル上で確立され得る。
【０１５０】
[0173]いくつかの例では、ワイヤレス通信マネージャ１０２０は、装置１０３５のためのワイヤレス通信の１つまたは複数の態様を管理するために使用され得る。いくつかの例では、ワイヤレス通信マネージャ１０２０の一部は、受信機１０１０または送信機１０３０に組み込まれるか、あるいはそれらと共有され得る。いくつかの例では、ワイヤレス通信マネージャ１０２０は、キューイングされたトラフィック分類器（queued traffic classifier）１０４０、ＬＢＴ優先度クラス選択器１０４５、ＬＢＴプロシージャマネージャ１０５０、またはデータ送信マネージャ１０５５を含み得る。
【０１５１】
[0174]キューイングされたトラフィック分類器１０４０は、複数のＬＢＴ優先度クラスの各ＬＢＴ優先度クラスに関連するキューイングされたトラフィックの量を決定するために使用され得る。ＬＢＴ優先度クラス選択器１０４５は、ＬＢＴプロシージャを実施するためのＬＢＴ優先度クラスを選択するために使用され得る。ＬＢＴプロシージャマネージャ１０５０は、共有スペクトルへのアクセスを求めて競合するために、選択されたＬＢＴ優先度クラスに少なくとも部分的に基づいてＬＢＴプロシージャを実施するために使用され得る。データ送信マネージャ１０５５は、共有スペクトルへのアクセスを求める競合に勝つと、選択されたＬＢＴ優先度クラスよりも低いＬＢＴ優先度クラスに関連するキューイングされたトラフィックのうちの少なくとも一部を送信するために使用され得る。
【０１５２】
[0175]図１１は、本開示の様々な態様による、ワイヤレス通信において使用するためのＵＥ１１１５のブロック図１１００を示す。ＵＥ１１１５は、パーソナルコンピュータ（たとえば、ラップトップコンピュータ、ネットブックコンピュータ、タブレットコンピュータなど）、セルラー電話、ＰＤＡ、ＤＶＲ、インターネット機器、ゲームコンソール、電子リーダーなど含まれるかまたはそれらの一部であり得る。ＵＥ１１１５は、いくつかの例では、モバイル動作を可能にするために、小型バッテリーなどの内部電源（図示せず）を有し得る。いくつかの例では、ＵＥ１１１５は、図１または図２を参照しながら説明されたＵＥ１１５、２１５、２１５−ａ、または２１５−ｂのうちの１つまたは複数の態様、あるいは図６、図７、または図１０を参照しながら説明された装置６１５、７１５、または１０１５の１つまたは複数の態様の一例であり得る。ＵＥ１１１５は、図１、図２、図３、図４、図５、図６、図７、または図１０を参照しながら説明されたＵＥまたは装置の技法および機能のうちの少なくともいくつかを実装するように構成され得る。
【０１５３】
[0176]ＵＥ１１１５は、ＵＥプロセッサ１１１０、ＵＥメモリ１１２０、（（１つまたは複数の）ＵＥトランシーバ１１３０によって表される）少なくとも１つのＵＥトランシーバ、（（１つまたは複数の）ＵＥアンテナ１１４０によって表される）少なくとも１つのＵＥアンテナ、またはＵＥワイヤレス通信マネージャ１１５０を含み得る。これらの構成要素の各々は、１つまたは複数のバス１１３５上で、直接または間接的に、互いと通信していることがある。
【０１５４】
[0177]ＵＥメモリ１１２０は、ランダムアクセスメモリ（ＲＡＭ）または読取り専用メモリ（ＲＯＭ）を含み得る。ＵＥメモリ１１２０は、実行されたとき、たとえば、ネットワークアクセスデバイスから受信された情報またはシグナリングに従って、共有スペクトル中でのアップリンク送信のためにＬＢＴプロシージャの少なくとも１つのタイプを実施することを含む、ワイヤレス通信に関係する本明細書で説明される様々な機能をＵＥプロセッサ１１１０に実施させるように構成された命令を含んでいるコンピュータ可読、コンピュータ実行可能コード１１２５を記憶し得る。代替的に、コンピュータ実行可能コード１１２５は、ＵＥプロセッサ１１１０によって直接的に実行可能ではないが、（たとえば、コンパイルされ、実行されたとき）本明細書で説明される機能のうちのいくつかをＵＥ１１１５に実施させるように構成され得る。
【０１５５】
[0178]ＵＥプロセッサ１１１０は、インテリジェントハードウェアデバイス、たとえば、中央処理ユニット（ＣＰＵ）、マイクロコントローラ、ＡＳＩＣなどを含み得る。ＵＥプロセッサ１１１０は、（１つまたは複数の）ＵＥトランシーバ１１３０を通して受信された情報、または（１つまたは複数の）ＵＥアンテナ１１４０を通した送信のために（１つまたは複数の）ＵＥトランシーバ１１３０に送られるべき情報を処理し得る。ＵＥプロセッサ１１１０は、単独で、または、ＵＥワイヤレス通信マネージャ１１５０とともに、認可スペクトルまたは共有スペクトル上で通信すること（またはそれの上での通信を管理すること）の様々な態様を扱い得る。認可スペクトルは、特定の使用のために特定のユーザに対して認可を与えられた無線周波数スペクトルを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。
【０１５６】
[0179]（１つまたは複数の）ＵＥトランシーバ１１３０は、パケットを変調し、変調されたパケットを送信のために（１つまたは複数の）ＵＥアンテナ１１４０に与え、（１つまたは複数の）ＵＥアンテナ１１４０から受信されたパケットを復調するように構成されたモデムを含み得る。（１つまたは複数の）ＵＥトランシーバ１１３０は、いくつかの例では、１つまたは複数のＵＥ送信機および１つまたは複数の別個のＵＥ受信機として実装され得る。（１つまたは複数の）ＵＥトランシーバ１１３０は、認可スペクトルまたは共有スペクトル中での通信をサポートし得る。（１つまたは複数の）ＵＥトランシーバ１１３０は、（１つまたは複数の）ＵＥアンテナ１１４０を介して、図１または図２を参照しながら説明された基地局１０５、２０５、または２０５−ａのうちの１つまたは複数、あるいは図８、図９、または図１０を参照しながら説明された装置８０５、９０５、または１００５のうちの１つまたは複数など、１つまたは複数のネットワークアクセスデバイス（たとえば、基地局）または装置と双方向に通信するように構成され得る。ＵＥ１１１５は単一のＵＥアンテナを含み得るが、ＵＥ１１１５が複数のＵＥアンテナ１１４０を含み得る例があり得る。
【０１５７】
[0180]ＵＥワイヤレス通信マネージャ１１５０は、認可スペクトルまたは共有スペクトル上でのワイヤレス通信に関係する図１、図２、図３、図４、図５、図６、図７、または図１０を参照しながら説明されたＵＥまたは装置の技法または機能の一部または全部を実施または制御するように構成され得る。たとえば、ＵＥワイヤレス通信マネージャ１１５０は、認可スペクトルまたは共有スペクトルを使用して、補足ダウンリンクモード（たとえば、認可支援アクセスモード）、キャリアアグリゲーションモード、またはスタンドアロンモードをサポートするように構成され得る。ＵＥワイヤレス通信マネージャ１１５０は、認可スペクトル中でのＬＴＥ／ＬＴＥ−Ａ通信を扱うように構成されたＵＥ  ＬＴＥ／ＬＴＥ−Ａ認可スペクトルマネージャ１１５５と、共有スペクトル中でのＬＴＥ／ＬＴＥ−Ａ通信を扱うように構成されたＵＥ  ＬＴＥ／ＬＴＥ−Ａ共有スペクトルマネージャ１１６０とを含み得る。ＵＥワイヤレス通信マネージャ１１５０、またはそれの部分はプロセッサを含み得、あるいはＵＥワイヤレス通信マネージャ１１５０の機能の一部または全部は、ＵＥプロセッサ１１１０によって実施されるか、またはＵＥプロセッサ１１１０とともに実施され得る。いくつかの例では、ＵＥワイヤレス通信マネージャ１１５０は、図６、図７、または図１０を参照しながら説明されたワイヤレス通信マネージャ６２０、７２０、または１０２０の一例であり得る。
【０１５８】
[0181]図１２は、本開示の様々な態様による、ワイヤレス通信において使用するための基地局１２０５のブロック図１２００を示す。いくつかの例では、基地局１２０５は、図１または図２を参照しながら説明された基地局１０５、２０５、または２０５−ａの１つまたは複数の態様、あるいは図８、図９、または図１０を参照しながら説明された装置８０５、９０５、または１００５のうちの１つまたは複数の態様の一例であり得る。基地局１２０５は、図１、図２、図３、図４、図５、図８、図９、または図１０を参照しながら説明された基地局または基地局技法および機能のうちの少なくともいくつかを実装するかまたは可能にするように構成され得る。
【０１５９】
[0182]基地局１２０５は、基地局プロセッサ１２１０、基地局メモリ１２２０、（（１つまたは複数の）基地局トランシーバ１２５０によって表される）少なくとも１つの基地局トランシーバ、（（１つまたは複数の）基地局アンテナ１２５５によって表される）少なくとも１つの基地局アンテナ、または基地局ワイヤレス通信マネージャ１２６０を含み得る。基地局１２０５はまた、ネットワークアクセスデバイスコミュニケータ１２３０またはネットワークコミュニケータ１２４０のうちの１つまたは複数を含み得る。これらの構成要素の各々は、１つまたは複数のバス１２３５上で、直接または間接的に、互いと通信していることがある。
【０１６０】
[0183]基地局メモリ１２２０はＲＡＭまたはＲＯＭを含み得る。基地局メモリ１２２０は、実行されたとき、たとえば、共有スペクトル中でアップリンク送信をスケジュールすることと、アップリンク送信のために実施すべきＬＢＴプロシージャの少なくとも１つのタイプを識別するためにＵＥによって使用可能な情報またはシグナリングを送信することとを含む、ワイヤレス通信に関係する本明細書で説明される様々な機能を基地局プロセッサ１２１０に実施させるように構成された命令を含んでいるコンピュータ可読、コンピュータ実行可能コード１２２５を記憶し得る。代替的に、コンピュータ実行可能コード１２２５は、基地局プロセッサ１２１０によって直接的に実行可能ではないが、（たとえば、コンパイルされ、実行されたとき）本明細書で説明される機能のうちのいくつかを基地局１２０５に実施させるように構成され得る。
【０１６１】
[0184]基地局プロセッサ１２１０は、インテリジェントハードウェアデバイス、たとえば、ＣＰＵ、マイクロコントローラ、ＡＳＩＣなどを含み得る。基地局プロセッサ１２１０は、（１つまたは複数の）基地局トランシーバ１２５０、ネットワークアクセスデバイスコミュニケータ１２３０、またはネットワークコミュニケータ１２４０を通して受信された情報を処理し得る。基地局プロセッサ１２１０はまた、（１つまたは複数の）アンテナ１２５５を通した送信のために（１つまたは複数の）トランシーバ１２５０に送られるべき情報、１つまたは複数の他のネットワークアクセスデバイス（たとえば、基地局１２０５−ａおよび／または基地局１２０５−ｂ）への送信のためにネットワークアクセスデバイスコミュニケータ１２３０に送られるべき情報、または図１を参照しながら説明されたコアネットワーク１３０の１つまたは複数の態様の一例であり得る、コアネットワーク１２４５への送信のためにネットワークコミュニケータ１２４０に送られるべき情報を処理し得る。基地局プロセッサ１２１０は、単独で、または、基地局ワイヤレス通信マネージャ１２６０とともに、認可スペクトルまたは共有スペクトル上で通信すること（またはそれの上での通信を管理すること）の様々な態様を扱い得る。認可スペクトルは、特定の使用のために特定のユーザに対して認可を与えられた無線周波数スペクトルを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。
【０１６２】
[0185]（１つまたは複数の）基地局トランシーバ１２５０は、パケットを変調し、変調されたパケットを送信のために（１つまたは複数の）基地局アンテナ１２５５に与え、（１つまたは複数の）基地局アンテナ１２５５から受信されたパケットを復調するように構成されたモデムを含み得る。（１つまたは複数の）基地局トランシーバ１２５０は、いくつかの例では、１つまたは複数の基地局送信機および１つまたは複数の別個の基地局受信機として実装され得る。（１つまたは複数の）基地局トランシーバ１２５０は、認可スペクトルまたは共有スペクトル中での通信をサポートし得る。（１つまたは複数の）基地局トランシーバ１２５０は、（１つまたは複数の）基地局アンテナ１２５５を介して、図１、図２、または図１１を参照しながら説明されたＵＥ１１５、２１５、２１５−ａ、２１５−ｂ、または１１１５のうちの１つまたは複数、あるいは図６、図７、または図１０を参照しながら説明された装置６０５、７０５、または１００５のうちの１つまたは複数など、１つまたは複数のＵＥまたは装置と双方向に通信するように構成され得る。基地局１２０５は、たとえば、複数の基地局アンテナ１２５５（たとえば、アンテナアレイ）を含み得る。基地局１２０５は、ネットワークコミュニケータ１２４０を通してコアネットワーク１２４５と通信し得る。基地局１２０５はまた、ネットワークアクセスデバイスコミュニケータ１２３０を使用して、基地局１２０５−ａおよび／または基地局１２０５−ｂなど、他のネットワークアクセスデバイスと通信し得る。
【０１６３】
[0186]基地局ワイヤレス通信マネージャ１２６０は、認可スペクトルまたは共有スペクトル上でのワイヤレス通信に関係する図１、図２、図３、図４、図５、図８、図９、または図１０を参照しながら説明された技法または機能の一部または全部を実施または制御するように構成され得る。たとえば、基地局ワイヤレス通信マネージャ１２６０は、認可スペクトルまたは共有スペクトルを使用して、補足ダウンリンクモード（たとえば、認可支援アクセスモード）、キャリアアグリゲーションモード、またはスタンドアロンモードをサポートするように構成され得る。基地局ワイヤレス通信マネージャ１２６０は、認可スペクトル中でのＬＴＥ／ＬＴＥ−Ａ通信を扱うように構成された基地局ＬＴＥ／ＬＴＥ−Ａ認可スペクトルマネージャ１２６５と、共有スペクトル中でのＬＴＥ／ＬＴＥ−Ａ通信を扱うように構成された基地局ＬＴＥ／ＬＴＥ−Ａ無認可スペクトルマネージャ１２７０とを含み得る。基地局ワイヤレス通信マネージャ１２６０、またはそれの部分はプロセッサを含み得、あるいは基地局ワイヤレス通信マネージャ１２６０の機能の一部または全部は、基地局プロセッサ１２１０によって実施されるか、または基地局プロセッサ１２１０とともに実施され得る。いくつかの例では、基地局ワイヤレス通信マネージャ１２６０は、図８、図９、または図１０を参照しながら説明されたワイヤレス通信マネージャ８２０、９２０、または１０２０の一例であり得る。
【０１６４】
[0187]図１３は、本開示の様々な態様による、ＵＥにおけるワイヤレス通信のための方法１３００の一例を示すフローチャートである。明快のために、方法１３００は、図１、図２、または図１１を参照しながら説明されたＵＥ１１５、２１５、２１５−ａ、２１５−ｂ、または１１１５のうちの１つまたは複数の態様、あるいは図６または図７を参照しながら説明された装置６１５または７１５のうちの１つまたは複数の態様に関して以下で説明される。いくつかの例では、ＵＥは、以下で説明される機能を実施するようにＵＥの機能要素を制御するためのコードの１つまたは複数のセットを実行し得る。追加または代替として、ＵＥは、専用ハードウェアを使用して、以下で説明される機能のうちの１つまたは複数を実施し得る。
【０１６５】
[0188]ブロック１３０５において、方法１３００は、オーバージエアで（たとえば、共有スペクトル中で）、アップリンク送信のために実施すべきＬＢＴプロシージャの少なくとも１つのタイプを示す情報を受信することを含み得る。いくつかの例では、方法１３００は、アップリンク送信のためのアップリンク許可を受信することを含み得、アップリンク送信のために実施すべきＬＢＴプロシージャの少なくとも１つのタイプを示す情報は、アップリンク許可中で受信された少なくとも１ビットを含み得る。いくつかの例では、方法１３００は、共通ＰＤＣＣＨを受信することを含み得、アップリンク送信のために実施すべきＬＢＴプロシージャの少なくとも１つのタイプを示す情報は、共通ＰＤＣＣＨ中でシグナリングされ得る。ブロック１３０５における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図６または図７を参照しながら説明されたＬＢＴプロシージャ情報マネージャ６３５または７３５を使用して実施され得る。
【０１６６】
[0189]いくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。これらの例では、情報は、アップリンク許可中で受信された少なくとも１ビットを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。
【０１６７】
[0190]いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。これらの例では、アップリンク送信のために実施すべきＬＢＴプロシージャの少なくとも１つのタイプを示す情報は、共通ＰＤＣＣＨ中でシグナリングされ得る。
【０１６８】
[0191]ブロック１３１０において、方法１３００は、受信された情報から、アップリンク送信のために実施すべきＬＢＴプロシージャの少なくとも１つのタイプを識別することを含み得る。ブロック１３１０における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図６または図７を参照しながら説明されたＬＢＴプロシージャ識別器６４０または７４０を使用して実施され得る。
【０１６９】
[0192]アップリンク送信のために実施すべきＬＢＴプロシージャの少なくとも１つのタイプを示す情報が、ネットワークアクセスデバイスによって共有スペクトルが予約済みであり、アップリンク送信のために利用可能である最大チャネル占有時間の部分の持続時間を示すとき、アップリンク送信のために実施すべきＬＢＴプロシージャの少なくとも１つのタイプは、ネットワークアクセスデバイスによって共有スペクトルが予約済みであり、アップリンク送信のために利用可能である最大チャネル占有時間の部分の持続時間とアップリンク送信の持続時間とに少なくとも部分的に基づいて識別され得る。
【０１７０】
[0193]ブロック１３１５において、方法１３００は、共有スペクトルのために、アップリンク送信のためのＬＢＴプロシージャの少なくとも１つのタイプを実施することを含み得る。ブロック１３１５における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図６または図７を参照しながら説明されたＬＢＴプロシージャマネージャ６４５または７４５を使用して実施され得る。
【０１７１】
[0194]したがって、方法１３００はワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１７２】
[0195]図１４は、本開示の様々な態様による、ＵＥにおけるワイヤレス通信のための方法１４００の一例を示すフローチャートである。明快のために、方法１４００は、図１、図２、または図１１を参照しながら説明されたＵＥ１１５、２１５、２１５−ａ、２１５−ｂ、または１１１５のうちの１つまたは複数の態様、あるいは図６または図７を参照しながら説明された装置６１５または７１５のうちの１つまたは複数の態様に関して以下で説明される。いくつかの例では、ＵＥは、以下で説明される機能を実施するようにＵＥの機能要素を制御するためのコードの１つまたは複数のセットを実行し得る。追加または代替として、ＵＥは、専用ハードウェアを使用して、以下で説明される機能のうちの１つまたは複数を実施し得る。
【０１７３】
[0196]ブロック１４０５において、方法１４００は、アップリンク送信のために実施すべきＬＢＴプロシージャの少なくとも１つのタイプを示す情報を受信することを含み得る。いくつかの例では、方法１４００は、アップリンク送信のためのアップリンク許可を受信することを含み得、アップリンク送信のために実施すべきＬＢＴプロシージャの少なくとも１つのタイプを示す情報は、アップリンク許可中で受信された少なくとも１ビットを含み得る。いくつかの例では、方法１４００は、共通ＰＤＣＣＨを受信することを含み得、アップリンク送信のために実施すべきＬＢＴプロシージャの少なくとも１つのタイプを示す情報は、共通ＰＤＣＣＨ中でシグナリングされ得る。ブロック１４０５における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図６または図７を参照しながら説明されたＬＢＴプロシージャ情報マネージャ６３５または７３５を使用して実施され得る。
【０１７４】
[0197]いくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。これらの例では、情報は、アップリンク許可中で受信された少なくとも１ビットを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。
【０１７５】
[0198]いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。これらの例では、アップリンク送信のために実施すべきＬＢＴプロシージャの少なくとも１つのタイプを示す情報は、共通ＰＤＣＣＨ中でシグナリングされ得る。
【０１７６】
[0199]ブロック１４１０において、方法１４００は、オーバージエアで（たとえば、共有スペクトル中で）、共有スペクトルへのアクセスを求めて競合するためにＬＢＴプロシージャを実施するとき、ネットワークアクセスデバイスによって使用される第１のＬＢＴ優先度クラス、またはネットワークアクセスデバイスによる共有スペクトルへのアクセスを求める競合が不成功であったとき、アップリンク送信のためにＬＢＴプロシージャのあるタイプを実施するために使用されるべき第２のＬＢＴ優先度クラス、またはそれらの組合せを含む少なくとも１つのＬＢＴ優先度クラスの少なくとも１つの指示を受信することを含み得る。いくつかの例では、少なくとも１つのＬＢＴ優先度クラスの少なくとも１つの指示は、アップリンク許可（たとえば、アップリンク送信のために実施すべきＬＢＴプロシージャの少なくとも１つのタイプを示す情報と同じアップリンク許可）中で受信され得る。ブロック１４１０における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図７を参照しながら説明されたＬＢＴ優先度クラス情報マネージャ７５０を使用して実施され得る。
【０１７７】
[0200]いくつかの例では、ブロック１４１０において受信された第１のＬＢＴ優先度クラスは、ネットワークアクセスデバイスが、アップリンク送信がスケジュールされた共有スペクトルの少なくとも第１のキャリア、またはアップリンク送信をクロスキャリアスケジュールするために使用される共有スペクトルの少なくとも第２のキャリアへのアクセスを求めて競合するためにＬＢＴプロシージャを実施することに関連し得る。
【０１７８】
[0201]ブロック１４１５において、方法１４００は、ネットワークアクセスデバイスが共有スペクトルへのアクセスを求める競合に成功したかどうかを決定することを随意に含み得る。ブロック１４１５における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図７を参照しながら説明されたネットワークアクセスデバイス競合成功評価器７５５を使用して実施され得る。
【０１７９】
[0202]ブロック１４２０において、方法１４００は、アップリンク送信のためにＬＢＴプロシージャを実施するための少なくとも１つのＬＢＴ優先度クラス中のＬＢＴ優先度クラスを識別することを随意に含み得る。ブロック１４２０における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図７を参照しながら説明されたＬＢＴ優先度クラス識別器７６０を使用して実施され得る。
【０１８０】
[0203]ブロック１４２５において、方法１４００は、受信された情報から、アップリンク送信のために実施すべきＬＢＴプロシージャの少なくとも１つのタイプを識別することを含み得る。ブロック１４２５における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図６または図７を参照しながら説明されたＬＢＴプロシージャ識別器６４０または７４０を使用して実施され得る。
【０１８１】
[0204]アップリンク送信のために実施すべきＬＢＴプロシージャの少なくとも１つのタイプを示す情報が、ネットワークアクセスデバイスによって共有スペクトルが予約済みであり、アップリンク送信のために利用可能である最大チャネル占有時間の部分の持続時間を示すとき、アップリンク送信のために実施すべきＬＢＴプロシージャの少なくとも１つのタイプは、ネットワークアクセスデバイスによって共有スペクトルが予約済みであり、アップリンク送信のために利用可能である最大チャネル占有時間の部分の持続時間とアップリンク送信の持続時間とに少なくとも部分的に基づいて識別され得る。
【０１８２】
[0205]いくつかの例では、ブロック１４２５における動作は、第１のＬＢＴ優先度クラスまたは第２のＬＢＴ優先度クラスに少なくとも部分的に基づいて、アップリンク送信のためにＬＢＴプロシージャ（たとえば、ＣＡＴ４  ＬＢＴプロシージャ）を実施すべきかどうかを決定することを含み得る。ＬＢＴプロシージャが第１のＬＢＴ優先度クラスに少なくとも部分的に基づくのか、第２のＬＢＴ優先度クラスに少なくとも部分的に基づくのかの決定は、ブロック１４１５において行われる決定に少なくとも部分的に基づき得る。いくつかの例では、ＬＢＴプロシージャは、ネットワークアクセスデバイスが共有スペクトルへのアクセスを求める競合に成功したと決定されたとき、第１のＬＢＴ優先度クラスに少なくとも部分的に基づき得、ＬＢＴプロシージャは、ネットワークアクセスデバイスが共有スペクトルへのアクセスを求める競合に成功しなかったと決定されたとき、第２のＬＢＴ優先度クラスに少なくとも部分的に基づき得る。
【０１８３】
[0206]ブロック１４３０において、方法１４００は、共有スペクトルのために、アップリンク送信のためのＬＢＴプロシージャの少なくとも１つのタイプを実施することを含み得る。ブロック１４１５における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図６または図７を参照しながら説明されたＬＢＴプロシージャマネージャ６４５または７４５を使用して実施され得る。
【０１８４】
[0207]ブロック１４３５において、方法１４００は、識別されたＬＢＴ優先度クラスに少なくとも部分的に基づいてアップリンク送信中の送信のためのデータを選択することを随意に含み得る。ブロック１４３５における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図７を参照しながら説明されたアップリンクデータ選択器７６５を使用して実施され得る。
【０１８５】
[0208]ブロック１４４０において、方法１４００は、アップリンク送信中に、ブロック１４３５において選択されたデータを送信することを随意に含み得る。ブロック１４３５および／または３４０における（１つまたは複数の）動作は、ブロック１４３０におけるＬＢＴプロシージャの実施の成功に依存し得る。ブロック１４４０における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図７を参照しながら説明されたアップリンク送信マネージャ７７０を使用して実施され得る。
【０１８６】
[0209]したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１８７】
[0210]図１５は、本開示の様々な態様による、ＵＥにおけるワイヤレス通信のための方法１５００の一例を示すフローチャートである。明快のために、方法１５００は、図１、図２、または図１１を参照しながら説明されたＵＥ１１５、２１５、２１５−ａ、２１５−ｂ、または１１１５のうちの１つまたは複数の態様、あるいは図６または図７を参照しながら説明された装置６１５または７１５のうちの１つまたは複数の態様に関して以下で説明される。いくつかの例では、ＵＥは、以下で説明される機能を実施するようにＵＥの機能要素を制御するためのコードの１つまたは複数のセットを実行し得る。追加または代替として、ＵＥは、専用ハードウェアを使用して、以下で説明される機能のうちの１つまたは複数を実施し得る。
【０１８８】
[0211]ブロック１５０５において、方法１５００は、アップリンク送信のために実施すべきＬＢＴプロシージャの少なくとも１つのタイプを示す情報を受信することを含み得る。いくつかの例では、方法１５００は、アップリンク送信のためのアップリンク許可を受信することを含み得、アップリンク送信のために実施すべきＬＢＴプロシージャの少なくとも１つのタイプを示す情報は、アップリンク許可中で受信された少なくとも１ビットを含み得る。いくつかの例では、方法１５００は、共通ＰＤＣＣＨを受信することを含み得、アップリンク送信のために実施すべきＬＢＴプロシージャの少なくとも１つのタイプを示す情報は、共通ＰＤＣＣＨ中でシグナリングされ得る。ブロック１５０５における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図６または図７を参照しながら説明されたＬＢＴプロシージャ情報マネージャ６３５または７３５を使用して実施され得る。
【０１８９】
[0212]いくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。これらの例では、情報は、アップリンク許可中で受信された少なくとも１ビットを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。
【０１９０】
[0213]いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。これらの例では、アップリンク送信のために実施すべきＬＢＴプロシージャの少なくとも１つのタイプを示す情報は、共通ＰＤＣＣＨ中でシグナリングされ得る。
【０１９１】
[0214]ブロック１５１０において、方法１５００は、オーバージエアで（たとえば、共有スペクトル中で）、少なくとも１つのＬＢＴ優先度クラスのために使用すべき競合ウィンドウサイズの少なくとも１つの指示を受信することを含み得る。いくつかの例では、少なくとも１つのＬＢＴ優先度クラスのために使用すべき競合ウィンドウサイズの少なくとも１つの指示は、少なくとも１つのＬＢＴ優先度クラスの各ＬＢＴ優先度クラスのための競合ウィンドウサイズの比を含み得る。いくつかの例では、競合ウィンドウサイズの各比は、ＬＢＴ優先度クラスのための競合ウィンドウサイズとデフォルト競合ウィンドウサイズとの比を含み得る。いくつかの例では、少なくとも１つのＬＢＴ優先度クラスのために使用すべき競合ウィンドウサイズの少なくとも１つの指示は、アップリンク許可（たとえば、アップリンク送信のために実施すべきＬＢＴプロシージャの少なくとも１つのタイプを示す情報と同じアップリンク許可）中で受信され得る。ブロック１５１０における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図７を参照しながら説明された競合ウィンドウサイズ指示マネージャ７７５を使用して実施され得る。
【０１９２】
[0215]ブロック１５１５において、方法１５００は、共有スペクトルのためにＬＢＴプロシージャ（たとえば、ＣＡＴ４  ＬＢＴプロシージャ）を実施するためのＬＢＴ優先度クラスを選択することを含み得る。ブロック１５１５における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図７を参照しながら説明されたＬＢＴ優先度クラス識別器７６０を使用して実施され得る。
【０１９３】
[0216]ブロック１５２０において、方法１５００は、受信された情報から、アップリンク送信のために実施すべきＬＢＴプロシージャの少なくとも１つのタイプを識別することを含み得る。いくつかの例では、ＬＢＴプロシージャのタイプ（たとえば、ＣＡＴ４  ＬＢＴプロシージャ）はまた、ブロック１５１５において選択されたＬＢＴ優先度クラスに少なくとも部分的に基づいて識別され得る。ブロック１５２０における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図６または図７を参照しながら説明されたＬＢＴプロシージャ識別器６４０または７４０を使用して実施され得る。
【０１９４】
[0217]アップリンク送信のために実施すべきＬＢＴプロシージャの少なくとも１つのタイプを示す情報が、ネットワークアクセスデバイスによって共有スペクトルが予約済みであり、アップリンク送信のために利用可能である最大チャネル占有時間の部分の持続時間を示すとき、アップリンク送信のために実施すべきＬＢＴプロシージャの少なくとも１つのタイプは、ネットワークアクセスデバイスによって共有スペクトルが予約済みであり、アップリンク送信のために利用可能である最大チャネル占有時間の部分の持続時間とアップリンク送信の持続時間とに少なくとも部分的に基づいて識別され得る。
【０１９５】
[0218]ブロック１５２５において、方法１５００は、選択されたＬＢＴ優先度クラスに少なくとも部分的に基づいて、ＬＢＴプロシージャのための競合ウィンドウをサイズ決定することを含み得る。競合ウィンドウは、選択されたＬＢＴ優先度クラスに対応する競合ウィンドウサイズの指示に少なくとも部分的に基づいてサイズ決定され得る。ブロック１５２５における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図７を参照しながら説明された競合ウィンドウサイズ決定器７８０を使用して実施され得る。
【０１９６】
[0219]ブロック１５３０において、方法１５００は、共有スペクトルのために、アップリンク送信のためのＬＢＴプロシージャの少なくとも１つのタイプを実施することを含み得る。ブロック１５３０における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図６または図７を参照しながら説明されたＬＢＴプロシージャマネージャ６４５または７４５を使用して実施され得る。
【０１９７】
[0220]したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。
【０１９８】
[0221]図１６は、本開示の様々な態様による、ＵＥにおけるワイヤレス通信のための方法１６００の一例を示すフローチャートである。明快のために、方法１６００は、図１、図２、または図１１を参照しながら説明されたＵＥ１１５、２１５、２１５−ａ、２１５−ｂ、または１１１５のうちの１つまたは複数の態様、あるいは図６または図７を参照しながら説明された装置６１５または７１５のうちの１つまたは複数の態様に関して以下で説明される。いくつかの例では、ＵＥは、以下で説明される機能を実施するようにＵＥの機能要素を制御するためのコードの１つまたは複数のセットを実行し得る。追加または代替として、ＵＥは、専用ハードウェアを使用して、以下で説明される機能のうちの１つまたは複数を実施し得る。
【０１９９】
[0222]ブロック１６０５において、方法１６００は、オーバージエアで（たとえば、共有スペクトル中で）、アップリンク送信のために実施すべきマルチキャリアＬＢＴプロシージャの少なくとも１つのタイプの指示を受信することを含み得る。いくつかの例では、実施すべきマルチキャリアＬＢＴプロシージャのタイプの指示は、ＲＲＣシグナリング中で受信され得る。ブロック１６０５における（１つまたは複数の）動作は、図６または図７を参照しながら説明されたワイヤレス通信マネージャ６２０または７２０、図１１を参照しながら説明されたＵＥワイヤレス通信マネージャ１１５０、図６または図７を参照しながら説明されたＬＢＴプロシージャ情報マネージャ６３５または７３５、あるいはマルチキャリアＬＢＴプロシージャ情報マネージャ７８５を使用して実施され得る。
【０２００】
[0223]いくつかの例では、実施すべきマルチキャリアＬＢＴプロシージャのタイプは、共有スペクトル中のＵＥ選択１次キャリアのために実施されるＬＢＴプロシージャのタイプ、または共有スペクトル中のＰＵＣＣＨキャリアのために実施されるＬＢＴプロシージャのタイプ、または共有スペクトル中のＵＥ選択キャリアのために実施されるＬＢＴプロシージャのタイプ、または共有スペクトル中のネットワークアクセスデバイス選択キャリアのために実施されるＬＢＴプロシージャのタイプ、または共有スペクトル中の複数のキャリアのために実施されるＬＢＴプロシージャのタイプを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。
【０２０１】
[0224]ブロック１６１０において、方法１６００は、受信された情報から、アップリンク送信のために実施すべきマルチキャリアＬＢＴプロシージャのタイプを識別することを含み得る。ブロック１６１０における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図６または図７を参照しながら説明されたＬＢＴプロシージャ識別器６４０または７４０を使用して実施され得る。
【０２０２】
[0225]アップリンク送信のために実施すべきＬＢＴプロシージャの少なくとも１つのタイプを示す情報が、ネットワークアクセスデバイスによって共有スペクトルが予約済みであり、アップリンク送信のために利用可能である最大チャネル占有時間の部分の持続時間を示すとき、アップリンク送信のために実施すべきＬＢＴプロシージャの少なくとも１つのタイプは、ネットワークアクセスデバイスによって共有スペクトルが予約済みであり、アップリンク送信のために利用可能である最大チャネル占有時間の部分の持続時間とアップリンク送信の持続時間とに少なくとも部分的に基づいて識別され得る。
【０２０３】
[0226]ブロック１６１５において、方法１６００は、共有スペクトルのために、アップリンク送信のためにマルチキャリアＬＢＴプロシージャの少なくとも１つのタイプを実施することを含み得る。ブロック１６１５における（１つまたは複数の）動作は、図６または図７を参照しながら説明されたワイヤレス通信マネージャ６２０または７２０、図１１を参照しながら説明されたＵＥワイヤレス通信マネージャ１１５０、あるいは図６または図７を参照しながら説明されたＬＢＴプロシージャマネージャ６４５または７４５を使用して実施され得る。
【０２０４】
[0227]したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０２０５】
[0228]いくつかの例では、図１３、図１４、図１５、または図１６を参照しながら説明された方法１３００、１４００、１５００、または１６００の態様が組み合わせられ得る。
【０２０６】
[0229]図１７は、本開示の様々な態様による、ネットワークアクセスデバイスにおけるワイヤレス通信のための方法１７００の一例を示すフローチャートである。明快のために、方法１７００は、図１、図２、または図１２を参照しながら説明された基地局１０５、２０５、２０５−ａ、または１２０５のうちの１つまたは複数の態様、あるいは図８または図９を参照しながら説明された装置８０５または９０５のうちの１つまたは複数の態様に関して以下で説明される。いくつかの例では、ネットワークアクセスデバイスは、以下で説明される機能を実施するようにネットワークアクセスデバイスの機能要素を制御するためのコードの１つまたは複数のセットを実行し得る。追加または代替として、ネットワークアクセスデバイスは、専用ハードウェアを使用して、以下で説明される機能のうちの１つまたは複数を実施し得る。
【０２０７】
[0230]ブロック１７０５において、方法１７００は、共有スペクトル中でＵＥのアップリンク送信をスケジュールすることを含み得る。いくつかの例では、アップリンク送信をスケジュールすることは、ＵＥにアップリンク送信のためのアップリンク許可を送信することを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。ブロック１７０５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図８または図９を参照しながら説明されたアップリンク送信スケジューラ８３５または９３５を使用して実施され得る。
【０２０８】
[0231]ブロック１７１０において、方法１７００は、オーバージエアで（たとえば、共有スペクトル中で）、アップリンク送信のために実施すべきＬＢＴプロシージャの少なくとも１つのタイプを示す情報を送信することを含み得る。いくつかの例では、アップリンク送信のために実施すべきＬＢＴプロシージャの少なくとも１つのタイプを示す情報は、アップリンク送信のためのアップリンク許可中で送信された少なくとも１ビットを含み得る。いくつかの例では、方法１７００は、共通ＰＤＣＣＨを送信することを含み得、方法１７００は、共通ＰＤＣＣＨ中で、アップリンク送信のために実施すべきＬＢＴプロシージャの少なくとも１つのタイプを示す情報をシグナリングすることを含み得る。ブロック１７１０における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図８または図９を参照しながら説明されたＬＢＴプロシージャ情報送信マネージャ８４０または９４０を使用して実施され得る。
【０２０９】
[0232]いくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。これらの例では、情報は、アップリンク許可中で送信された少なくとも１ビットを含み得る。
【０２１０】
[0233]いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。これらの例では、アップリンク送信のために実施すべきＬＢＴプロシージャの少なくとも１つのタイプを示す情報は、共通ＰＤＣＣＨ中でシグナリングされ得る。
【０２１１】
[0234]したがって、方法１７００はワイヤレス通信を提供し得る。方法１７００は一実装形態にすぎないこと、および方法１７００の動作は、他の実装形態が可能であるように、並べ替えられるかまたは場合によっては変更され得ることに留意されたい。
【０２１２】
[0235]図１８は、本開示の様々な態様による、ネットワークアクセスデバイスにおけるワイヤレス通信のための方法１８００の一例を示すフローチャートである。明快のために、方法１８００は、図１、図２、または図１２を参照しながら説明された基地局１０５、２０５、２０５−ａ、または１２０５のうちの１つまたは複数の態様、あるいは図８または図９を参照しながら説明された装置８０５または９０５のうちの１つまたは複数の態様に関して以下で説明される。いくつかの例では、ネットワークアクセスデバイスは、以下で説明される機能を実施するようにネットワークアクセスデバイスの機能要素を制御するためのコードの１つまたは複数のセットを実行し得る。追加または代替として、ネットワークアクセスデバイスは、専用ハードウェアを使用して、以下で説明される機能のうちの１つまたは複数を実施し得る。
【０２１３】
[0236]ブロック１８０５において、方法１８００は、共有スペクトル中でＵＥのアップリンク送信をスケジュールすることを含み得る。いくつかの例では、アップリンク送信をスケジュールすることは、ＵＥにアップリンク送信のためのアップリンク許可を送信することを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。ブロック１８０５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図８または図９を参照しながら説明されたアップリンク送信スケジューラ８３５または９３５を使用して実施され得る。
【０２１４】
[0237]ブロック１８１０において、方法１８００は、オーバージエアで（たとえば、共有スペクトル中で）、アップリンク送信のために実施すべきＬＢＴプロシージャの少なくとも１つのタイプを示す情報を送信することを含み得る。いくつかの例では、アップリンク送信のために実施すべきＬＢＴプロシージャの少なくとも１つのタイプを示す情報は、アップリンク送信のためのアップリンク許可中で送信された少なくとも１ビットを含み得る。いくつかの例では、方法１８００は、共通ＰＤＣＣＨを送信することを含み得、方法１８００は、共通ＰＤＣＣＨ中で、アップリンク送信のために実施すべきＬＢＴプロシージャの少なくとも１つのタイプを示す情報をシグナリングすることを含み得る。ブロック１８１０における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図８または図９を参照しながら説明されたＬＢＴプロシージャ情報送信マネージャ８４０または９４０を使用して実施され得る。
【０２１５】
[0238]いくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。これらの例では、情報は、アップリンク許可中で送信された少なくとも１ビットを含み得る。
【０２１６】
[0239]いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。これらの例では、アップリンク送信のために実施すべきＬＢＴプロシージャの少なくとも１つのタイプを示す情報は、共通ＰＤＣＣＨ中でシグナリングされ得る。
【０２１７】
[0240]ブロック１８１５において、方法１８００は、共有スペクトルへのアクセスを求めて競合するためにＬＢＴプロシージャを実施するとき、ネットワークアクセスデバイスによって使用される第１のＬＢＴ優先度クラス、またはネットワークアクセスデバイスによる共有スペクトルへのアクセスを求める競合が不成功であったとき、アップリンク送信のためにＬＢＴプロシージャのあるタイプを実施するためにＵＥによって使用されるべき第２のＬＢＴ優先度クラス、またはそれらの組合せを含む少なくとも１つのＬＢＴ優先度クラスの少なくとも１つの指示を送信することを含み得る。いくつかの例では、第１のＬＢＴ優先度クラスは、ネットワークアクセスデバイスが、アップリンク送信がスケジュールされた共有スペクトルの少なくとも第１のキャリア、またはアップリンク送信をクロスキャリアスケジュールするために使用される共有スペクトルの少なくとも第２のキャリアへのアクセスを求めて競合するためにＬＢＴプロシージャを実施することに関連し得る。いくつかの例では、少なくとも１つのＬＢＴ優先度クラスの少なくとも１つの指示は、アップリンク許可（たとえば、アップリンク送信をスケジュールするために使用されるアップリンク許可）中で送信され得る。ブロック１８１０における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明されたＬＢＴ優先度クラス指示器９４５を使用して実施され得る。
【０２１８】
[0241]したがって、方法１８００はワイヤレス通信を提供し得る。方法１８００は一実装形態にすぎないこと、および方法１８００の動作は、他の実装形態が可能であるように、並べ替えられるかまたは場合によっては変更され得ることに留意されたい。
【０２１９】
[0242]図１９は、本開示の様々な態様による、ネットワークアクセスデバイスにおけるワイヤレス通信のための方法１９００の一例を示すフローチャートである。明快のために、方法１９００は、図１、図２、または図１２を参照しながら説明された基地局１０５、２０５、２０５−ａ、または１２０５のうちの１つまたは複数の態様、あるいは図８または図９を参照しながら説明された装置８０５または９０５のうちの１つまたは複数の態様に関して以下で説明される。いくつかの例では、ネットワークアクセスデバイスは、以下で説明される機能を実施するようにネットワークアクセスデバイスの機能要素を制御するためのコードの１つまたは複数のセットを実行し得る。追加または代替として、ネットワークアクセスデバイスは、専用ハードウェアを使用して、以下で説明される機能のうちの１つまたは複数を実施し得る。
【０２２０】
[0243]ブロック１９０５において、方法１９００は、共有スペクトル中でＵＥのアップリンク送信をスケジュールすることを含み得る。いくつかの例では、アップリンク送信をスケジュールすることは、ＵＥにアップリンク送信のためのアップリンク許可を送信することを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。ブロック１９０５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図８または図９を参照しながら説明されたアップリンク送信スケジューラ８３５または９３５を使用して実施され得る。
【０２２１】
[0244]ブロック１９１０において、方法１９００は、オーバージエアで（たとえば、共有スペクトル中で）、アップリンク送信のために実施すべきＬＢＴプロシージャの少なくとも１つのタイプを示す情報を送信することを含み得る。いくつかの例では、アップリンク送信のために実施すべきＬＢＴプロシージャの少なくとも１つのタイプを示す情報は、アップリンク送信のためのアップリンク許可中で送信された少なくとも１ビットを含み得る。いくつかの例では、方法１９００は、共通ＰＤＣＣＨを送信することを含み得、方法１９００は、共通ＰＤＣＣＨ中で、アップリンク送信のために実施すべきＬＢＴプロシージャの少なくとも１つのタイプを示す情報をシグナリングすることを含み得る。ブロック１９１０における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図８または図９を参照しながら説明されたＬＢＴプロシージャ情報送信マネージャ８４０または９４０を使用して実施され得る。
【０２２２】
[0245]いくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。これらの例では、情報は、アップリンク許可中で送信された少なくとも１ビットを含み得る。
【０２２３】
[0246]いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。これらの例では、アップリンク送信のために実施すべきＬＢＴプロシージャの少なくとも１つのタイプを示す情報は、共通ＰＤＣＣＨ中でシグナリングされ得る。
【０２２４】
[0247]ブロック１９１５において、方法１９００は、少なくとも１つのＬＢＴ優先度クラスのために使用すべき競合ウィンドウサイズの少なくとも１つの指示を送信することを含み得る。いくつかの例では、少なくとも１つのＬＢＴ優先度クラスのために使用すべき競合ウィンドウサイズの少なくとも１つの指示は、少なくとも１つのＬＢＴ優先度クラスの各ＬＢＴ優先度クラスのための競合ウィンドウサイズの比を含み得る。いくつかの例では、競合ウィンドウサイズの各比は、ＬＢＴ優先度クラスのための競合ウィンドウサイズとデフォルト競合ウィンドウサイズとの比を含み得る。いくつかの例では、競合ウィンドウサイズの少なくとも１つの指示は、アップリンク許可（たとえば、アップリンク送信をスケジュールするために使用されるアップリンク許可）中でシグナリングされ得る。ブロック１９１５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明された競合ウィンドウサイズ送信マネージャ９５０を使用して実施され得る。
【０２２５】
[0248]したがって、方法１９００はワイヤレス通信を提供し得る。方法１９００は一実装形態にすぎないこと、および方法１９００の動作は、他の実装形態が可能であるように、並べ替えられるかまたは場合によっては変更され得ることに留意されたい。
【０２２６】
[0249]図２０は、本開示の様々な態様による、ネットワークアクセスデバイスにおけるワイヤレス通信のための方法２０００の一例を示すフローチャートである。明快のために、方法２０００は、図１、図２、または図１２を参照しながら説明された基地局１０５、２０５、２０５−ａ、または１２０５のうちの１つまたは複数の態様、あるいは図８または図９を参照しながら説明された装置８０５または９０５のうちの１つまたは複数の態様に関して以下で説明される。いくつかの例では、ネットワークアクセスデバイスは、以下で説明される機能を実施するようにネットワークアクセスデバイスの機能要素を制御するためのコードの１つまたは複数のセットを実行し得る。追加または代替として、ネットワークアクセスデバイスは、専用ハードウェアを使用して、以下で説明される機能のうちの１つまたは複数を実施し得る。
【０２２７】
[0250]ブロック２００５において、方法２０００は、共有スペクトル中でＵＥのアップリンク送信をスケジュールすることを含み得る。いくつかの例では、アップリンク送信をスケジュールすることは、ＵＥにアップリンク送信のためのアップリンク許可を送信することを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。ブロック２００５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図８または図９を参照しながら説明されたアップリンク送信スケジューラ８３５または９３５を使用して実施され得る。
【０２２８】
[0251]ブロック２０１０において、方法２０００は、オーバージエアで（たとえば、共有スペクトル中で）、アップリンク送信のために実施すべきＬＢＴプロシージャの少なくとも１つのタイプを示す情報を送信することを含み得る。いくつかの例では、アップリンク送信のために実施すべきＬＢＴプロシージャの少なくとも１つのタイプを示す情報は、アップリンク送信のためのアップリンク許可中で送信された少なくとも１ビットを含み得る。いくつかの例では、方法２０００は、共通ＰＤＣＣＨを送信することを含み得、方法２０００は、共通ＰＤＣＣＨ中で、アップリンク送信のために実施すべきＬＢＴプロシージャの少なくとも１つのタイプを示す情報をシグナリングすることを含み得る。ブロック２０１０における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図８または図９を参照しながら説明されたＬＢＴプロシージャ情報送信マネージャ８４０または９４０を使用して実施され得る。
【０２２９】
[0252]いくつかの例では、アップリンク送信のために実施すべきＬＢＴプロシージャの少なくとも１つのタイプを示す情報は、アップリンク送信の持続時間が、ネットワークアクセスデバイスによって共有スペクトルが予約済みである最大チャネル占有時間内であるかどうか、またはアップリンク送信を送信するより前に実施すべきＬＢＴプロシージャのタイプ、またはそれらの組合せのうちの少なくとも１つを示し得る。これらの例では、情報は、アップリンク許可中で送信された少なくとも１ビットを含み得る。
【０２３０】
[0253]いくつかの例では、アップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。これらの例では、アップリンク送信のために実施すべきＬＢＴプロシージャの少なくとも１つのタイプを示す情報は、共通ＰＤＣＣＨ中でシグナリングされ得る。
【０２３１】
[0254]ブロック２０１５において、方法２０００は、アップリンク送信の受信が検出されたかどうかを決定することを含み得る。アップリンク送信の受信を検出しないと、方法２０００は、ブロック２０２０において継続し得る。アップリンク送信の受信を検出すると、方法２０００は、ブロック２０２５において継続し得る。ブロック２０１５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明されたアップリンク送信受信マネージャ９５５を使用して実施され得る。
【０２３２】
[0255]ブロック２０２０において、方法２０００は、直前のＬＢＴプロシージャと同じ競合ウィンドウサイズを使用して、共有スペクトルへのアクセスを求めて競合するために次のＬＢＴプロシージャを実施することを決定することを含み得る。ブロック２０２０における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明された競合ウィンドウサイズ決定器９６０を使用して実施され得る。
【０２３３】
[0256]ブロック２０２５において、方法２０００は、アップリンク送信のためのＣＲＣが適切に復号されたかどうかを決定することを含み得る。ＣＲＣを適切に復号すると、方法２０００は、ブロック２０２０において継続し得る。ＣＲＣを復号することに失敗すると、方法２０００は、ブロック２０３０において継続し得る。ブロック２０２５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明されたアップリンク送信受信マネージャ９５５を使用して実施され得る。
【０２３４】
[0257]ブロック２０３０において、方法２０００は、アップリンク送信のためのＣＲＣを復号することに失敗することに少なくとも部分的に基づいて、共有スペクトルへのアクセスを求めて競合するために次のＬＢＴプロシージャのための競合ウィンドウサイズを更新することを含み得る。ブロック２０２０における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明された競合ウィンドウサイズ決定器９６０を使用して実施され得る。
【０２３５】
[0258]したがって、方法２０００はワイヤレス通信を提供し得る。方法２０００は一実装形態にすぎないこと、および方法２０００の動作は、他の実装形態が可能であるように、並べ替えられるかまたは場合によっては変更され得ることに留意されたい。
【０２３６】
[0259]図２１は、本開示の様々な態様による、ネットワークアクセスデバイスにおけるワイヤレス通信のための方法２１００の一例を示すフローチャートである。明快のために、方法２１００は、図１、図２、または図１２を参照しながら説明された基地局１０５、２０５、２０５−ａ、または１２０５のうちの１つまたは複数の態様、あるいは図８または図９を参照しながら説明された装置８０５または９０５のうちの１つまたは複数の態様に関して以下で説明される。いくつかの例では、ネットワークアクセスデバイスは、以下で説明される機能を実施するようにネットワークアクセスデバイスの機能要素を制御するためのコードの１つまたは複数のセットを実行し得る。追加または代替として、ネットワークアクセスデバイスは、専用ハードウェアを使用して、以下で説明される機能のうちの１つまたは複数を実施し得る。
【０２３７】
[0260]ブロック２１０５において、方法２１００は、共有スペクトル中でＵＥの複数ＴＴＩアップリンク送信をスケジュールすることを含み得る。いくつかの例では、アップリンク送信をスケジュールすることは、ＵＥにアップリンク送信のためのアップリンク許可を送信することを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。ブロック２１０５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図８または図９を参照しながら説明されたアップリンク送信スケジューラ８３５または９３５を使用して実施され得る。
【０２３８】
[0261]ブロック２１１０において、方法２１００は、オーバージエアで（たとえば、共有スペクトル中で）、複数ＴＴＩアップリンク送信のために実施すべきＬＢＴプロシージャの少なくとも１つのタイプを示す情報を送信することを含み得る。いくつかの例では、複数ＴＴＩアップリンク送信のために実施すべきＬＢＴプロシージャの少なくとも１つのタイプを示す情報は、アップリンク送信のためのアップリンク許可中で送信された少なくとも１ビットを含み得る。いくつかの例では、方法２１００は、共通ＰＤＣＣＨを送信することを含み得、方法２１００は、共通ＰＤＣＣＨ中で、複数ＴＴＩアップリンク送信のために実施すべきＬＢＴプロシージャの少なくとも１つのタイプを示す情報をシグナリングすることを含み得る。ブロック２１１０における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図８または図９を参照しながら説明されたＬＢＴプロシージャ情報送信マネージャ８４０または９４０を使用して実施され得る。
【０２３９】
[0262]いくつかの例では、複数ＴＴＩアップリンク送信のために実施すべきＬＢＴプロシージャの少なくとも１つのタイプを示す情報は、複数ＴＴＩアップリンク送信の持続時間が、ネットワークアクセスデバイスによって共有スペクトルが予約済みである最大チャネル占有時間内であるかどうか、または複数ＴＴＩアップリンク送信を送信するより前に実施すべきＬＢＴプロシージャのタイプ、またはそれらの組合せのうちの少なくとも１つを示し得る。これらの例では、情報は、アップリンク許可中で送信された少なくとも１ビットを含み得る。
【０２４０】
[0263]いくつかの例では、複数ＴＴＩアップリンク送信のために実施すべきＬＢＴプロシージャの少なくとも１つのタイプを示す情報は、ネットワークアクセスデバイスによって共有スペクトルが予約済みであり、アップリンク送信のために利用可能である最大チャネル占有時間の部分の持続時間を示し得る。これらの例では、複数ＴＴＩアップリンク送信のために実施すべきＬＢＴプロシージャの少なくとも１つのタイプを示す情報は、共通ＰＤＣＣＨ中でシグナリングされ得る。
【０２４１】
[0264]ブロック２１１５において、方法２１００は、複数ＴＴＩアップリンク送信（multiple-TTI uplink transmission）の少なくとも１つのＴＴＩ中に複数ＴＴＩアップリンク送信の受信を検出することを含み得る。ブロック２１１５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明されたアップリンク送信受信マネージャ９５５または複数ＴＴＩアップリンク送信受信マネージャ９６５を使用して実施され得る。
【０２４２】
[0265]ブロック２１２０において、方法２１００は、複数ＴＴＩアップリンク送信の少なくとも１つのＴＴＩ中に複数ＴＴＩアップリンク送信の受信を検出することに少なくとも部分的に基づいて、共有スペクトルへのアクセスを求めて競合するために次のＬＢＴプロシージャのための競合ウィンドウサイズを更新することを控えることを含み得る。いくつかの例では、次のＬＢＴプロシージャのための競合ウィンドウサイズを更新することを控えることは、複数ＴＴＩアップリンク送信の複数のＴＴＩ中に共有スペクトル上のＬＢＴギャップを検出しないことにさらに少なくとも部分的に基づき得る。ブロック２１２０における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明された競合ウィンドウサイズ決定器９６０を使用して実施され得る。
【０２４３】
[0266]したがって、方法２１００はワイヤレス通信を提供し得る。方法２１００は一実装形態にすぎないこと、および方法２１００の動作は、他の実装形態が可能であるように、並べ替えられるかまたは場合によっては変更され得ることに留意されたい。
【０２４４】
[0267]図２２は、本開示の様々な態様による、ネットワークアクセスデバイスにおけるワイヤレス通信のための方法２２００の一例を示すフローチャートである。明快のために、方法２２００は、図１、図２、または図１２を参照しながら説明された基地局１０５、２０５、２０５−ａ、または１２０５のうちの１つまたは複数の態様、あるいは図８または図９を参照しながら説明された装置８０５または９０５のうちの１つまたは複数の態様に関して以下で説明される。いくつかの例では、ネットワークアクセスデバイスは、以下で説明される機能を実施するようにネットワークアクセスデバイスの機能要素を制御するためのコードの１つまたは複数のセットを実行し得る。追加または代替として、ネットワークアクセスデバイスは、専用ハードウェアを使用して、以下で説明される機能のうちの１つまたは複数を実施し得る。
【０２４５】
[0268]ブロック２２０５において、方法２２００は、共有スペクトル中でＵＥのマルチキャリアアップリンク送信をスケジュールすることを含み得る。いくつかの例では、マルチキャリアアップリンク送信をスケジュールすることは、ＵＥにマルチキャリアアップリンク送信のためのアップリンク許可を送信することを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。ブロック２２０５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図８または図９を参照しながら説明されたアップリンク送信スケジューラ８３５または９３５を使用して実施され得る。
【０２４６】
[0269]ブロック２２１０において、方法２２００は、オーバージエアで（たとえば、共有スペクトル中で）、マルチキャリアアップリンク送信のために実施すべきマルチキャリアＬＢＴプロシージャのタイプの指示を送信することを含み得る。いくつかの例では、実施すべきマルチキャリアＬＢＴプロシージャのタイプの指示は、ＲＲＣシグナリング中で送信され得る。いくつかの例では、指示は、マルチキャリアアップリンク送信をスケジュールするために使用されるアップリンク許可の送信より前に送信され得る。ブロック２２１０における（１つまたは複数の）動作は、図８または図９を参照しながら説明されたワイヤレス通信マネージャ８２０または９２０、図１２を参照しながら説明された基地局ワイヤレス通信マネージャ１２６０、図８または図９を参照しながら説明されたＬＢＴプロシージャ情報送信マネージャ８４０または９４０、あるいは図９を参照しながら説明されたマルチキャリアＬＢＴプロシージャ情報送信マネージャ９７０を使用して実施され得る。
【０２４７】
[0270]いくつかの例では、実施すべきマルチキャリアＬＢＴプロシージャのタイプは、共有スペクトル中のＵＥ選択１次キャリアのために実施されるＬＢＴプロシージャのタイプ、または共有スペクトル中のＰＵＣＣＨキャリアのために実施されるＬＢＴプロシージャのタイプ、または共有スペクトル中のＵＥ選択キャリアのために実施されるＬＢＴプロシージャのタイプ、または共有スペクトル中のネットワークアクセスデバイス選択キャリアのために実施されるＬＢＴプロシージャのタイプ、または共有スペクトル中の複数のキャリアのために実施されるＬＢＴプロシージャのタイプを含み得る。
【０２４８】
[0271]したがって、方法２２００はワイヤレス通信を提供し得る。方法２２００は一実装形態にすぎないこと、および方法２２００の動作は、他の実装形態が可能であるように、並べ替えられるかまたは場合によっては変更され得ることに留意されたい。
【０２４９】
[0272]図２３は、本開示の様々な態様による、ネットワークアクセスデバイスにおけるワイヤレス通信のための方法２３００の一例を示すフローチャートである。明快のために、方法２３００は、図１、図２、または図１２を参照しながら説明された基地局１０５、２０５、２０５−ａ、または１２０５のうちの１つまたは複数の態様、あるいは図８または図９を参照しながら説明された装置８０５または９０５のうちの１つまたは複数の態様に関して以下で説明される。いくつかの例では、ネットワークアクセスデバイスは、以下で説明される機能を実施するようにネットワークアクセスデバイスの機能要素を制御するためのコードの１つまたは複数のセットを実行し得る。追加または代替として、ネットワークアクセスデバイスは、専用ハードウェアを使用して、以下で説明される機能のうちの１つまたは複数を実施し得る。
【０２５０】
[0273]ブロック２３０５において、方法２３００は、ＵＥに関連するＢＳＲに少なくとも部分的に基づいて、複数のＬＢＴ優先度クラスの各ＬＢＴ優先度クラスに関連するＵＥのアップリンクトラフィックの量を決定することを含み得る。ブロック２３０５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明されたアップリンクトラフィックアセッサ９７５を使用して実施され得る。
【０２５１】
[0274]ブロック２３１０において、方法２３００は、ＵＥのために、複数のＬＢＴ優先度クラスの各ＬＢＴ優先度クラスに関連するダウンリンクトラフィックの量を決定することを随意に含み得る。ブロック２３１０における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明されたダウンリンクトラフィックアセッサ９８０を使用して実施され得る。
【０２５２】
[0275]ブロック２３１５において、方法２３００は、（ブロック２３０５において決定された）各ＬＢＴ優先度クラスに関連するＵＥのアップリンクトラフィックの決定された量に少なくとも部分的に基づいて、ＬＢＴプロシージャを実施するためのＬＢＴ優先度クラスを選択することを含み得る。いくつかの例では、ＬＢＴプロシージャを実施するためのＬＢＴ優先度クラスは、（ブロック２３１０において決定された）各ＬＢＴ優先度クラスに関連するダウンリンクトラフィックの決定された量に少なくとも部分的に基づいてさらに選択され得る。ブロック２３１５における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明されたＬＢＴ優先度クラス選択器９８５を使用して実施され得る。
【０２５３】
[0276]ブロック２３２０において、方法２３００は、選択されたＬＢＴ優先度クラスに少なくとも部分的に基づいてＬＢＴプロシージャを実施することによって、共有スペクトルへのアクセスを求めて競合することを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。ブロック２３２０における（１つまたは複数の）動作は、図８または図９を参照しながら説明されたワイヤレス通信マネージャ８２０または９２０、図１２を参照しながら説明された基地局ワイヤレス通信マネージャ１２６０、あるいは図９を参照しながら説明された共有スペクトル競合マネージャ９９０を使用して実施され得る。
【０２５４】
[0277]したがって、方法２３００はワイヤレス通信を提供し得る。方法２３００は一実装形態にすぎないこと、および方法２３００の動作は、他の実装形態が可能であるように、並べ替えられるかまたは場合によっては変更され得ることに留意されたい。
【０２５５】
[0278]いくつかの例では、図１７、図１８、図１９、図２０、図２１、図２２、または図２３を参照しながら説明された方法１７００、１８００、１９００、２０００、２１００、２２００、または２３００の態様が組み合わせられ得る。
【０２５６】
[0279]図２４は、本開示の様々な態様による、ワイヤレス通信デバイスにおけるワイヤレス通信のための方法２４００の一例を示すフローチャートである。明快のために、方法２４００は、図１、図２、または図１０を参照しながら説明されたＵＥ１１５、２１５、２１５−ａ、２１５−ｂ、または１１１５のうちの１つまたは複数の態様、図１、図２、または図１１を参照しながら説明された基地局１０５、２０５、２０５−ａ、または１２０５のうちの１つまたは複数の態様、あるいは図６、図７、図８、図９、または図１０を参照しながら説明された装置６１５、７１５、８０５、９０５、または１０３５のうちの１つまたは複数の態様に関して以下で説明される。いくつかの例では、ワイヤレス通信デバイスは、以下で説明される機能を実施するようにワイヤレス通信デバイスの機能要素を制御するためのコードの１つまたは複数のセットを実行し得る。追加または代替として、ワイヤレス通信デバイスは、専用ハードウェアを使用して、以下で説明される機能のうちの１つまたは複数を実施し得る。
【０２５７】
[0280]ブロック２４０５において、方法２４００は、複数のＬＢＴ優先度クラスの各ＬＢＴ優先度クラスに関連するキューイングされたトラフィックの量を決定することを含み得る。ブロック２４０５における（１つまたは複数の）動作は、図６、図７、図８、図９、または図１０を参照しながら説明されたワイヤレス通信マネージャ６２０、７２０、８２０、９２０、または１０２０、図１１を参照しながら説明されたＵＥワイヤレス通信マネージャ１１５０、図１２を参照しながら説明された基地局ワイヤレス通信マネージャ１２６０、あるいは図１０を参照しながら説明されたキューイングされたトラフィック分類器１０４０を使用して実施され得る。
【０２５８】
[0281]ブロック２４１０において、方法２４００は、ＬＢＴプロシージャを実施するためのＬＢＴ優先度クラスを選択することを含み得る。ブロック２４１０における（１つまたは複数の）動作は、図６、図７、図８、図９、または図１０を参照しながら説明されたワイヤレス通信マネージャ６２０、７２０、８２０、９２０、または１０２０、図１１を参照しながら説明されたＵＥワイヤレス通信マネージャ１１５０、図１２を参照しながら説明された基地局ワイヤレス通信マネージャ１２６０、あるいは図１０を参照しながら説明されたＬＢＴ優先度クラス選択器１０４５を使用して実施され得る。
【０２５９】
[0282]ブロック２４１５において、方法２４００は、共有スペクトルへのアクセスを求めて競合するために、選択されたＬＢＴ優先度クラスに少なくとも部分的に基づいてＬＢＴプロシージャを実施することを含み得る。共有スペクトルは、無認可スペクトル、Ｗｉ−Ｆｉ使用のために利用可能な無線周波数スペクトル、異なる無線アクセス技術による使用のために利用可能な無線周波数スペクトル、あるいは等しく共有されるかまたは優先度を付けられた様式で複数のＭＮＯによる使用のために利用可能な無線周波数スペクトルを含み得る。ブロック２４１５における（１つまたは複数の）動作は、図６、図７、図８、図９、または図１０を参照しながら説明されたワイヤレス通信マネージャ６２０、７２０、８２０、９２０、または１０２０、図１１を参照しながら説明されたＵＥワイヤレス通信マネージャ１１５０、図１２を参照しながら説明された基地局ワイヤレス通信マネージャ１２６０、あるいは図１０を参照しながら説明されたＬＢＴプロシージャマネージャ１０５０を使用して実施され得る。
【０２６０】
[0283]ブロック２４２０において、方法２４００は、共有スペクトルへのアクセスを求める競合に勝つと、選択されたＬＢＴ優先度クラスよりも低いＬＢＴ優先度クラスに関連するキューイングされたトラフィックのうちの少なくとも一部を送信することを含み得る。ブロック２４２０における（１つまたは複数の）動作は、図６、図７、図８、図９、または図１０を参照しながら説明されたワイヤレス通信マネージャ６２０、７２０、８２０、９２０、または１０２０、図１１を参照しながら説明されたＵＥワイヤレス通信マネージャ１１５０、図１２を参照しながら説明された基地局ワイヤレス通信マネージャ１２６０、あるいは図１０を参照しながら説明されたデータ送信マネージャ１０５５を使用して実施され得る。
【０２６１】
[0284]したがって、方法２４００はワイヤレス通信を提供し得る。方法２４００は一実装形態にすぎないこと、および方法２４００の動作は、他の実装形態が可能であるように、並べ替えられるかまたは場合によっては変更され得ることに留意されたい。
【０２６２】
[0285]本明細書で説明された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、ＣＤＭＡ２０００  １Ｘ、１Ｘなどと呼ばれることがある。ＩＳ−８５６（ＴＩＡ−８５６）は、ＣＤＭＡ２０００  １ｘＥＶ−ＤＯ、高速パケットデータ（ＨＲＰＤ：High Rate Packet Data）などと呼ばれることがある。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ  ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、３ＧＰＰと称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、共有スペクトル上でのセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０２６３】
[0286]添付の図面に関して上記に記載された詳細な説明は、例について説明しており、実装され得るまたは特許請求の範囲内に入る例のすべてを表すとは限らない。「例」および「例示的」という語は、この説明で使用されるとき、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０２６４】
[0287]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２６５】
[0288]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０２６６】
[0289]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態が、本開示および添付の特許請求の範囲の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する構成要素はまた、機能の部分が、異なる物理ロケーションにおいて実装されるように分散されることを含めて、様々な位置に物理的に配置され得る。特許請求の範囲を含めて、本明細書で使用される場合、２つ以上の項目の列挙中で使用されるとき、「または」という用語は、列挙された項目のうちのいずれか１つが単独で採用され得ること、または列挙された項目のうちの２つ以上の任意の組合せが採用され得ることを意味する。たとえば、組成が構成要素Ａ、Ｂ、またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２６７】
[0290]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２６８】
[0291]本開示についての以上の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示される原理および新規の技法に合致する最も広い範囲を与えられるべきである。
【図１】
2019509696.tif 000003
【図２】
2019509696.tif 000004
【図３】
2019509696.tif 000005
【図４】
2019509696.tif 000006
【図５】
2019509696.tif 000007
【図６】
2019509696.tif 000008
【図７】
2019509696.tif 000009
【図８】
2019509696.tif 000010
【図９】
2019509696.tif 000011
【図１０】
2019509696.tif 000012
【図１１】
2019509696.tif 000013
【図１２】
2019509696.tif 000014
【図１３】
2019509696.tif 000015
【図１４】
2019509696.tif 000016
【図１５】
2019509696.tif 000017
【図１６】
2019509696.tif 000018
【図１７】
2019509696.tif 000019
【図１８】
2019509696.tif 000020
【図１９】
2019509696.tif 000021
【図２０】
2019509696.tif 000022
【図２１】
2019509696.tif 000023
【図２２】
2019509696.tif 000024
【図２３】
2019509696.tif 000025
【図２４】
2019509696.tif 000026
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
オーバージエアで、アップリンク送信のために実施すべきリッスンビフォアトーク（ＬＢＴ）プロシージャの少なくとも１つのタイプを示す情報を受信することと、ここにおいて、前記アップリンク送信のために実施すべきＬＢＴプロシージャの前記少なくとも１つのタイプを示す前記情報が、前記アップリンク送信の持続時間を示す、
前記受信された情報から、前記アップリンク送信のために実施すべきＬＢＴプロシージャの前記少なくとも１つのタイプを識別することと、
共有スペクトルのために、前記アップリンク送信のためのＬＢＴプロシージャの前記少なくとも１つのタイプを実施することと
を備える、方法。
【請求項２】
前記アップリンク送信のために実施すべきＬＢＴプロシージャの前記少なくとも１つのタイプを示す前記情報は、前記アップリンク送信の持続時間が、ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、請求項１に記載の方法。
【請求項３】
前記アップリンク送信のためのアップリンク許可を受信することをさらに備え、
ここにおいて、前記アップリンク送信のために実施すべきＬＢＴプロシージャの前記少なくとも１つのタイプを示す前記情報が、前記アップリンク許可中で受信された少なくとも１ビットを備える、
請求項２に記載の方法。
【請求項４】
前記アップリンク送信のために実施すべきＬＢＴプロシージャの前記少なくとも１つのタイプを示す前記情報は、ネットワークアクセスデバイスによって前記共有スペクトルが予約済みであり、アップリンク送信のために利用可能である最大チャネル占有時間の部分の持続時間を示す、請求項１に記載の方法。
【請求項５】
共通物理ダウンリンク制御チャネル（ＰＤＣＣＨ）を受信することをさらに備え、
ここにおいて、前記アップリンク送信のために実施すべきＬＢＴプロシージャの前記少なくとも１つのタイプを示す前記情報が、前記共通ＰＤＣＣＨ中でシグナリングされる、請求項４に記載の方法。
【請求項６】
前記アップリンク送信のために実施すべきＬＢＴプロシージャの前記少なくとも１つのタイプは、前記ネットワークアクセスデバイスによって前記共有スペクトルが予約済みであり、アップリンク送信のために利用可能である前記最大チャネル占有時間の前記部分の前記持続時間と前記アップリンク送信の持続時間とに少なくとも部分的に基づいて識別される、請求項４に記載の方法。
【請求項７】
前記共有スペクトルへのアクセスを求めて競合するためにＬＢＴプロシージャを実施するとき、ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために使用されるべき第２のＬＢＴ優先度クラス、またはそれらの組合せを含む少なくとも１つのＬＢＴ優先度クラスの少なくとも１つの指示を受信することをさらに備える、請求項１に記載の方法。
【請求項８】
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、請求項７に記載の方法。
【請求項９】
前記アップリンク送信のためのアップリンク許可を受信することをさらに備え、
ここにおいて、前記少なくとも１つのＬＢＴ優先度クラスの前記少なくとも１つの指示が、前記アップリンク許可中で受信される、
請求項７に記載の方法。
【請求項１０】
前記アップリンク許可が、前記アップリンク送信のために実施すべきＬＢＴプロシージャの前記少なくとも１つのタイプを示す前記情報をさらに備える、請求項９に記載の方法。
【請求項１１】
前記ネットワークアクセスデバイスが前記共有スペクトルへのアクセスを求める競合に成功したかどうかを決定することと、
前記ネットワークアクセスデバイスが前記共有スペクトルへのアクセスを求める競合に成功したかどうかを決定することに少なくとも部分的に基づく、前記第１のＬＢＴ優先度クラスまたは前記第２のＬＢＴ優先度クラスに少なくとも部分的に基づいて、前記アップリンク送信のためにＬＢＴプロシージャを実施すべきかどうかを決定することと
をさらに備える、請求項７に記載の方法。
【請求項１２】
前記アップリンク送信のためにＬＢＴプロシージャを実施するための前記少なくとも１つのＬＢＴ優先度クラス中のＬＢＴ優先度クラスを識別することと、
前記識別されたＬＢＴ優先度クラスに少なくとも部分的に基づいて前記アップリンク送信中の送信のためのデータを選択することと、
前記アップリンク送信中に、前記選択されたデータを送信することと
をさらに備える、請求項７に記載の方法。
【請求項１３】
少なくとも１つのＬＢＴ優先度クラスのために使用すべき競合ウィンドウサイズの少なくとも１つの指示を受信することと、
前記共有スペクトルのためにＬＢＴプロシージャを実施するためのＬＢＴ優先度クラスを選択することと、
前記選択されたＬＢＴ優先度クラスに対応する競合ウィンドウサイズの指示に少なくとも部分的に基づいて、前記ＬＢＴプロシージャのための競合ウィンドウをサイズ決定することと
をさらに備える、請求項１に記載の方法。
【請求項１４】
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、請求項１３に記載の方法。
【請求項１５】
競合ウィンドウサイズの各比が、ＬＢＴ優先度クラスのための競合ウィンドウサイズとデフォルト競合ウィンドウサイズとの比を備える、請求項１４に記載の方法。
【請求項１６】
前記アップリンク送信のためのアップリンク許可を受信することをさらに備え、
ここにおいて、少なくとも１つのＬＢＴ優先度クラスのために使用すべき競合ウィンドウサイズの前記少なくとも１つの指示が、前記アップリンク許可中で受信される、
請求項１３に記載の方法。
【請求項１７】
前記アップリンク送信のために実施すべきＬＢＴプロシージャの少なくとも１つのタイプを示す前記情報が、前記アップリンク送信のために実施すべきマルチキャリアＬＢＴプロシージャのタイプの指示を備える、請求項１に記載の方法。
【請求項１８】
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、請求項１７に記載の方法。
【請求項１９】
実施すべきマルチキャリアＬＢＴプロシージャの前記タイプの前記指示が、無線リソース制御（ＲＲＣ）シグナリング中で受信される、請求項１７に記載の方法。
【請求項２０】
ユーザ機器（ＵＥ）におけるワイヤレス通信のための装置であって、
オーバージエアで、アップリンク送信のために実施すべきリッスンビフォアトーク（ＬＢＴ）プロシージャの少なくとも１つのタイプを示す情報を受信するための手段と、ここにおいて、前記アップリンク送信のために実施すべきＬＢＴプロシージャの前記少なくとも１つのタイプを示す前記情報が、前記アップリンク送信の持続時間を示す、
前記受信された情報から、前記アップリンク送信のために実施すべきＬＢＴプロシージャの前記少なくとも１つのタイプを識別するための手段と、
共有スペクトルのために、前記アップリンク送信のためのＬＢＴプロシージャの前記少なくとも１つのタイプを実施するための手段と
を備える、装置。
【請求項２１】
前記アップリンク送信のために実施すべきＬＢＴプロシージャの前記少なくとも１つのタイプを示す前記情報は、前記アップリンク送信の持続時間が、ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、請求項２０に記載の装置。
【請求項２２】
前記アップリンク送信のためのアップリンク許可を受信するための手段をさらに備え、
ここにおいて、前記アップリンク送信のために実施すべきＬＢＴプロシージャの前記少なくとも１つのタイプを示す前記情報が、前記アップリンク許可中で受信された少なくとも１ビットを備える、
請求項２１に記載の装置。
【請求項２３】
前記アップリンク送信のために実施すべきＬＢＴプロシージャの前記少なくとも１つのタイプを示す前記情報は、ネットワークアクセスデバイスによって前記共有スペクトルが予約済みであり、アップリンク送信のために利用可能である最大チャネル占有時間の部分の持続時間を示す、請求項２０に記載の装置。
【請求項２４】
共通物理ダウンリンク制御チャネル（ＰＤＣＣＨ）を受信するための手段をさらに備え、
ここにおいて、前記アップリンク送信のために実施すべきＬＢＴプロシージャの前記少なくとも１つのタイプを示す前記情報が、前記共通ＰＤＣＣＨ中でシグナリングされる、請求項２３に記載の装置。
【請求項２５】
前記アップリンク送信のために実施すべきＬＢＴプロシージャの前記少なくとも１つのタイプは、前記ネットワークアクセスデバイスによって前記共有スペクトルが予約済みであり、アップリンク送信のために利用可能である前記最大チャネル占有時間の前記部分の前記持続時間と前記アップリンク送信の持続時間とに少なくとも部分的に基づいて識別される、請求項２３に記載の装置。
【請求項２６】
前記共有スペクトルへのアクセスを求めて競合するためにＬＢＴプロシージャを実施するとき、ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために使用されるべき第２のＬＢＴ優先度クラス、またはそれらの組合せを含む少なくとも１つのＬＢＴ優先度クラスの少なくとも１つの指示を受信するための手段
をさらに備える、請求項２０に記載の装置。
【請求項２７】
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、請求項２６に記載の装置。
【請求項２８】
前記アップリンク送信のためのアップリンク許可を受信するための手段をさらに備え、
ここにおいて、前記少なくとも１つのＬＢＴ優先度クラスの前記少なくとも１つの指示が、前記アップリンク許可中で受信される、
請求項２６に記載の装置。
【請求項２９】
前記アップリンク許可が、前記アップリンク送信のために実施すべきＬＢＴプロシージャの前記少なくとも１つのタイプを示す前記情報をさらに備える、請求項２８に記載の装置。
【請求項３０】
前記ネットワークアクセスデバイスが前記共有スペクトルへのアクセスを求める競合に成功したかどうかを決定するための手段と、
前記ネットワークアクセスデバイスが前記共有スペクトルへのアクセスを求める競合に成功したかどうかを決定することに少なくとも部分的に基づく、前記第１のＬＢＴ優先度クラスまたは前記第２のＬＢＴ優先度クラスに少なくとも部分的に基づいて、前記アップリンク送信のためにＬＢＴプロシージャを実施すべきかどうかを決定するための手段と
をさらに備える、請求項２６に記載の装置。
【請求項３１】
前記アップリンク送信のためにＬＢＴプロシージャを実施するための前記少なくとも１つのＬＢＴ優先度クラス中のＬＢＴ優先度クラスを識別するための手段と、
前記識別されたＬＢＴ優先度クラスに少なくとも部分的に基づいて前記アップリンク送信中の送信のためのデータを選択するための手段と、
前記アップリンク送信中に、前記選択されたデータを送信するための手段と
をさらに備える、請求項２６に記載の装置。
【請求項３２】
少なくとも１つのＬＢＴ優先度クラスのために使用すべき競合ウィンドウサイズの少なくとも１つの指示を受信するための手段と、
前記共有スペクトルのためにＬＢＴプロシージャを実施するためのＬＢＴ優先度クラスを選択するための手段と、
前記選択されたＬＢＴ優先度クラスに対応する競合ウィンドウサイズの指示に少なくとも部分的に基づいて、前記ＬＢＴプロシージャのための競合ウィンドウをサイズ決定するための手段と
をさらに備える、請求項２０に記載の装置。
【請求項３３】
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、請求項３２に記載の装置。
【請求項３４】
競合ウィンドウサイズの各比が、ＬＢＴ優先度クラスのための競合ウィンドウサイズとデフォルト競合ウィンドウサイズとの比を備える、請求項３３に記載の装置。
【請求項３５】
前記アップリンク送信のためのアップリンク許可を受信するための手段をさらに備え、
ここにおいて、少なくとも１つのＬＢＴ優先度クラスのために使用すべき競合ウィンドウサイズの前記少なくとも１つの指示が、前記アップリンク許可中で受信される、
請求項３２に記載の装置。
【請求項３６】
前記アップリンク送信のために実施すべきＬＢＴプロシージャの少なくとも１つのタイプを示す前記情報が、前記アップリンク送信のために実施すべきマルチキャリアＬＢＴプロシージャのタイプの指示を備える、請求項２０に記載の装置。
【請求項３７】
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、請求項３６に記載の装置。
【請求項３８】
実施すべきマルチキャリアＬＢＴプロシージャの前記タイプの前記指示が、無線リソース制御（ＲＲＣ）シグナリング中で受信される、請求項３６に記載の装置。
【請求項３９】
ユーザ機器（ＵＥ）におけるワイヤレス通信のための装置であって、
プロセッサと、
前記プロセッサに結合されたメモリと
を備え、ここにおいて、前記プロセッサが、
オーバージエアで、アップリンク送信のために実施すべきリッスンビフォアトーク（ＬＢＴ）プロシージャの少なくとも１つのタイプを示す情報を受信することと、ここにおいて、前記アップリンク送信のために実施すべきＬＢＴプロシージャの前記少なくとも１つのタイプを示す前記情報が、前記アップリンク送信の持続時間を示す、
前記受信された情報から、前記アップリンク送信のために実施すべきＬＢＴプロシージャの前記少なくとも１つのタイプを識別することと、
共有スペクトルのために、前記アップリンク送信のためのＬＢＴプロシージャの前記少なくとも１つのタイプを実施することと
を行うように構成された、装置。
【請求項４０】
オーバージエアで、アップリンク送信のために実施すべきリッスンビフォアトーク（ＬＢＴ）プロシージャの少なくとも１つのタイプを示す情報を受信するための命令と、ここにおいて、前記アップリンク送信のために実施すべきＬＢＴプロシージャの前記少なくとも１つのタイプを示す前記情報が、前記アップリンク送信の持続時間を示す、
前記受信された情報から、前記アップリンク送信のために実施すべきＬＢＴプロシージャの前記少なくとも１つのタイプを識別するための命令と、
共有スペクトルのために、前記アップリンク送信のためのＬＢＴプロシージャの前記少なくとも１つのタイプを実施するための命令と
を備える、ユーザ機器（ＵＥ）のプロセッサによって実行可能な命令を記憶するためのコンピュータ可読媒体。
【請求項４１】
ネットワークアクセスデバイスにおけるワイヤレス通信のための方法であって、
共有スペクトル中でユーザ機器（ＵＥ）のアップリンク送信をスケジュールすることと、
オーバージエアで、前記アップリンク送信のために実施すべきリッスンビフォアトーク（ＬＢＴ）プロシージャの少なくとも１つのタイプを示す情報を送信することと、ここにおいて、前記アップリンク送信のために実施すべきＬＢＴプロシージャの前記少なくとも１つのタイプを示す前記情報が、前記アップリンク送信の持続時間を示す、
を備える、方法。
【請求項４２】
前記アップリンク送信のために実施すべきＬＢＴプロシージャの前記少なくとも１つのタイプを示す前記情報は、前記アップリンク送信の持続時間が、前記ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、請求項４１に記載の方法。
【請求項４３】
前記ＵＥに前記アップリンク送信のためのアップリンク許可を送信することをさらに備え、
ここにおいて、前記アップリンク送信のために実施すべきＬＢＴプロシージャの前記少なくとも１つのタイプを示す前記情報が、前記アップリンク許可中の少なくとも１ビットを備える、
請求項４２に記載の方法。
【請求項４４】
前記アップリンク送信のために実施すべきＬＢＴプロシージャの前記少なくとも１つのタイプを示す前記情報は、前記ネットワークアクセスデバイスによって前記共有スペクトルが予約済みであり、アップリンク送信のために利用可能である最大チャネル占有時間の部分の持続時間を示す、請求項４１に記載の方法。
【請求項４５】
共通物理ダウンリンク制御チャネル（ＰＤＣＣＨ）を送信することと、
前記共通ＰＤＣＣＨ中で、前記アップリンク送信のために実施すべきＬＢＴプロシージャの前記少なくとも１つのタイプを示す前記情報をシグナリングすることと
をさらに備える、請求項４４に記載の方法。
【請求項４６】
前記共有スペクトルへのアクセスを求めて競合するためにＬＢＴプロシージャを実施するとき、前記ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために前記ＵＥによって使用されるべき第２のＬＢＴ優先度クラス、またはそれらの組合せを含む少なくとも１つのＬＢＴ優先度クラスの少なくとも１つの指示を送信すること
をさらに備える、請求項４１に記載の方法。
【請求項４７】
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、請求項４６に記載の方法。
【請求項４８】
前記ＵＥに前記アップリンク送信のためのアップリンク許可を送信することをさらに備え、
ここにおいて、前記少なくとも１つのＬＢＴ優先度クラスの前記少なくとも１つの指示が、前記アップリンク許可中で送信される、
請求項４６に記載の方法。
【請求項４９】
前記アップリンク許可が、前記アップリンク送信のために実施すべきＬＢＴプロシージャの前記少なくとも１つのタイプを示す前記情報をさらに備える、請求項４８に記載の方法。
【請求項５０】
少なくとも１つのＬＢＴ優先度クラスのために使用すべき競合ウィンドウサイズの少なくとも１つの指示を送信すること
をさらに備える、請求項４１に記載の方法。
【請求項５１】
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、請求項５０に記載の方法。
【請求項５２】
競合ウィンドウサイズの各比が、ＬＢＴ優先度クラスのための競合ウィンドウサイズとデフォルト競合ウィンドウサイズとの比を備える、請求項５１に記載の方法。
【請求項５３】
前記アップリンク送信のためのアップリンク許可を送信することをさらに備え、
ここにおいて、少なくとも１つのＬＢＴ優先度クラスのために使用すべき競合ウィンドウサイズの前記少なくとも１つの指示が、前記アップリンク許可中でシグナリングされる、
請求項５０に記載の方法。
【請求項５４】
前記アップリンク送信の受信を検出することと、
前記アップリンク送信のための巡回冗長検査（ＣＲＣ）を復号することに失敗することと、
前記アップリンク送信のための前記ＣＲＣを復号することに失敗することに少なくとも部分的に基づいて、前記共有スペクトルへのアクセスを求めて競合するために次のＬＢＴプロシージャのための競合ウィンドウサイズを更新することと
をさらに備える、請求項４１に記載の方法。
【請求項５５】
前記アップリンク送信が複数送信時間間隔（ＴＴＩ）アップリンク送信を備え、前記方法が、
前記複数ＴＴＩアップリンク送信のための複数ＴＴＩアップリンク許可を送信することと、
前記複数ＴＴＩアップリンク送信の少なくとも１つのＴＴＩ中に前記複数ＴＴＩアップリンク送信の受信を検出することと、
前記複数ＴＴＩアップリンク送信の前記少なくとも１つのＴＴＩ中に前記複数ＴＴＩアップリンク送信の受信を検出することに少なくとも部分的に基づいて、前記共有スペクトルへのアクセスを求めて競合するために次のＬＢＴプロシージャのための競合ウィンドウサイズを更新することを控えることと
をさらに備える、請求項４１に記載の方法。
【請求項５６】
前記次のＬＢＴプロシージャのための前記競合ウィンドウサイズを更新することを前記控えることが、前記複数ＴＴＩアップリンク送信の複数のＴＴＩ中に前記共有スペクトル上のＬＢＴギャップを検出しないことにさらに少なくとも部分的に基づく、請求項５５に記載の方法。
【請求項５７】
前記アップリンク送信のために実施すべきマルチキャリアＬＢＴプロシージャのタイプの指示を送信すること
をさらに備える、請求項４１に記載の方法。
【請求項５８】
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、請求項５７に記載の方法。
【請求項５９】
実施すべきマルチキャリアＬＢＴプロシージャの前記タイプの前記指示が、無線リソース制御（ＲＲＣ）シグナリング中で送信される、請求項５７に記載の方法。
【請求項６０】
ネットワークアクセスデバイスにおけるワイヤレス通信のための装置であって、
共有スペクトル中でユーザ機器（ＵＥ）のアップリンク送信をスケジュールするための手段と、
オーバージエアで、前記アップリンク送信のために実施すべきリッスンビフォアトーク（ＬＢＴ）プロシージャの少なくとも１つのタイプを示す情報を送信するための手段と、ここにおいて、前記アップリンク送信のために実施すべきＬＢＴプロシージャの前記少なくとも１つのタイプを示す前記情報が、前記アップリンク送信の持続時間を示す、
を備える、装置。
【請求項６１】
前記アップリンク送信のために実施すべきＬＢＴプロシージャの前記少なくとも１つのタイプを示す前記情報は、前記アップリンク送信の持続時間が、前記ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、請求項６０に記載の装置。
【請求項６２】
前記ＵＥに前記アップリンク送信のためのアップリンク許可を送信するための手段をさらに備え、
ここにおいて、前記アップリンク送信のために実施すべきＬＢＴプロシージャの前記少なくとも１つのタイプを示す前記情報が、前記アップリンク許可中の少なくとも１ビットを備える、
請求項６１に記載の装置。
【請求項６３】
前記アップリンク送信のために実施すべきＬＢＴプロシージャの前記少なくとも１つのタイプを示す前記情報は、前記ネットワークアクセスデバイスによって前記共有スペクトルが予約済みであり、アップリンク送信のために利用可能である最大チャネル占有時間の部分の持続時間を示す、請求項６０に記載の装置。
【請求項６４】
共通物理ダウンリンク制御チャネル（ＰＤＣＣＨ）を送信するための手段と、
前記共通ＰＤＣＣＨ中で、前記アップリンク送信のために実施すべきＬＢＴプロシージャの前記少なくとも１つのタイプを示す前記情報をシグナリングするための手段と
をさらに備える、請求項６３に記載の装置。
【請求項６５】
前記共有スペクトルへのアクセスを求めて競合するためにＬＢＴプロシージャを実施するとき、前記ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために前記ＵＥによって使用されるべき第２のＬＢＴ優先度クラス、またはそれらの組合せを含む少なくとも１つのＬＢＴ優先度クラスの少なくとも１つの指示を送信するための手段
をさらに備える、請求項６０に記載の装置。
【請求項６６】
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、請求項６５に記載の装置。
【請求項６７】
前記ＵＥに前記アップリンク送信のためのアップリンク許可を送信するための手段をさらに備え、
ここにおいて、前記少なくとも１つのＬＢＴ優先度クラスの前記少なくとも１つの指示が、前記アップリンク許可中で送信される、
請求項６５に記載の装置。
【請求項６８】
前記アップリンク許可が、前記アップリンク送信のために実施すべきＬＢＴプロシージャの前記少なくとも１つのタイプを示す前記情報をさらに備える、請求項６７に記載の装置。
【請求項６９】
少なくとも１つのＬＢＴ優先度クラスのために使用すべき競合ウィンドウサイズの少なくとも１つの指示を送信すること
をさらに備える、請求項６０に記載の装置。
【請求項７０】
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、請求項６９に記載の装置。
【請求項７１】
競合ウィンドウサイズの各比が、ＬＢＴ優先度クラスのための競合ウィンドウサイズとデフォルト競合ウィンドウサイズとの比を備える、請求項７０に記載の装置。
【請求項７２】
前記アップリンク送信のためのアップリンク許可を送信するための手段をさらに備え、
ここにおいて、少なくとも１つのＬＢＴ優先度クラスのために使用すべき競合ウィンドウサイズの前記少なくとも１つの指示が、前記アップリンク許可中でシグナリングされる、
請求項６９に記載の装置。
【請求項７３】
前記アップリンク送信の受信を検出するための手段と、
前記アップリンク送信のための巡回冗長検査（ＣＲＣ）を復号することに失敗するための手段と、
前記アップリンク送信のための前記ＣＲＣを復号することに失敗することに少なくとも部分的に基づいて、前記共有スペクトルへのアクセスを求めて競合するために次のＬＢＴプロシージャのための競合ウィンドウサイズを更新するための手段と
をさらに備える、請求項６０に記載の装置。
【請求項７４】
前記アップリンク送信が複数送信時間間隔（ＴＴＩ）アップリンク送信を備え、前記装置が、
前記複数ＴＴＩアップリンク送信のための複数ＴＴＩアップリンク許可を送信するための手段と、
前記複数ＴＴＩアップリンク送信の少なくとも１つのＴＴＩ中に前記複数ＴＴＩアップリンク送信の受信を検出するための手段と、
前記複数ＴＴＩアップリンク送信の前記少なくとも１つのＴＴＩ中に前記複数ＴＴＩアップリンク送信の受信を検出することに少なくとも部分的に基づいて、前記共有スペクトルへのアクセスを求めて競合するために次のＬＢＴプロシージャのための競合ウィンドウサイズを更新することを控えるための手段と
をさらに備える、請求項６０に記載の装置。
【請求項７５】
前記次のＬＢＴプロシージャのための前記競合ウィンドウサイズを更新することを前記控えることが、前記複数ＴＴＩアップリンク送信の複数のＴＴＩ中に前記共有スペクトル上のＬＢＴギャップを検出しないことにさらに少なくとも部分的に基づく、請求項７４に記載の装置。
【請求項７６】
前記アップリンク送信のために実施すべきマルチキャリアＬＢＴプロシージャのタイプの指示を送信するための手段
をさらに備える、請求項６０に記載の装置。
【請求項７７】
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、請求項７６に記載の装置。
【請求項７８】
実施すべきマルチキャリアＬＢＴプロシージャの前記タイプの前記指示が、無線リソース制御（ＲＲＣ）シグナリング中で送信される、請求項７６に記載の装置。
【請求項７９】
ネットワークアクセスデバイスにおけるワイヤレス通信のための装置であって、
プロセッサと、
前記プロセッサに結合されたメモリと
を備え、ここにおいて、前記プロセッサが、
共有スペクトル中でユーザ機器（ＵＥ）のアップリンク送信をスケジュールすることと、
オーバージエアで、前記アップリンク送信のために実施すべきリッスンビフォアトーク（ＬＢＴ）プロシージャの少なくとも１つのタイプを示す情報を送信することと、ここにおいて、前記アップリンク送信のために実施すべきＬＢＴプロシージャの前記少なくとも１つのタイプを示す前記情報が、前記アップリンク送信の持続時間を示す、
を行うように構成された、装置。
【請求項８０】
共有スペクトル中でユーザ機器（ＵＥ）のアップリンク送信をスケジュールするための命令と、
オーバージエアで、前記アップリンク送信のために実施すべきリッスンビフォアトーク（ＬＢＴ）プロシージャの少なくとも１つのタイプを示す情報を送信するための命令と、ここにおいて、前記アップリンク送信のために実施すべきＬＢＴプロシージャの前記少なくとも１つのタイプを示す前記情報が、前記アップリンク送信の持続時間を示す、
を備える、ネットワークアクセスデバイスのプロセッサによって実行可能な命令を記憶するためのコンピュータ可読媒体。
【手続補正２】
【補正対象書類名】明細書
【補正対象項目名】０２６８
【補正方法】変更
【補正の内容】
【０２６８】
[0291]本開示についての以上の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示される原理および新規の技法に合致する最も広い範囲を与えられるべきである。
以下に本願の出願当初の特許請求の範囲に記載された発明を付記する。
［Ｃ１］
ユーザ機器（ＵＥ）におけるワイヤレス通信のための方法であって、
オーバージエアで、アップリンク送信のために実施すべきリッスンビフォアトーク（ＬＢＴ）プロシージャの少なくとも１つのタイプを示す情報を受信することと、
前記受信された情報から、前記アップリンク送信のために実施すべきＬＢＴプロシージャの前記少なくとも１つのタイプを識別することと、
共有スペクトルのために、前記アップリンク送信のためのＬＢＴプロシージャの前記少なくとも１つのタイプを実施することと
を備える、方法。
［Ｃ２］
前記アップリンク送信のために実施すべきＬＢＴプロシージャの前記少なくとも１つのタイプを示す前記情報は、前記アップリンク送信の持続時間が、ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、Ｃ１に記載の方法。
［Ｃ３］
前記アップリンク送信のためのアップリンク許可を受信することをさらに備え、
ここにおいて、前記アップリンク送信のために実施すべきＬＢＴプロシージャの前記少なくとも１つのタイプを示す前記情報が、前記アップリンク許可中で受信された少なくとも１ビットを備える、
Ｃ２に記載の方法。
［Ｃ４］
前記アップリンク送信のために実施すべきＬＢＴプロシージャの前記少なくとも１つのタイプを示す前記情報は、ネットワークアクセスデバイスによって前記共有スペクトルが予約済みであり、アップリンク送信のために利用可能である最大チャネル占有時間の部分の持続時間を示す、Ｃ１に記載の方法。
［Ｃ５］
共通物理ダウンリンク制御チャネル（ＰＤＣＣＨ）を受信することをさらに備え、
ここにおいて、前記アップリンク送信のために実施すべきＬＢＴプロシージャの前記少なくとも１つのタイプを示す前記情報が、前記共通ＰＤＣＣＨ中でシグナリングされる、Ｃ４に記載の方法。
［Ｃ６］
前記アップリンク送信のために実施すべきＬＢＴプロシージャの前記少なくとも１つのタイプは、前記ネットワークアクセスデバイスによって前記共有スペクトルが予約済みであり、アップリンク送信のために利用可能である前記最大チャネル占有時間の前記部分の前記持続時間と前記アップリンク送信の持続時間とに少なくとも部分的に基づいて識別される、Ｃ４に記載の方法。
［Ｃ７］
前記共有スペクトルへのアクセスを求めて競合するためにＬＢＴプロシージャを実施するとき、ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために使用されるべき第２のＬＢＴ優先度クラス、またはそれらの組合せを含む少なくとも１つのＬＢＴ優先度クラスの少なくとも１つの指示を受信することをさらに備える、Ｃ１に記載の方法。
［Ｃ８］
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、Ｃ７に記載の方法。
［Ｃ９］
前記アップリンク送信のためのアップリンク許可を受信することをさらに備え、
ここにおいて、前記少なくとも１つのＬＢＴ優先度クラスの前記少なくとも１つの指示が、前記アップリンク許可中で受信される、
Ｃ７に記載の方法。
［Ｃ１０］
前記アップリンク許可が、前記アップリンク送信のために実施すべきＬＢＴプロシージャの前記少なくとも１つのタイプを示す前記情報をさらに備える、Ｃ９に記載の方法。
［Ｃ１１］
前記ネットワークアクセスデバイスが前記共有スペクトルへのアクセスを求める競合に成功したかどうかを決定することと、
前記ネットワークアクセスデバイスが前記共有スペクトルへのアクセスを求める競合に成功したかどうかを決定することに少なくとも部分的に基づく、前記第１のＬＢＴ優先度クラスまたは前記第２のＬＢＴ優先度クラスに少なくとも部分的に基づいて、前記アップリンク送信のためにＬＢＴプロシージャを実施すべきかどうかを決定することと
をさらに備える、Ｃ７に記載の方法。
［Ｃ１２］
前記アップリンク送信のためにＬＢＴプロシージャを実施するための前記少なくとも１つのＬＢＴ優先度クラス中のＬＢＴ優先度クラスを識別することと、
前記識別されたＬＢＴ優先度クラスに少なくとも部分的に基づいて前記アップリンク送信中の送信のためのデータを選択することと、
前記アップリンク送信中に、前記選択されたデータを送信することと
をさらに備える、Ｃ７に記載の方法。
［Ｃ１３］
少なくとも１つのＬＢＴ優先度クラスのために使用すべき競合ウィンドウサイズの少なくとも１つの指示を受信することと、
前記共有スペクトルのためにＬＢＴプロシージャを実施するためのＬＢＴ優先度クラスを選択することと、
前記選択されたＬＢＴ優先度クラスに対応する競合ウィンドウサイズの指示に少なくとも部分的に基づいて、前記ＬＢＴプロシージャのための競合ウィンドウをサイズ決定することと
をさらに備える、Ｃ１に記載の方法。
［Ｃ１４］
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、Ｃ１３に記載の方法。
［Ｃ１５］
競合ウィンドウサイズの各比が、ＬＢＴ優先度クラスのための競合ウィンドウサイズとデフォルト競合ウィンドウサイズとの比を備える、Ｃ１４に記載の方法。
［Ｃ１６］
前記アップリンク送信のためのアップリンク許可を受信することをさらに備え、
ここにおいて、少なくとも１つのＬＢＴ優先度クラスのために使用すべき競合ウィンドウサイズの前記少なくとも１つの指示が、前記アップリンク許可中で受信される、
Ｃ１３に記載の方法。
［Ｃ１７］
前記アップリンク送信のために実施すべきＬＢＴプロシージャの少なくとも１つのタイプを示す前記情報が、前記アップリンク送信のために実施すべきマルチキャリアＬＢＴプロシージャのタイプの指示を備える、Ｃ１に記載の方法。
［Ｃ１８］
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、Ｃ１７に記載の方法。
［Ｃ１９］
実施すべきマルチキャリアＬＢＴプロシージャの前記タイプの前記指示が、無線リソース制御（ＲＲＣ）シグナリング中で受信される、Ｃ１７に記載の方法。
［Ｃ２０］
ユーザ機器（ＵＥ）におけるワイヤレス通信のための装置であって、
オーバージエアで、アップリンク送信のために実施すべきリッスンビフォアトーク（ＬＢＴ）プロシージャの少なくとも１つのタイプを示す情報を受信するための手段と、
前記受信された情報から、前記アップリンク送信のために実施すべきＬＢＴプロシージャの前記少なくとも１つのタイプを識別するための手段と、
共有スペクトルのために、前記アップリンク送信のためのＬＢＴプロシージャの前記少なくとも１つのタイプを実施するための手段と
を備える、装置。
［Ｃ２１］
前記アップリンク送信のために実施すべきＬＢＴプロシージャの前記少なくとも１つのタイプを示す前記情報は、前記アップリンク送信の持続時間が、ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、Ｃ２０に記載の装置。
［Ｃ２２］
前記アップリンク送信のためのアップリンク許可を受信するための手段をさらに備え、
ここにおいて、前記アップリンク送信のために実施すべきＬＢＴプロシージャの前記少なくとも１つのタイプを示す前記情報が、前記アップリンク許可中で受信された少なくとも１ビットを備える、
Ｃ２１に記載の装置。
［Ｃ２３］
前記アップリンク送信のために実施すべきＬＢＴプロシージャの前記少なくとも１つのタイプを示す前記情報は、ネットワークアクセスデバイスによって前記共有スペクトルが予約済みであり、アップリンク送信のために利用可能である最大チャネル占有時間の部分の持続時間を示す、Ｃ２０に記載の装置。
［Ｃ２４］
共通物理ダウンリンク制御チャネル（ＰＤＣＣＨ）を受信するための手段をさらに備え、
ここにおいて、前記アップリンク送信のために実施すべきＬＢＴプロシージャの前記少なくとも１つのタイプを示す前記情報が、前記共通ＰＤＣＣＨ中でシグナリングされる、Ｃ２３に記載の装置。
［Ｃ２５］
前記アップリンク送信のために実施すべきＬＢＴプロシージャの前記少なくとも１つのタイプは、前記ネットワークアクセスデバイスによって前記共有スペクトルが予約済みであり、アップリンク送信のために利用可能である前記最大チャネル占有時間の前記部分の前記持続時間と前記アップリンク送信の持続時間とに少なくとも部分的に基づいて識別される、Ｃ２３に記載の装置。
［Ｃ２６］
前記共有スペクトルへのアクセスを求めて競合するためにＬＢＴプロシージャを実施するとき、ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために使用されるべき第２のＬＢＴ優先度クラス、またはそれらの組合せを含む少なくとも１つのＬＢＴ優先度クラスの少なくとも１つの指示を受信するための手段
をさらに備える、Ｃ２０に記載の装置。
［Ｃ２７］
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、Ｃ２６に記載の装置。
［Ｃ２８］
前記アップリンク送信のためのアップリンク許可を受信するための手段をさらに備え、  ここにおいて、前記少なくとも１つのＬＢＴ優先度クラスの前記少なくとも１つの指示が、前記アップリンク許可中で受信される、
Ｃ２６に記載の装置。
［Ｃ２９］
前記アップリンク許可が、前記アップリンク送信のために実施すべきＬＢＴプロシージャの前記少なくとも１つのタイプを示す前記情報をさらに備える、Ｃ２８に記載の装置。
［Ｃ３０］
前記ネットワークアクセスデバイスが前記共有スペクトルへのアクセスを求める競合に成功したかどうかを決定するための手段と、
前記ネットワークアクセスデバイスが前記共有スペクトルへのアクセスを求める競合に成功したかどうかを決定することに少なくとも部分的に基づく、前記第１のＬＢＴ優先度クラスまたは前記第２のＬＢＴ優先度クラスに少なくとも部分的に基づいて、前記アップリンク送信のためにＬＢＴプロシージャを実施すべきかどうかを決定するための手段と
をさらに備える、Ｃ２６に記載の装置。
［Ｃ３１］
前記アップリンク送信のためにＬＢＴプロシージャを実施するための前記少なくとも１つのＬＢＴ優先度クラス中のＬＢＴ優先度クラスを識別するための手段と、
前記識別されたＬＢＴ優先度クラスに少なくとも部分的に基づいて前記アップリンク送信中の送信のためのデータを選択するための手段と、
前記アップリンク送信中に、前記選択されたデータを送信するための手段と
をさらに備える、Ｃ２６に記載の装置。
［Ｃ３２］
少なくとも１つのＬＢＴ優先度クラスのために使用すべき競合ウィンドウサイズの少なくとも１つの指示を受信するための手段と、
前記共有スペクトルのためにＬＢＴプロシージャを実施するためのＬＢＴ優先度クラスを選択するための手段と、
前記選択されたＬＢＴ優先度クラスに対応する競合ウィンドウサイズの指示に少なくとも部分的に基づいて、前記ＬＢＴプロシージャのための競合ウィンドウをサイズ決定するための手段と
をさらに備える、Ｃ２０に記載の装置。
［Ｃ３３］
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、Ｃ３２に記載の装置。
［Ｃ３４］
競合ウィンドウサイズの各比が、ＬＢＴ優先度クラスのための競合ウィンドウサイズとデフォルト競合ウィンドウサイズとの比を備える、Ｃ３３に記載の装置。
［Ｃ３５］
前記アップリンク送信のためのアップリンク許可を受信するための手段をさらに備え、  ここにおいて、少なくとも１つのＬＢＴ優先度クラスのために使用すべき競合ウィンドウサイズの前記少なくとも１つの指示が、前記アップリンク許可中で受信される、
Ｃ３２に記載の装置。
［Ｃ３６］
前記アップリンク送信のために実施すべきＬＢＴプロシージャの少なくとも１つのタイプを示す前記情報が、前記アップリンク送信のために実施すべきマルチキャリアＬＢＴプロシージャのタイプの指示を備える、Ｃ２０に記載の装置。
［Ｃ３７］
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、Ｃ３６に記載の装置。
［Ｃ３８］
実施すべきマルチキャリアＬＢＴプロシージャの前記タイプの前記指示が、無線リソース制御（ＲＲＣ）シグナリング中で受信される、Ｃ３６に記載の装置。
［Ｃ３９］
ユーザ機器（ＵＥ）におけるワイヤレス通信のための装置であって、
プロセッサと、
前記プロセッサに結合されたメモリと
を備え、ここにおいて、前記プロセッサが、
オーバージエアで、アップリンク送信のために実施すべきリッスンビフォアトーク（ＬＢＴ）プロシージャの少なくとも１つのタイプを示す情報を受信することと、
前記受信された情報から、前記アップリンク送信のために実施すべきＬＢＴプロシージャの前記少なくとも１つのタイプを識別することと、
共有スペクトルのために、前記アップリンク送信のためのＬＢＴプロシージャの前記少なくとも１つのタイプを実施することと
を行うように構成された、装置。
［Ｃ４０］
オーバージエアで、アップリンク送信のために実施すべきリッスンビフォアトーク（ＬＢＴ）プロシージャの少なくとも１つのタイプを示す情報を受信するための命令と、
前記受信された情報から、前記アップリンク送信のために実施すべきＬＢＴプロシージャの前記少なくとも１つのタイプを識別するための命令と、
共有スペクトルのために、前記アップリンク送信のためのＬＢＴプロシージャの前記少なくとも１つのタイプを実施するための命令と
を備える、ユーザ機器（ＵＥ）のプロセッサによって実行可能な命令を記憶するためのコンピュータ可読媒体。
［Ｃ４１］
ネットワークアクセスデバイスにおけるワイヤレス通信のための方法であって、
共有スペクトル中でユーザ機器（ＵＥ）のアップリンク送信をスケジュールすることと、
オーバージエアで、前記アップリンク送信のために実施すべきリッスンビフォアトーク（ＬＢＴ）プロシージャの少なくとも１つのタイプを示す情報を送信することと
を備える、方法。
［Ｃ４２］
前記アップリンク送信のために実施すべきＬＢＴプロシージャの前記少なくとも１つのタイプを示す前記情報は、前記アップリンク送信の持続時間が、前記ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、Ｃ４１に記載の方法。
［Ｃ４３］
前記ＵＥに前記アップリンク送信のためのアップリンク許可を送信することをさらに備え、
ここにおいて、前記アップリンク送信のために実施すべきＬＢＴプロシージャの前記少なくとも１つのタイプを示す前記情報が、前記アップリンク許可中の少なくとも１ビットを備える、
Ｃ４２に記載の方法。
［Ｃ４４］
前記アップリンク送信のために実施すべきＬＢＴプロシージャの前記少なくとも１つのタイプを示す前記情報は、前記ネットワークアクセスデバイスによって前記共有スペクトルが予約済みであり、アップリンク送信のために利用可能である最大チャネル占有時間の部分の持続時間を示す、Ｃ４１に記載の方法。
［Ｃ４５］
共通物理ダウンリンク制御チャネル（ＰＤＣＣＨ）を送信することと、
前記共通ＰＤＣＣＨ中で、前記アップリンク送信のために実施すべきＬＢＴプロシージャの前記少なくとも１つのタイプを示す前記情報をシグナリングすることと
をさらに備える、Ｃ４４に記載の方法。
［Ｃ４６］
前記共有スペクトルへのアクセスを求めて競合するためにＬＢＴプロシージャを実施するとき、前記ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために前記ＵＥによって使用されるべき第２のＬＢＴ優先度クラス、またはそれらの組合せを含む少なくとも１つのＬＢＴ優先度クラスの少なくとも１つの指示を送信すること
をさらに備える、Ｃ４１に記載の方法。
［Ｃ４７］
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、Ｃ４６に記載の方法。
［Ｃ４８］
前記ＵＥに前記アップリンク送信のためのアップリンク許可を送信することをさらに備え、
ここにおいて、前記少なくとも１つのＬＢＴ優先度クラスの前記少なくとも１つの指示が、前記アップリンク許可中で送信される、
Ｃ４６に記載の方法。
［Ｃ４９］
前記アップリンク許可が、前記アップリンク送信のために実施すべきＬＢＴプロシージャの前記少なくとも１つのタイプを示す前記情報をさらに備える、Ｃ４８に記載の方法。
［Ｃ５０］
少なくとも１つのＬＢＴ優先度クラスのために使用すべき競合ウィンドウサイズの少なくとも１つの指示を送信すること
をさらに備える、Ｃ４１に記載の方法。
［Ｃ５１］
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、Ｃ５０に記載の方法。
［Ｃ５２］
競合ウィンドウサイズの各比が、ＬＢＴ優先度クラスのための競合ウィンドウサイズとデフォルト競合ウィンドウサイズとの比を備える、Ｃ５１に記載の方法。
［Ｃ５３］
前記アップリンク送信のためのアップリンク許可を送信することをさらに備え、
ここにおいて、少なくとも１つのＬＢＴ優先度クラスのために使用すべき競合ウィンドウサイズの前記少なくとも１つの指示が、前記アップリンク許可中でシグナリングされる、
Ｃ５０に記載の方法。
［Ｃ５４］
前記アップリンク送信の受信を検出することと、
前記アップリンク送信のための巡回冗長検査（ＣＲＣ）を復号することに失敗することと、
前記アップリンク送信のための前記ＣＲＣを復号することに失敗することに少なくとも部分的に基づいて、前記共有スペクトルへのアクセスを求めて競合するために次のＬＢＴプロシージャのための競合ウィンドウサイズを更新することと
をさらに備える、Ｃ４１に記載の方法。
［Ｃ５５］
前記アップリンク送信が複数送信時間間隔（ＴＴＩ）アップリンク送信を備え、前記方法が、
前記複数ＴＴＩアップリンク送信のための複数ＴＴＩアップリンク許可を送信することと、
前記複数ＴＴＩアップリンク送信の少なくとも１つのＴＴＩ中に前記複数ＴＴＩアップリンク送信の受信を検出することと、
前記複数ＴＴＩアップリンク送信の前記少なくとも１つのＴＴＩ中に前記複数ＴＴＩアップリンク送信の受信を検出することに少なくとも部分的に基づいて、前記共有スペクトルへのアクセスを求めて競合するために次のＬＢＴプロシージャのための競合ウィンドウサイズを更新することを控えることと
をさらに備える、Ｃ４１に記載の方法。
［Ｃ５６］
前記次のＬＢＴプロシージャのための前記競合ウィンドウサイズを更新することを前記控えることが、前記複数ＴＴＩアップリンク送信の複数のＴＴＩ中に前記共有スペクトル上のＬＢＴギャップを検出しないことにさらに少なくとも部分的に基づく、Ｃ５５に記載の方法。
［Ｃ５７］
前記アップリンク送信のために実施すべきマルチキャリアＬＢＴプロシージャのタイプの指示を送信すること
をさらに備える、Ｃ４１に記載の方法。
［Ｃ５８］
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、Ｃ５７に記載の方法。
［Ｃ５９］
実施すべきマルチキャリアＬＢＴプロシージャの前記タイプの前記指示が、無線リソース制御（ＲＲＣ）シグナリング中で送信される、Ｃ５７に記載の方法。
［Ｃ６０］
ネットワークアクセスデバイスにおけるワイヤレス通信のための装置であって、
共有スペクトル中でユーザ機器（ＵＥ）のアップリンク送信をスケジュールするための手段と、
オーバージエアで、前記アップリンク送信のために実施すべきリッスンビフォアトーク（ＬＢＴ）プロシージャの少なくとも１つのタイプを示す情報を送信するための手段と
を備える、装置。
［Ｃ６１］
前記アップリンク送信のために実施すべきＬＢＴプロシージャの前記少なくとも１つのタイプを示す前記情報は、前記アップリンク送信の持続時間が、前記ネットワークアクセスデバイスによって前記共有スペクトルが予約済みである最大チャネル占有時間内であるかどうか、または前記アップリンク送信を送信するより前に実施すべきＬＢＴプロシージャのタイプ、またはそれらの組合せのうちの少なくとも１つを示す、Ｃ６０に記載の装置。
［Ｃ６２］
前記ＵＥに前記アップリンク送信のためのアップリンク許可を送信するための手段をさらに備え、
ここにおいて、前記アップリンク送信のために実施すべきＬＢＴプロシージャの前記少なくとも１つのタイプを示す前記情報が、前記アップリンク許可中の少なくとも１ビットを備える、
Ｃ６１に記載の装置。
［Ｃ６３］
前記アップリンク送信のために実施すべきＬＢＴプロシージャの前記少なくとも１つのタイプを示す前記情報は、前記ネットワークアクセスデバイスによって前記共有スペクトルが予約済みであり、アップリンク送信のために利用可能である最大チャネル占有時間の部分の持続時間を示す、Ｃ６０に記載の装置。
［Ｃ６４］
共通物理ダウンリンク制御チャネル（ＰＤＣＣＨ）を送信するための手段と、
前記共通ＰＤＣＣＨ中で、前記アップリンク送信のために実施すべきＬＢＴプロシージャの前記少なくとも１つのタイプを示す前記情報をシグナリングするための手段と
をさらに備える、Ｃ６３に記載の装置。
［Ｃ６５］
前記共有スペクトルへのアクセスを求めて競合するためにＬＢＴプロシージャを実施するとき、前記ネットワークアクセスデバイスによって使用される第１のＬＢＴ優先度クラス、または前記ネットワークアクセスデバイスによる前記共有スペクトルへのアクセスを求める競合が不成功であったとき、前記アップリンク送信のためにＬＢＴプロシージャのあるタイプを実施するために前記ＵＥによって使用されるべき第２のＬＢＴ優先度クラス、またはそれらの組合せを含む少なくとも１つのＬＢＴ優先度クラスの少なくとも１つの指示を送信するための手段
をさらに備える、Ｃ６０に記載の装置。
［Ｃ６６］
前記第１のＬＢＴ優先度クラスは、前記ネットワークアクセスデバイスが、前記アップリンク送信がスケジュールされた前記共有スペクトルの少なくとも第１のキャリア、または前記アップリンク送信をクロスキャリアスケジュールするために使用される前記共有スペクトルの少なくとも第２のキャリアへのアクセスを求めて競合するためにＬＢＴプロシージャを実施することに関連する、Ｃ６５に記載の装置。
［Ｃ６７］
前記ＵＥに前記アップリンク送信のためのアップリンク許可を送信するための手段をさらに備え、
ここにおいて、前記少なくとも１つのＬＢＴ優先度クラスの前記少なくとも１つの指示が、前記アップリンク許可中で送信される、
Ｃ６５に記載の装置。
［Ｃ６８］
前記アップリンク許可が、前記アップリンク送信のために実施すべきＬＢＴプロシージャの前記少なくとも１つのタイプを示す前記情報をさらに備える、Ｃ６７に記載の装置。
［Ｃ６９］
少なくとも１つのＬＢＴ優先度クラスのために使用すべき競合ウィンドウサイズの少なくとも１つの指示を送信すること
をさらに備える、Ｃ６０に記載の装置。
［Ｃ７０］
少なくとも１つのＬＢＴ優先度クラスのために使用すべき競合ウィンドウサイズの前記少なくとも１つの指示が、前記少なくとも１つのＬＢＴ優先度クラスの各ＬＢＴ優先度クラスのための競合ウィンドウサイズの比を備える、Ｃ６９に記載の装置。
［Ｃ７１］
競合ウィンドウサイズの各比が、ＬＢＴ優先度クラスのための競合ウィンドウサイズとデフォルト競合ウィンドウサイズとの比を備える、Ｃ７０に記載の装置。
［Ｃ７２］
前記アップリンク送信のためのアップリンク許可を送信するための手段をさらに備え、  ここにおいて、少なくとも１つのＬＢＴ優先度クラスのために使用すべき競合ウィンドウサイズの前記少なくとも１つの指示が、前記アップリンク許可中でシグナリングされる、
Ｃ６９に記載の装置。
［Ｃ７３］
前記アップリンク送信の受信を検出するための手段と、
前記アップリンク送信のための巡回冗長検査（ＣＲＣ）を復号することに失敗するための手段と、
前記アップリンク送信のための前記ＣＲＣを復号することに失敗することに少なくとも部分的に基づいて、前記共有スペクトルへのアクセスを求めて競合するために次のＬＢＴプロシージャのための競合ウィンドウサイズを更新するための手段と
をさらに備える、Ｃ６０に記載の装置。
［Ｃ７４］
前記アップリンク送信が複数送信時間間隔（ＴＴＩ）アップリンク送信を備え、前記装置が、
前記複数ＴＴＩアップリンク送信のための複数ＴＴＩアップリンク許可を送信するための手段と、
前記複数ＴＴＩアップリンク送信の少なくとも１つのＴＴＩ中に前記複数ＴＴＩアップリンク送信の受信を検出するための手段と、
前記複数ＴＴＩアップリンク送信の前記少なくとも１つのＴＴＩ中に前記複数ＴＴＩアップリンク送信の受信を検出することに少なくとも部分的に基づいて、前記共有スペクトルへのアクセスを求めて競合するために次のＬＢＴプロシージャのための競合ウィンドウサイズを更新することを控えるための手段と
をさらに備える、Ｃ６０に記載の装置。
［Ｃ７５］
前記次のＬＢＴプロシージャのための前記競合ウィンドウサイズを更新することを前記控えることが、前記複数ＴＴＩアップリンク送信の複数のＴＴＩ中に前記共有スペクトル上のＬＢＴギャップを検出しないことにさらに少なくとも部分的に基づく、Ｃ７４に記載の装置。
［Ｃ７６］
前記アップリンク送信のために実施すべきマルチキャリアＬＢＴプロシージャのタイプの指示を送信するための手段
をさらに備える、Ｃ６０に記載の装置。
［Ｃ７７］
実施すべきマルチキャリアＬＢＴプロシージャの前記タイプが、前記共有スペクトル中のＵＥ選択１次キャリアのために実施されるＬＢＴプロシージャのタイプ、または前記共有スペクトル中の物理アップリンク制御チャネル（ＰＵＣＣＨ）キャリアのために実施されるＬＢＴプロシージャのタイプ、または前記共有スペクトル中のＵＥ選択キャリアのために実施されるＬＢＴプロシージャのタイプ、または前記共有スペクトル中のネットワークアクセスデバイス選択キャリアのために実施されるＬＢＴプロシージャのタイプ、または前記共有スペクトル中の複数のキャリアのために実施されるＬＢＴプロシージャのタイプを備える、Ｃ７６に記載の装置。
［Ｃ７８］
実施すべきマルチキャリアＬＢＴプロシージャの前記タイプの前記指示が、無線リソース制御（ＲＲＣ）シグナリング中で送信される、Ｃ７６に記載の装置。
［Ｃ７９］
ネットワークアクセスデバイスにおけるワイヤレス通信のための装置であって、
プロセッサと、
前記プロセッサに結合されたメモリと
を備え、ここにおいて、前記プロセッサが、
共有スペクトル中でユーザ機器（ＵＥ）のアップリンク送信をスケジュールすることと、
オーバージエアで、前記アップリンク送信のために実施すべきリッスンビフォアトーク（ＬＢＴ）プロシージャの少なくとも１つのタイプを示す情報を送信することと
を行うように構成された、装置。
［Ｃ８０］
共有スペクトル中でユーザ機器（ＵＥ）のアップリンク送信をスケジュールするための命令と、
オーバージエアで、前記アップリンク送信のために実施すべきリッスンビフォアトーク（ＬＢＴ）プロシージャの少なくとも１つのタイプを示す情報を送信するための命令と
を備える、ネットワークアクセスデバイスのプロセッサによって実行可能な命令を記憶するためのコンピュータ可読媒体。
［Ｃ８１］
ネットワークアクセスデバイスにおけるワイヤレス通信のための方法であって、
ユーザ機器（ＵＥ）に関連するバッファステータス報告（ＢＳＲ）に少なくとも部分的に基づいて、複数のリッスンビフォアトーク（ＬＢＴ）優先度クラスの各ＬＢＴ優先度クラスに関連する前記ＵＥのアップリンクトラフィックの量を決定することと、
各ＬＢＴ優先度クラスに関連する前記ＵＥのアップリンクトラフィックの前記決定された量に少なくとも部分的に基づいて、ＬＢＴプロシージャを実施するためのＬＢＴ優先度クラスを選択することと、
前記選択されたＬＢＴ優先度クラスに少なくとも部分的に基づいて前記ＬＢＴプロシージャを実施することによって、共有スペクトルへのアクセスを求めて競合することと
を備える、方法。
［Ｃ８２］
前記ＵＥのために、前記複数のＬＢＴ優先度クラスの各ＬＢＴ優先度クラスに関連するダウンリンクトラフィックの量を決定することをさらに備え、
ここにおいて、前記ＬＢＴプロシージャを実施するための前記ＬＢＴ優先度クラスが、各ＬＢＴ優先度クラスに関連するダウンリンクトラフィックの前記決定された量に少なくとも部分的に基づいてさらに選択される、
Ｃ８１に記載の方法。
［Ｃ８３］
ネットワークアクセスデバイスにおけるワイヤレス通信のための装置であって、
ユーザ機器（ＵＥ）に関連するバッファステータス報告（ＢＳＲ）に少なくとも部分的に基づいて、複数のリッスンビフォアトーク（ＬＢＴ）優先度クラスの各ＬＢＴ優先度クラスに関連する前記ＵＥのアップリンクトラフィックの量を決定するための手段と、
各ＬＢＴ優先度クラスに関連する前記ＵＥのアップリンクトラフィックの前記決定された量に少なくとも部分的に基づいて、ＬＢＴプロシージャを実施するためのＬＢＴ優先度クラスを選択するための手段と、
前記選択されたＬＢＴ優先度クラスに少なくとも部分的に基づいて前記ＬＢＴプロシージャを実施することによって、共有スペクトルへのアクセスを求めて競合するための手段と
を備える、装置。
［Ｃ８４］
前記ＵＥのために、前記複数のリッスンビフォアトーク（ＬＢＴ）優先度クラスの各ＬＢＴ優先度クラスに関連するダウンリンクトラフィックの量を決定するための手段をさらに備え、
ここにおいて、前記ＬＢＴプロシージャを実施するための前記ＬＢＴ優先度クラスが、各ＬＢＴ優先度クラスに関連するダウンリンクトラフィックの前記決定された量に少なくとも部分的に基づいてさらに選択される、
Ｃ８３に記載の装置。
［Ｃ８５］
ネットワークアクセスデバイスにおけるワイヤレス通信のための装置であって、
プロセッサと、
前記プロセッサに結合されたメモリと
を備え、ここにおいて、前記プロセッサが、
ユーザ機器（ＵＥ）に関連するバッファステータス報告（ＢＳＲ）に少なくとも部分的に基づいて、複数のリッスンビフォアトーク（ＬＢＴ）優先度クラスの各ＬＢＴ優先度クラスに関連する前記ＵＥのアップリンクトラフィックの量を決定することと、
各ＬＢＴ優先度クラスに関連する前記ＵＥのアップリンクトラフィックの前記決定された量に少なくとも部分的に基づいて、ＬＢＴプロシージャを実施するためのＬＢＴ優先度クラスを選択することと、
前記選択されたＬＢＴ優先度クラスに少なくとも部分的に基づいて前記ＬＢＴプロシージャを実施することによって、共有スペクトルへのアクセスを求めて競合することと
を行うように構成された、装置。
［Ｃ８６］
ユーザ機器（ＵＥ）に関連するバッファステータス報告（ＢＳＲ）に少なくとも部分的に基づいて、複数のリッスンビフォアトーク（ＬＢＴ）優先度クラスの各ＬＢＴ優先度クラスに関連する前記ＵＥのアップリンクトラフィックの量を決定するための命令と、
各ＬＢＴ優先度クラスに関連する前記ＵＥのアップリンクトラフィックの前記決定された量に少なくとも部分的に基づいて、ＬＢＴプロシージャを実施するためのＬＢＴ優先度クラスを選択するための命令と、
前記選択されたＬＢＴ優先度クラスに少なくとも部分的に基づいて前記ＬＢＴプロシージャを実施することによって、共有スペクトルへのアクセスを求めて競合するための命令と
を備える、ネットワークアクセスデバイスのプロセッサによって実行可能な命令を記憶するためのコンピュータ可読媒体。
［Ｃ８７］
ワイヤレス通信のための方法であって、
複数のリッスンビフォアトーク（ＬＢＴ）優先度クラスの各ＬＢＴ優先度クラスに関連するキューイングされたトラフィックの量を決定することと、
ＬＢＴプロシージャを実施するためのＬＢＴ優先度クラスを選択することと、
共有スペクトルへのアクセスを求めて競合するために、前記選択されたＬＢＴ優先度クラスに少なくとも部分的に基づいて前記ＬＢＴプロシージャを実施することと、
前記共有スペクトルへのアクセスを求める競合に勝つと、前記選択されたＬＢＴ優先度クラスよりも低いＬＢＴ優先度クラスに関連する前記キューイングされたトラフィックのうちの少なくとも一部を送信することと
を備える、方法。
［Ｃ８８］
ワイヤレス通信のための装置であって、
複数のリッスンビフォアトーク（ＬＢＴ）優先度クラスの各ＬＢＴ優先度クラスに関連するキューイングされたトラフィックの量を決定するための手段と、
ＬＢＴプロシージャを実施するためのＬＢＴ優先度クラスを選択するための手段と、
共有スペクトルへのアクセスを求めて競合するために、前記選択されたＬＢＴ優先度クラスに少なくとも部分的に基づいて前記ＬＢＴプロシージャを実施するための手段と、
前記共有スペクトルへのアクセスを求める競合に勝つと、前記選択されたＬＢＴ優先度クラスよりも低いＬＢＴ優先度クラスに関連する前記キューイングされたトラフィックのうちの少なくとも一部を送信するための手段と
を備える、装置。
［Ｃ８９］
ワイヤレス通信のための装置であって、
プロセッサと、
前記プロセッサに結合されたメモリと
を備え、ここにおいて、前記プロセッサが、
複数のリッスンビフォアトーク（ＬＢＴ）優先度クラスの各ＬＢＴ優先度クラスに関連するキューイングされたトラフィックの量を決定することと、
ＬＢＴプロシージャを実施するためのＬＢＴ優先度クラスを選択することと、
共有スペクトルへのアクセスを求めて競合するために、前記選択されたＬＢＴ優先度クラスに少なくとも部分的に基づいて前記ＬＢＴプロシージャを実施することと、
前記共有スペクトルへのアクセスを求める競合に勝つと、前記選択されたＬＢＴ優先度クラスよりも低いＬＢＴ優先度クラスに関連する前記キューイングされたトラフィックのうちの少なくとも一部を送信することと
を行うように構成された、装置。
［Ｃ９０］
複数のリッスンビフォアトーク（ＬＢＴ）優先度クラスの各ＬＢＴ優先度クラスに関連するキューイングされたトラフィックの量を決定するための命令と、
ＬＢＴプロシージャを実施するためのＬＢＴ優先度クラスを選択するための命令と、
共有スペクトルへのアクセスを求めて競合するために、前記選択されたＬＢＴ優先度クラスに少なくとも部分的に基づいて前記ＬＢＴプロシージャを実施するための命令と、
前記共有スペクトルへのアクセスを求める競合に勝つと、前記選択されたＬＢＴ優先度クラスよりも低いＬＢＴ優先度クラスに関連する前記キューイングされたトラフィックのうちの少なくとも一部を送信するための命令と
を備える、プロセッサによって実行可能な命令を記憶するためのコンピュータ可読媒体。
【国際調査報告】
2019509696.tif 000027
2019509696.tif 000028
2019509696.tif 000029
2019509696.tif 000030